(57)【要約】      （修正有）【課題】ブレードまたはシャーシベースのコンピューティングシステムの向上した可用性および保守性をもたらすラックに搭載されたフィールド交換可能ユニット（ＦＲＵ）の管理のためのシステムおよび方法を提供する。【解決手段】ブレードベースのシステムにおいて、ラックまたはキャビネット内に設置される（たとえば、フォームファクタ、機能性、電力および冷却要件などに関連して）異なる種類のＦＲＵを収容する態様でＦＲＵの向上した可用性および保守性を与える。【選択図】図１
2018185832.tif 000002
【特許請求の範囲】
【請求項１】
複数のホットスワップ可能フィールド交換可能ユニット（ＦＲＵ）の集中アウトオブバンド（ＯＯＢ）管理を容易にするための仮想バックプレーンであって、
固定されたトポロジーによって相互接続される複数の仮想スロットを備え、前記仮想スロットの各々は、ａ）複数のＦＲＵの１つがいつ前記仮想スロットに電気的に相互接続されるかを検出し、かつｂ）前記固定されたトポロジーに電気的に相互接続される管理コントローラが、前記ＦＲＵのアウトオブバンド（ＯＯＢ）管理を行なう際に用いるための前記仮想スロットの前記仮想バックプレーン内の特定の場所を示す情報を利用できるようにする回路構成を備える、仮想バックプレーン。
【請求項２】
前記仮想スロットの各々の前記回路構成は、前記仮想スロットの前記特定の場所の情報を記憶するメモリを備える、請求項１に記載の仮想バックプレーン。
【請求項３】
前記メモリは、前記仮想スロットの前記特定の場所の情報を含むプログラマブル読出専用メモリ画像を備える、請求項２に記載の仮想バックプレーン。
【請求項４】
前記回路構成は、前記固定されたトポロジーに電気的に相互接続されるＩ2Ｃデータバ
スを備え、前記回路構成は、前記仮想スロットに電気的に相互接続されるＦＲＵから受信されるシリアルデータ信号をＩ2Ｃ信号に変換する論理を備える、請求項１に記載の仮想
バックプレーン。
【請求項５】
前記回路構成は、前記仮想スロットの１つ以上のステータスを示すように動作可能な複数のインジケータまたは前記仮想スロットにインターフェイスされるＦＲＵを含む、請求項１に記載の仮想バックプレーン。
【請求項６】
前記複数のインジケータは発光ダイオード（ＬＥＤ）を備える、請求項５に記載の仮想バックプレーン。
【請求項７】
前記１つ以上のステータスは、前記仮想スロットにインターフェイスしているＦＲＵ、前記仮想スロットにインターフェイスしているＦＲＵなし、前記スロットにインターフェイスしておりかつ活性であるＦＲＵ、前記ＦＲＵの初期状態から最終状態への適当な遷移、および１つ以上のエラー状態からなる群から選択される、請求項５に記載の仮想バックプレーン。
【請求項８】
各々の仮想スロットは前記回路構成に電気的に相互接続されるコネクタを備え、前記コネクタは、ＦＲＵの対応のコネクタにインターフェイスして前記ＦＲＵと前記仮想スロットおよび前記管理コントローラの両方との間の通信を容易にするように適合される、請求項１に記載の仮想バックプレーン。
【請求項９】
仮想バックプレーンを動作させてコンピューティングラック内の複数のフィールド交換可能ユニット（ＦＲＵ）を管理する方法であって、
仮想バックプレーンの複数の仮想スロットのうち第１の仮想スロットにおいて、前記第１の仮想スロットに電気的にインターフェイスするＦＲＵの存在を検出することと、
前記第１の仮想スロットの回路構成から、検出された存在の警告を前記仮想バックプレーンの集中管理モジュールに送ることと、
前記第１の仮想スロットの前記回路構成により、前記仮想バックプレーンの集中管理モジュールによる使用のために前記仮想バックプレーン内の前記第１の仮想スロットの場所の表示を与えることとを備える、方法。
【請求項１０】
前記第１の仮想スロットの前記回路構成により、検出された前記存在の視覚的表示を生成することをさらに備える、請求項９に記載の方法。
【請求項１１】
前記第１の仮想スロットにおいて、前記第１の仮想スロットから前記ＦＲＵを取外す要求を受信することと、
前記第１の仮想スロットから、取外しの前記要求の表示を前記集中管理モジュールに送ることとをさらに備える、請求項９に記載の方法。
【請求項１２】
前記ＦＲＵから、前記第１の仮想スロットにおいてシリアルデータ通信を受信することと、
前記第１の仮想スロットにおいて、前記第１の仮想スロットの前記回路構成による使用のために、前記シリアルデータ通信をＩ2Ｃプロトコルに変換することとを備える、請求
項９に記載の方法。
【請求項１３】
前記シリアルデータ通信は、前記第１の仮想スロットのメモリから、前記仮想バックプレーン内の前記第１の仮想スロットの前記場所の前記表示を読出す要求である、請求項１２に記載の方法。
【請求項１４】
前記シリアルデータ通信は、前記第１の仮想スロットのメモリから、前記仮想バックプレーン内の前記ＦＲＵの役割の表示を読出す要求である、請求項１２に記載の方法。
【請求項１５】
前記集中管理モジュールによって、読出された前記場所の表示を用いて前記ＦＲＵに関連する１つ以上の管理ルーチンを行なうことをさらに備える、請求項９に記載の方法。
【請求項１６】
前記１つ以上の管理ルーチンはアウトオブバンド（ＯＯＢ）管理ルーチンを備える、請求項１５に記載の方法。
【請求項１７】
前記行なうことは、前記回路構成を通過せずに、ローカルエリアネットワーク（ＬＡＮ）上で前記ＦＲＵと通信することを備える、請求項１５に記載の方法。
【請求項１８】
前記回路構成はＩ2Ｃデータバスを備える、請求項１７に記載の方法。
【請求項１９】
コンピューティングラックに接続される集中管理コントローラによって、コンピューティングラック中の複数の受入れベイのうち１つ内に搭載される複数のフィールド交換可能ユニット（ＦＲＵ）のうち１つのアウトオブバンド（ＯＯＢ）管理を容易にする仮想バックプレーンの仮想スロットであって、
前記仮想バックプレーン内の他の仮想スロットに対する前記仮想スロットの場所を示すデータを記憶するメモリと、場所データへのアクセスを提供するＩ2Ｃデータバスと、シ
リアルデータとＩ2Ｃデータとの間を翻訳する論理とを備える回路基板と、
前記回路基板に電気的に相互接続され、かつＦＲＵの対応するコネクタにインターフェイスして前記集中管理コントローラによる前記ＦＲＵのＯＯＢ管理を可能にするように構成されるコネクタとを備える、仮想スロット。
【請求項２０】
前記Ｉ2Ｃデータバスに電気的に相互接続される１つ以上の視覚的インジケータをさら
に備え、前記１つ以上の視覚的インジケータの各々は、前記ＦＲＵのステータスの変化の際に活性化する、請求項１９に記載の仮想スロット。
【請求項２１】
コンピューティングラックのフィールド交換可能ユニット（ＦＲＵ）に直流（ＤＣ）電力を伝達するためのシステムであって、
整流器を備え、前記整流器は、
それぞれの複数の商用電力電源を受けるための複数の入力ノードと、
ＤＣ電源を出力するための少なくとも１つの出力ノードとを備え、前記システムはさらに
電気バイパス機構を備え、前記電気バイパス機構は、
前記整流器の前記出力ノードに電気的に相互接続される入力ノードと、
第１の出力ノードと、
第２の出力ノードと、
前記入力ノードおよび前記第１の出力ノードを電気的に接続する第１の導電経路と、
ａ）前記電気バイパス機構の前記第１の入力ノードまたは前記第１の導電経路とｂ）前記第２の出力ノードとの間に電気的に相互接続可能な第２の導電経路とを備え、前記システムが１つ以上の商用電力源および／または１つ以上のＤＣ入力電力源を受けるか否かに係わらず、前記第１および第２の出力ノードはそれぞれのＤＣ電圧を出力するように構成される、システム。
【請求項２２】
前記第２の導電経路は取外し可能ジャンパを備える、請求項２１に記載のシステム。
【請求項２３】
前記第２の導電経路に沿って配設されるスイッチをさらに備え、前記スイッチの作動は、前記第２の導電経路に沿った電流の流れを選択的に許すおよび許さない、請求項２１に記載のシステム。
【請求項２４】
前記第１の出力ノードに電気的に相互接続される第１の配電ユニット（ＰＤＵ）と、
前記第２の出力ノードに電気的に相互接続される第２のＰＤＵとをさらに備え、前記第１および第２のＰＤＵの各々は、前記コンピューティングラック内で受けられる複数のＦＲＵにＤＣ電力を伝達するように構成される、請求項２１に記載のシステム。
【請求項２５】
コンピューティングラック内に搭載されるＦＲＵにＤＣ電力を供給するための方法であって、
請求項２４に記載の前記システムの前記第１のＰＤＵを前記ＦＲＵのうち各々の第１のポートに電気的に相互接続することと、
請求項２４に記載の前記システムの前記第２のＰＤＵを前記ＦＲＵのうち各々の第２のポートに電気的に相互接続することとを備える、方法。
【請求項２６】
複数の商用電力源を前記整流器の前記それぞれの複数の入力ノードに電気的に相互接続することをさらに備える、請求項２５に記載の方法。
【請求項２７】
前記第１の導電経路と前記第２の導電経路との間の電流の流れを中断することと、
ＤＣ入力電力源を前記バイパス機構の前記第２の出力ノードまたは前記第２の導電経路に電気的に相互接続することとをさらに備える、請求項２６に記載の方法。
【請求項２８】
前記中断することは、前記バイパス機構の前記第２の導電経路から導体を取外すことを備える、請求項２７に記載の方法。
【請求項２９】
前記中断することは、前記第２の導電経路に沿って配設されるスイッチを操作することを備える、請求項２７に記載の方法。
【請求項３０】
第１のＤＣ入力電力源を前記バイパス機構の前記第１の導電経路または前記第１の出力ノードの１つに電気的に相互接続することと、
第２のＤＣ入力電力源を前記バイパス機構の前記第２の導電経路または前記第２の出力ノードの１つに電気的に相互接続することとをさらに備える、請求項２５に記載の方法。
【請求項３１】
セットアップであって、
キャビネットのフレームワーク内に配置される複数の受入れベイを備えるキャビネットと、
前記フレームワークに固着される第１および第２の直流（ＤＣ）配電ユニット（ＰＤＵ）とを備え、前記第１および第２のＤＣ  ＰＤＵの各々は、前記複数の受入れベイ内に搭載されるフィールド交換可能ユニット（ＦＲＵ）にＤＣ電力を分配するように構成され、さらに
前記第１および第２のＰＤＵに電気的に接続される装置を備え、前記装置は、ＡＣ入力電力源およびＤＣ入力電力源の一方または両方を受け、かつＤＣ電圧を前記第１および第２のＤＣ  ＰＤＵの各々に出力する、セットアップ。
【請求項３２】
前記装置は、
前記ＡＣ入力電力源を受けかつ整流するための整流器と、
整流された前記ＡＣ電力源および／または前記ＤＣ入力電力源を受けるためのバイパス機構とを備え、前記バイパス機構は、前記整流器を前記第１のおよび／または第２のＤＣ
ＰＤＵに電気的に相互接続する、請求項３１に記載のセットアップ。
【請求項３３】
前記バイパス機構は、
前記整流器に電気的に接続される入力ノードと、
前記第１および第２のＤＣ  ＰＤＵにそれぞれ電気的に接続される第１および第２の出力ノードと、
前記入力ノードと前記第１および第２の出力ノードとの間の回路構成とを備え、前記回路構成は、前記整流されたＡＣ電力源および／またはＤＣ入力電力源が前記バイパス機構に与えられるか否かに依存して、前記第１および第２のＤＣ  ＰＤＵの各々に前記ＤＣ電圧を供給するようにそれぞれ操作可能である、請求項３２に記載のセットアップ。
【請求項３４】
前記回路構成は、
前記入力ノードおよび前記第１の出力ノードを電気的に接続する第１の導電経路と、
ａ）前記第１の入力ノードまたは前記第１の導電経路とｂ）前記第２の出力ノードとの間に電気的に相互接続可能な第２の導電経路とを備える、請求項３３に記載のセットアップ。
【請求項３５】
前記複数の受入れベイの各々は、前記受入れベイの後方部分に隣接する前記フレームワークに固定されるそれぞれの電気コネクタを備え、前記第１および第２のＰＤＵの各々は前記複数の電気コネクタの各々に電気的に接続され、前記複数の受入れベイのうち各々の前記電気コネクタは、前記受入れベイ内に搭載されるそれぞれのＦＲＵの対応の電気コネクタにインターフェイスして前記ＦＲＵを前記第１および第２のＰＤＵに電気的に相互接続するように構成される、請求項３１に記載のセットアップ。
【請求項３６】
ＡＣおよび／または直流（ＤＣ）入力電力源を用いて、コンピューティングラックの複数のフィールド交換可能ユニット（ＦＲＵ）にＤＣ電圧を伝達するための方法であって、
前記複数のＦＲＵの各々を第１および第２のＤＣ配電ユニット（ＰＤＵ）の各々に電気的に接続することと、
前記第１および第２のＤＣ  ＰＤＵの各々を電力変換装置の出力に電気的に接続することと、
前記ＡＣ入力電力源を前記電力変換装置の入力に電気的に接続すること、または
前記ＤＣ入力電力源を前記電力変換装置の前記出力に電気的に接続することのうち少なくとも１つを行なうこととを備え、前記電力変換装置は、前記行なうことに応答して、前記ＤＣ電圧を前記第１および第２のＤＣ  ＰＤＵの各々に伝達する、方法。
【請求項３７】
前記行なうことは、前記ＡＣ入力電力源を前記電力変換装置の前記入力に電気的に接続することのみを備え、前記方法は、
前記ＡＣ入力電力源を前記ＤＣ電圧に整流することと、
前記電力変換装置の前記出力を介して前記ＤＣ電圧を前記第１および第２のＤＣ  ＰＤＵに伝達することとをさらに備える、請求項３６に記載の方法。
【請求項３８】
前記ＡＣ入力電力源は少なくとも１つの商用電力源を備える、請求項３７に記載の方法。
【請求項３９】
前記行なうことは、前記ＤＣ入力電力源を前記電力変換装置の前記出力に電気的に接続することのみを備え、前記ＤＣ入力電力源を前記電力変換装置の前記出力に電気的に接続することは、
第１のＤＣ入力電力源を前記電力変換装置の前記出力の第１の出力ノードに電気的に接続することと、
第２のＤＣ入力電力源を前記電力変換装置の前記出力の第２の出力ノードに電気的に接続することとを備える、請求項３７に記載の方法。
【請求項４０】
前記行なうことは、前記ＡＣ入力電力源を前記電力変換装置の入力に電気的に接続することと、前記ＤＣ入力電力源を前記電力変換装置の前記出力に電気的に接続することとを備え、前記ＡＣ入力電力源を前記電力変換装置の前記入力に電気的に接続することは、前記ＡＣ入力電力源を第１のＤＣ電圧に整流することと、前記電力変換装置の前記出力の第１の出力ノードを介して前記第１のＤＣ電圧を前記第１のＤＣ  ＰＤＵに伝達することとを備え、前記ＤＣ入力電力源を前記電力変換装置の前記出力に電気的に接続することは、前記ＤＣ入力電力源を前記出力の第２の出力ノードに電気的に接続することと、前記電力変換装置の前記出力の前記第２の出力ノードを介して第２のＤＣ電圧を前記第２のＤＣ  ＰＤＵに伝達することとを備える、請求項３７に記載の方法。
【請求項４１】
コンピューティングラック中のブレードシャーシのバックプレーンを実現するための固定された相互接続トポロジーであって、
複数の第１の種類の通信ケーブルを備え、前記複数の第１の種類の通信ケーブルの各々は、共通の第１の場所から複数の固定された場所のそれぞれ１つに延在し、前記複数の第１の種類の通信ケーブルは前記固定された相互接続トポロジーの第１の通信ネットワークを形成し、さらに
複数の第２の種類の通信ケーブルを備え、前記複数の第２の種類の通信ケーブルの各々は、前記共通の第１の場所から前記複数の固定された場所のそれぞれ１つに延在し、前記複数の第２の種類の通信ケーブルは前記固定された相互接続トポロジーの第２の通信ネットワークを形成し、さらに
複数の電力ケーブルを備え、前記複数の電力ケーブルの各々は、共通の第２の場所から前記複数の固定された場所のそれぞれ１つに延在する、固定された相互接続トポロジー。
【請求項４２】
前記共通の第１の場所は集中管理サーバを備え、前記複数の第１および第２の種類の通信ケーブルのうち各々の複数の第１の端の各々は、前記集中管理サーバの複数の第１および第２の種類のインターフェイスのうちそれぞれ１つに相互接続される、請求項４１に記載の固定された相互接続トポロジー。
【請求項４３】
前記複数の第１の種類のインターフェイスはＩ2Ｃデータポートを備え、前記複数の第
２の種類のインターフェイスはイーサネット（登録商標）ポートを備える、請求項４２に記載の固定された相互接続トポロジー。
【請求項４４】
前記複数の第１の種類の通信ケーブルのうち各々の複数の対向する第２の端の各々は、
前記複数の固定された場所にある複数のメモリのうちそれぞれ１つに相互接続され、前記複数のメモリの各々は、前記固定された相互接続トポロジー内の前記それぞれの固定された場所を示すデータを記憶し、前記集中管理サーバは、前記第１の種類の通信ケーブルのうち１つを利用して、少なくとも１つの種類の管理が行なわれるべき電気的に接続された複数のフィールド交換可能ユニット（ＦＲＵ）のうち少なくとも第１のＦＲＵの前記複数のメモリの前記それぞれ１つから前記固定された場所データを読出す、請求項４２に記載の固定された相互接続トポロジー。
【請求項４５】
前記少なくとも１つの種類の管理はアウトオブバンド管理を備える、請求項４４に記載の固定された相互接続トポロジー。
【請求項４６】
前記複数の第２の種類の通信ケーブルのうち各々の複数の対向する第２の端の各々は、前記複数の固定された場所にある複数の第１のコネクタのそれぞれ１つに接続され、前記複数のコネクタの各々は、前記複数のＦＲＵのうち１つの対応するそれぞれの第２のコネクタに電気的に相互接続可能であり、前記固定された相互接続トポロジーのラックマネージャは、前記第２の通信ネットワークを利用して、前記それぞれの第１および第２のコネクタを介して前記第１のＦＲＵの前記少なくとも１つの種類の管理を行なう、請求項４４に記載の固定された相互接続トポロジー。
【請求項４７】
前記複数のメモリの各々は前記複数の第１のコネクタのそれぞれ１つに電気的に接続され、前記複数のＦＲＵの各々は、前記複数のメモリのそれぞれ１つにアクセスして、前記それぞれの第１および第２のコネクタを介して、前記メモリに記憶される情報を読出す、請求項４６に記載の固定された相互接続トポロジー。
【請求項４８】
前記情報は、前記複数のＦＲＵのうちの前記ＦＲＵの役割を備える、請求項４７に記載の固定された相互接続トポロジー。
【請求項４９】
前記役割は、前記ラックマネージャまたは前記ラックマネージャに従属するワーカデバイスを備える、請求項４８に記載の固定された相互接続トポロジー。
【請求項５０】
システムであって、
複数の記憶ベイを規定するフレームワークを備えるコンピューティングラックと、
請求項４１に記載の前記固定された相互接続トポロジーとを備え、前記複数の固定された場所の各々は前記複数の記憶ベイのそれぞれ１つの後方を備える、システム。
【請求項５１】
コンピューティングラックの複数の受入れベイ内に後で受けられる複数のフィールド交換可能ユニット（ＦＲＵ）の集中管理を可能にするようにコンピューティングラックを予め配線する方法であって、
複数のＩ2Ｃケーブルのうち各々の第１の端を集中コンピューティングデバイスに電気
的に相互接続することと、
前記複数のＩ2Ｃケーブルのうち各々の第２の端を複数の回路基板のそれぞれ１つに電
気的に相互接続することと、
前記コンピューティングラックの前記複数の受入れベイのそれぞれ１つに隣接する前記複数の回路基板の各々を固着することとを備え、前記集中コンピューティングデバイスは、前記受入れベイの前記それぞれ１つ内に固着されるＦＲＵに関連する１つ以上の管理ルーチンを行なう際に用いるために、前記複数のＩ2Ｃケーブルのうち１つおよび前記受入
れベイに隣接して固着される前記複数の回路基板のうち１つを介して、前記コンピューティングラック内の前記受入れベイのそれぞれ１つの物理的場所を示すデータを取得する、方法。
【請求項５２】
複数のネットワークケーブルのうち各々の第１の端を前記集中コンピューティングデバイスに電気的に相互接続することと、
前記複数のネットワークケーブルのうち各々の第２の端を複数のコネクタのそれぞれ１つに電気的に相互接続することと、
前記複数のコネクタの各々を前記複数の回路基板のそれぞれ１つに電気的に相互接続することとをさらに備える、請求項５１に記載の方法。
【請求項５３】
複数の電力ケーブルのうち各々の第１の端を配電ユニットに電気的に相互接続することと、
前記複数の電力ケーブルのうち各々の第２の端を前記コネクタのそれぞれ１つに電気的に相互接続することとをさらに備える、請求項５２に記載の方法。
【請求項５４】
前記複数のコネクタはブラインド接合コネクタを備える、請求項５３に記載の方法。
【請求項５５】
前記複数の回路基板の各々は、前記コンピューティングラックの前記複数の受入れベイのそれぞれ１つの後方部分に隣接して固着され、前記複数の受入れベイの各々は前記受入れベイの対向する前方部分を介してそれぞれのＦＲＵを受けるように構成される、請求項５３に記載の方法。
【請求項５６】
方法であって、
請求項５５に記載の前記複数の受入れベイのうち１つの中にＦＲＵを挿入することと、
前記ＦＲＵのコネクタを前記複数の受入れベイのうち前記１つの前記それぞれのコネクタに電気的に相互接続することと、
前記それぞれのコネクタを介して前記ＦＲＵを管理することとを備える、方法。
【請求項５７】
前記管理することは、
前記ＦＲＵが前記回路基板に電気的に接続されていることを、前記Ｉ2Ｃケーブルの前
記それぞれ１つを介して前記複数の受入れベイのうち前記１つの前記回路基板から前記集中コンピューティングデバイスに通知することと、
前記集中コンピューティングデバイスによって、前記複数のＩ2Ｃケーブルの前記それ
ぞれ１つを介して前記回路基板のメモリを読出して、前記コンピューティングラック内の前記受入れベイのうち前記１つの固定された場所を判断することと、
前記複数のネットワークケーブルを介して、前記固定された場所に関してラックマネージャに警告することと、
前記ラックマネージャにより、前記複数のネットワークケーブルおよび前記それぞれのコネクタを介して前記ＦＲＵを管理することとを備える、請求項５６に記載の方法。
【請求項５８】
コンピューティングラック内に実現される仮想バックプレーンであって、
各々が対向する第１および第２の端を備える複数のＩ2Ｃケーブルを備え、前記複数の
Ｉ2Ｃケーブルのうち各々の前記第１の端は集中コンピューティングデバイスに電気的に
接続され、前記複数のＩ2Ｃケーブルのうち各々の前記第２の端は前記コンピューティン
グラックの複数の受入れベイのうち隣接する１つにそれぞれ固着される複数の回路基板の１つに電気的に接続され、さらに、
各々が対向する第１および第２の端を備える複数の電力ケーブルを備え、前記複数の電力ケーブルのうち各々の前記第１の端は配電ユニットに電気的に接続され、前記電力ケーブルのうち各々の前記第２の端は前記複数の回路基板の１つにそれぞれ電気的に接続される複数のコネクタの１つに電気的に接続される、仮想バックプレーン。
【請求項５９】
各々が対向する第１および第２の端を備える複数のネットワークケーブルをさらに備え、前記複数のネットワークケーブルのうち各々の前記第１の端はネットワークスイッチに
電気的に接続され、前記ネットワークケーブルのうち各々の前記第２の端は前記複数の回路基板の１つにそれぞれ電気的に接続される前記複数のコネクタの１つに電気的に接続される、請求項５８に記載の仮想バックプレーン。
【請求項６０】
前記複数のネットワークケーブルの各々は、前記複数の回路基板のそれぞれ１つの通過回路に電気的に相互接続される、請求項５９に記載の仮想バックプレーン。
【請求項６１】
コンピューティングラックの受入れベイ内に搭載される複数のフィールド交換可能ユニット（ＦＲＵ）を管理する際に用いるための方法であって、
管理コントローラにおいて、管理コントローラと前記コンピューティングラックの複数の前記受入れベイのうち各々の回路基板との間に接続される複数のＩ2Ｃデータ線の１つ
の上で、第１のＦＲＵが前記Ｉ2Ｃデータ線の前記１つが接続される前記複数の受入れベ
イの前記１つの中に挿入されるまたは前記１つから取外されるべきであるという信号を受信することと、
前記管理コントローラにより、前記受信した信号に応答して前記複数のＩ2Ｃデータ線
の前記１つ上で、前記Ｉ2Ｃデータ線の前記１つに接続される前記複数の回路基板の前記
それぞれ１つのメモリを読出して、前記コンピューティングラック内の前記第１のＦＲＵの地理的場所データを判断することと、
前記管理コントローラにより、前記地理的場所データを用いて、前記第１のＦＲＵのための１つ以上のアウトオブバンド（ＯＯＢ）管理ルーチンを行なうこととを備える、方法。
【請求項６２】
前記行なうことは、前記管理コントローラに関連付けられるメモリから前記地理的場所データに対応する管理記録を取得することと、
前記管理コントローラによって、前記取得した管理記録を用いて前記第１のＦＲＵを管理することとを備える、請求項６１に記載の方法。
【請求項６３】
前記管理することは、前記管理コントローラにおいて、前記第１のＦＲＵから前記第１のＦＲＵの第１のプロパティを受信することと、
前記管理コントローラによって、前記受信した第１のプロパティに関連して、前記取得した管理記録を評価することと、
前記管理コントローラによって、前記評価することの結果に基づいて少なくとも１つの行為を行なうこととを備える、請求項６２に記載の方法。
【請求項６４】
前記管理することは、前記管理コントローラによって、前記管理コントローラと前記コンピューティングラックの前記複数の受入れベイのうち前記１つの前記回路基板との間に接続されるネットワークデータ線上を前記第１のＦＲＵのアウトオブバンド（ＯＯＢ）サービスプロセッサと通信して、前記読出した情報を用いて前記第１のＦＲＵのための前記１つ以上のＯＯＢ管理ルーチンを行なうことを備える、請求項６２に記載の方法。
【請求項６５】
前記ネットワークデータ線は前記複数の受入れベイの前記１つの前記回路基板の通過回路に接続される、請求項６４に記載の方法。
【請求項６６】
前記管理することは、前記第１のＦＲＵをオンラインにすることと、前記第１のＦＲＵをオフラインにすることと、前記第１のＦＲＵに関連の電力および／または冷却パラメータを検証することと、のうち少なくとも１つを行なうことを含む、請求項６２に記載の方法。
【請求項６７】
前記管理コントローラによって、前記行なうことに基づいて、前記コンピューティングラックの前記複数の受入れベイの１つまたは前記管理コントローラに隣接して常駐する１
つ以上のインジケータを制御することをさらに備える、請求項６１に記載の方法。
【請求項６８】
前記インジケータは１つ以上の発光ダイオード（ＬＥＤ）を備える、請求項６７に記載の方法。
【請求項６９】
前記制御することは、前記１つ以上のインジケータをオンもしくはオフにすること、または前記１つ以上のインジケータの色を変えることのうち少なくとも１つを含む、請求項６７に記載の方法。
【請求項７０】
前記受信した信号は、前記複数の受入れベイの前記１つの中へのまたは前記１つからの前記第１のＦＲＵの前記挿入または取外しに関連付けられる前記複数の回路基板の前記１つによって生成される割込を備える、請求項６１に記載の方法。
【請求項７１】
前記管理コントローラは前記コンピューティングラック上に常駐するサーバ中に実現される、請求項６１に記載の方法。
【請求項７２】
コンピューティングラックの複数の受入れベイ内に搭載される複数のフィールド交換可能ユニット（ＦＲＵ）とともに用いるための方法であって、
前記コンピューティングラックの管理コントローラのメモリを読出して、前記管理コントローラと前記複数の受入れベイの各々に隣接してそれぞれ固定される複数の受入れ構造の各々との間に電気的に接続されることが予測される複数の通信線の物理的トポロジーを取得することを備え、前記複数の受入れ構造の各々は前記複数のＦＲＵの１つにインターフェイスするように適合され、さらに
前記管理コントローラによって、読出した前記物理的トポロジーに従って前記管理コントローラと前記複数の受入れ構造の各々との間に前記複数の通信線の各々が電気的に接続されているか否かを確定することを備える、方法。
【請求項７３】
前記確定することは、
前記管理コントローラから前記複数の通信線上で複数の信号を送ることと、
前記読出した物理的トポロジー中の前記複数の通信線の前記１つにそれぞれ関連付けられる前記複数の受入れ構造の前記１つによって前記複数の信号の各々の受信を検証することとを備える、請求項７２に記載の方法。
【請求項７４】
前記受入れ構造は前記コンピューティングラック内に特定の順序でそれぞれ物理的に位置し、前記複数の信号の各々は、前記読出したトポロジーから、前記コンピューティングラック内の前記受入れ構造の前記特定の順序に関連付けられることが予測される前記複数の通信線の前記１つ上で順次送られる、請求項７３に記載の方法。
【請求項７５】
前記コンピューティングラック内の受入れ構造の前記特定の順序は、前記コンピューティングラックの頂部または底部からの距離の関数としてである、請求項７４に記載の方法。
【請求項７６】
前記複数の受入れ構造の各々は、前記複数の通信線の少なくとも１つに電気的に接続されるように適合される少なくとも１つのインジケータを備え、前記検証することは、前記複数の受入れ構造のうち各々の前記複数のインジケータの各々が前記複数の信号の受信に応答して前記コンピューティングラック内の前記受入れ構造の前記特定の順序に従って活性化するのを確認することを備える、請求項７４に記載の方法。
【請求項７７】
前記少なくとも１つのインジケータの各々はＬＥＤを備える、請求項７６に記載の方法。
【請求項７８】
前記読出した物理的トポロジーに従って、前記管理コントローラと前記複数の受入れ構造のうち１つ以上との間に前記複数の通信線の少なくとも１つが電気的に相互接続されていないと判断することと、
前記判断することに基づいて信号を生成することとをさらに備える、請求項７２に記載の方法。
【請求項７９】
コンピューティングラック中のラック搭載機器の集中ＯＯＢ管理を可能にするアウトオブバンド（ＯＯＢ）サービスマネージャモジュールであって、
サービスプロセッサモジュールと、
前記サービスプロセッサモジュールに相互接続されかつ複数の汎用入力／出力（ＧＰＩＯ）ピンを含むＩ2Ｃデータバスとを備え、前記複数のＧＰＩＯピンの各々は、複数のＩ2Ｃデータ線の少なくとも１つの上で、前記コンピューティングラックのそれぞれ複数の受入れベイに隣接する固定された場所に配設される複数の回路基板の１つへおよび当該１つからＩ2Ｃ信号を送信および受信するように構成され、さらに
前記サービスプロセッサに相互接続される複数のネットワークポートを備え、前記複数のネットワークポートの各々は、前記複数の回路基板のそれぞれの通過回路を介して、前記複数の受入れベイ内にそれぞれ搭載される複数個のラック搭載機器へおよび当該複数個のラック搭載機器からデータを送信および受信するように構成され、さらに
前記ＯＯＢサービスマネージャモジュールと前記複数の回路基板との間の接続の物理的トポロジー定義を記憶するメモリを備え、前記物理的トポロジー定義は、前記コンピューティングラック内の前記回路基板のうち各々の固定された場所を示すデータを備え、前記サービスプロセッサモジュールは、前記物理的トポロジー定義を利用して、前記コンピューティングラックの前記複数の受入れベイ内にそれぞれ搭載される前記複数個のラック搭載機器の集中ＯＯＢ管理を行なう、アウトオブバンド（ＯＯＢ）サービスマネージャモジュール。
【請求項８０】
前記Ｉ2Ｃデータバスに相互接続され、かつ前記ＯＯＢサービスマネージャモジュール
または前記複数個のラック搭載機器の１つ以上のステータスに基づいて活性化するように構成される複数のインジケータをさらに備える、請求項７９に記載のＯＯＢサービスマネージャモジュール。
【請求項８１】
１つ以上のフィールド交換可能ユニット（ＦＲＵ）をコンピューティングラック内の少なくとも１つの電力源および少なくとも１つの通信ネットワークに電気的に相互接続するための方法であって、
コンピューティングラックの受入れベイ中にＦＲＵを受けることを備え、前記ＦＲＵは前記ＦＲＵの後方部分に隣接して固定されるコネクタ配置を備え、前記コネクタ配置は、前記ＦＲＵの少なくとも１つの電力ポートおよび少なくとも１つの通信ポートに電気的に相互接続され、さらに
前記受けることの少なくとも一部の際に、前記ＦＲＵコネクタ配置を、前記コンピューティングラックの前記受入れベイの後方部分に隣接して固定される補助コネクタ配置にインターフェイスすることを備え、前記補助コネクタ配置は、前記コンピューティングラック内の少なくとも１つの電力源および少なくとも１つの通信ネットワークに電気的に相互接続され、前記インターフェイスすることは、前記ＦＲＵを前記コンピューティングラック内の前記少なくとも１つの電力源および少なくとも１つの通信ネットワークに電気的に相互接続する、方法。
【請求項８２】
前記ＦＲＵコネクタ配置および前記補助コネクタ配置の各々は、ブラインド接合コネクタと前記ブラインド接合コネクタから離間される機械的コネクタとを備え、前記インターフェイスすることは、
前記ＦＲＵコネクタ配置の前記ブラインド接合コネクタを前記補助コネクタ配置の前記ブラインド接合コネクタに接触させて、前記ＦＲＵを前記コンピューティングラック内の前記少なくとも１つの電力源および少なくとも１つの通信ネットワークに電気的に相互接続することと、
前記ＦＲＵコネクタ配置の前記機械的コネクタを前記補助コネクタ配置の前記機械的コネクタに接触させて、前記ＦＲＵコネクタ配置の前記ブラインド接合コネクタを前記補助コネクタ配置の前記ブラインド接合コネクタと整列させることとを備える、請求項８１に記載の方法。
【請求項８３】
前記機械的コネクタの前記接触は前記ブラインド接合コネクタを接触させることの前に行なわれる、請求項８２に記載の方法。
【請求項８４】
前記コンピューティングラックは、前記コンピューティングラックの少なくとも１つの寸法に沿って配置される複数の受入れベイを備え、前記複数の受入れベイのうち各々の後方部分は、それぞれのＦＲＵコネクタ配置にインターフェイスするように構成されるそれぞれの補助コネクタ配置を備える、請求項８１に記載の方法。
【請求項８５】
前記受けることは、前記コンピューティングラックのレールアセンブリを用いて前記ＦＲＵを前記受入れベイの中に摺動可能に受けることを備え、前記インターフェイスすることは、前記摺動可能に受けることの少なくとも一部の際に行なわれる、請求項８１に記載の方法。
【請求項８６】
前記ＦＲＵコネクタ配置と前記ＦＲＵの前記少なくとも１つのそれぞれの電力ポートおよび通信ポートとの間に少なくとも第１および第２のケーブルを固着して、前記ＦＲＵコネクタ配置を前記ＦＲＵの前記少なくとも１つの電力ポートおよび少なくとも１つの通信ポートに電気的に相互接続することをさらに備える、請求項８１に記載の方法。
【請求項８７】
少なくとも１つのケーブルは、前記補助コネクタ配置と前記コンピューティングラックの集中管理コントローラとの間に固着され、前記方法はさらに、前記集中管理コントローラによって、前記少なくとも１つのケーブルを介して、前記インターフェイスすることの際に、前記コンピューティングラック内の前記ＦＲＵの存在を検出することを備える、請求項８１に記載の方法。
【請求項８８】
前記検出することの後に、前記集中管理コントローラによって、前記ＦＲＵの前記コンピューティングラック内の地理的場所を判断することをさらに備える、請求項８７に記載の方法。
【請求項８９】
前記ＦＲＵは第１のＦＲＵを備え、前記受入れベイは第１の受入れベイを備え、前記方法はさらに、
前記コンピューティングラックの第２の受入れベイの中に第２のＦＲＵを受けることを備え、前記第２のＦＲＵは少なくとも１つの点で第１のＦＲＵとは異なり、前記第２のＦＲＵは前記第２のＦＲＵの後方部分に隣接して固定されるコネクタ配置を備え、前記コネクタ配置は前記第２のＦＲＵの少なくとも１つの電力ポートおよび少なくとも１つの通信ポートに電気的に相互接続され、さらに、
前記受けることの少なくとも一部の際に、前記第２のＦＲＵコネクタ配置を前記コンピューティングラックの前記第２の受入れベイの後方部分に隣接して固定される補助コネクタ配置にインターフェイスすることを備え、前記補助コネクタ配置は前記コンピューティングラック内の少なくとも１つの電力源および少なくとも１つの通信ネットワークに電気的に相互接続され、前記インターフェイスすることは、前記第２のＦＲＵを前記コンピューティングラック内の前記少なくとも１つの電力源および少なくとも１つの通信ネットワ
ークに電気的に相互接続する、請求項８１に記載の方法。
【請求項９０】
前記少なくとも１つの点は、フォームファクタ、電力要件、または冷却要件のうち少なくとも１つを備える、請求項８９に記載の方法。
【請求項９１】
フィールド交換可能ユニット（ＦＲＵ）をコンピューティングラックのアウトオブバンド（ＯＯＢ）管理ネットワークに自動的に相互接続するためのシステムであって、前記コンピューティングラックは複数のＦＲＵを受けるための複数の受入れベイを含み、前記システムは、
前記コンピューティングラックの前記複数の受入れベイの１つに隣接する補助レール部材に対して摺動するように構成されるレール部材を備え、前記レール部材は、前記レール部材を前記ＦＲＵの側方部分に固定して固着するための複数の装着構成要素を備え、前記システムはさらに、
前記ＦＲＵが前記コンピューティングラックの前記ＯＯＢ管理ネットワークにブラインド接合して電気的に相互接続できるようにする、レール部材に固着されるアダプタを備え、前記アダプタは、
前記レール部材に固定して固着される搭載ブラケットと、
前記搭載ブラケットから延在する装着部材とを備え、前記装着部材は第１のブラインド接合コネクタを受けるように構成され、前記第１のブラインド接合コネクタは、前記レール部材が前記補助レール部材に対して摺動すると、前記複数の受入れベイのうち前記１つの後方に隣接して固着される補助の第２のブラインド接合コネクタにインターフェイスするように構成される、システム。
【請求項９２】
前記装着部材は、前記第１のブラインド接合コネクタを受けるようにサイズ決めされる第１の開口をその中に備える、請求項９１に記載のシステム。
【請求項９３】
前記装着部材は、前記第２のブラインド接合コネクタに隣接して固着される整列ピンを受けるようにサイズ決めされる第２の開口をその中に備える、請求項９２に記載のシステム。
【請求項９４】
前記搭載部材は第１の搭載部材を備え、前記アダプタは前記ＦＲＵの前記側方部分の固定された固着のための第２の搭載部材をさらに備える、請求項９１に記載のシステム。
【請求項９５】
前記第２の搭載部材は前記レール部材から離間される、請求項９４に記載のシステム。
【請求項９６】
請求項９１に記載の第１のシステムを用いて、第１のＦＲＵをコンピューティングラックの第１の受入れベイの中に挿入し、かつ前記第１のＦＲＵを前記コンピューティングラックのＯＯＢ管理ネットワークに電気的に相互接続することを備える、方法。
【請求項９７】
請求項９１に記載の第２のシステムを用いて、第２のＦＲＵを前記コンピューティングラックの第２の受入れベイの中に挿入し、かつ前記第２のＦＲＵを前記コンピューティングラックの前記ＯＯＢ管理ネットワークに電気的に相互接続することをさらに備え、前記第１および第２のシステムは実質的に同一であり、前記第１および第２のＦＲＵは少なくとも１つの点において異なる、請求項９６に記載の方法。
【請求項９８】
前記少なくとも１つの点は、フォームファクタ、電力要件、または冷却要件のうち少なくとも１つを備える、請求項９７に記載の方法。
【請求項９９】
コンピューティングラックの受入れベイの中へのブラインド接合電気接続のために適合されるフィールド交換可能ユニット（ＦＲＵ）であって、
対向する頂部および底部、対向する第１および第２の側方部分、ならびに対向する前方および後方部分を備える筐体と、
前記筐体の前記第１および第２の側方部分にそれぞれ固着される第１および第２の摺動レール部材とを備え、前記第１および第２の摺動レール部材の各々は、前記受入れベイの側方部分に隣接して固着される補助摺動レール部材にインターフェイスするように構成され、さらに
搭載部分および装着部分を備えるアダプタブラケットを備え、前記搭載部分は前記筐体に対して動かないように固着され、前記装着部分は前記筐体の前記後方部分から離間され、さらに
前記アダプタブラケットの前記装着部分に固着されるブラインド接合コネクタと、
複数のケーブルとを備え、前記複数のケーブルの第１のケーブルは、前記筐体中で前記ブラインド接合コネクタと電力ポートとの間に電気的に相互接続され、前記複数のケーブルの第２のケーブルは、前記筐体の前記ブラインド接合コネクタと通信ポートとの間に電気的に相互接続され、前記ＦＲＵの前記ブラインド接合コネクタは、前記受入れベイの後方に隣接して固着される補助ブラインド接合コネクタにインターフェイスするように構成される一方で、前記第１および第２の摺動レール部材は、前記受入れベイの補助摺動レール部材に対して摺動して、前記ＦＲＵを前記コンピューティングラックの管理ネットワークに電気的に相互接続する、フィールド交換可能ユニット（ＦＲＵ）。
【請求項１００】
前記搭載部分は前記第１および第２の摺動レール部材の１つに固着される、請求項９９に記載のＦＲＵ。
【発明の詳細な説明】
【技術分野】
【０００１】
発明の分野
本発明は一般的に、ラックまたはキャビネットなどのフレーム構造内に搭載されるフィールド交換可能ユニット（ＦＲＵ：field replaceable unit）の管理に関し、より具体的には、ブレードまたはシャーシベースのコンピューティングシステムの向上した可用性および保守性をラックベースのコンピューティングシステムにもたらすシステムおよび方法に関する。
【背景技術】
【０００２】
背景技術
ラックに搭載されるサーバ（ＲＭＳ）およびブレードコンピュートシステムの両方における「アウトオブバンド」（ＯＯＢ：out of band）管理（たとえば、ＦＲＵディスカバ
リー（discovery）などの存在検出、在庫監査、動力サイクルおよびＣＰＵリセットの活
性化など）のためのインテリジェントプラットフォーム管理インターフェイス（ＩＰＭＩ：Intelligent Platform Management Interface）の使用において、近年大きな進歩があ
った。ＩＰＭＩは、システムコントローラまたは（たとえば、管理ソフトウェアを含む）マネージャと管理されている１つ以上の一意のデバイス（たとえば、１つ以上のＦＲＵ）との間の通信を容易にするアーキテクチャまたはプロトコルを提供する業界標準コンピュータシステム技術である。
【０００３】
コンピューティングキャビネットまたはラックは、複数のＦＲＵまたは関連の構成要素（たとえば、ラックに搭載されるサーバ、配電ユニット、またはバックアップデバイスなど）を保持するように設計される、標準化されたフレームである。一般的に、コンピューティングラックは、水平方向部材およびレールアセンブリを固着して、ＦＲＵを受けるための複数の受入れベイを規定することができる多数の（たとえば、２本、４本の）鉛直方向レールまたは柱を含む。さまざまな種類およびサイズのＦＲＵがラックシステム内に設置されて、１ラック単位（Ｕ）の倍数としての標準化された高さをしばしば有してもよい。たとえば、業界標準ラックシステムはしばしば、１８Ｕ、２２Ｕ、３６Ｕ、４２Ｕなどの高さである。高い可用性環境（たとえば、電気通信システム）では、フレーム構成のＦＲＵの組（たとえば、コンピューティングデバイス、関連の構成要素など）は、単一のＦＲＵのアドミニストレーションと機能的に両立する単一のコンピュートシステムとしてアドミニストレーションされる。
【０００４】
より最近では、「ブレードエンクロージャ」またはシャーシ（たとえば、この場合、ブレードサーバおよびエンクロージャは「ブレードシステム」と総称される）と称されるコンパートメントまたは構造内に典型的に設置されるブレードサーバなどのＦＲＵが用いられている。ブレードエンクロージャはブレードサーバのすべてが相互接続されているミッドプレーンを含み、設置されたブレードサーバに電力、冷却、相互接続、管理などの多数の非コアコンピューティングサービスを提供する。すなわち、設置されたブレードサーバは、ブレードエンクロージャによって提供されるそのような非コアコンピューティングサービスをまとめて共有する。たとえば、ブレードエンクロージャは、液体冷却システムをインテリジェントに調整してブレードサーバの冷却要件を満たすように機能する任意の適切な制御ソフトウェアまたは論理を含むシステムコントローラまたはマネージャを有してもよい。また、システムコントローラは、エンクロージャ内でブレードを「ホットスワップ」する能力（すなわち、エンクロージャの電源を切る必要なしに、必要に応じてユニットを追加する、取外す、および交換する能力）を容易にする。高度電気通信コンピューティングアーキテクチャ（ＡＴＣＡ：Advanced Telecommunications Computing Architectu
re）は、（たとえば、フォームファクタなどに関連して）ブレードおよびシャーシの要件に目標を定めた一連の仕様を含むオープン業界標準である。
【発明の概要】
【課題を解決するための手段】
【０００５】
発明の開示
ブレードシステムは有利には、統一された管理サービスを用いることによるほぼ１００％の使用可能時間または可用性、冗長性または可用性（たとえば、第１のブレードサーバがダウンすると、第２のブレードサーバが引継いで、第１のブレードサーバが交換されるまで他のブレードサーバに対する割込みなしにシステムを維持することができる）、迅速な障害の切離し、短い平均修復時間、構成要素へのミッドプレーン管理経路、固定されたＦＲＵ場所および構成、ケーブル配線の低減、電力およびサイズ要件などを提供する。しかしながら、ブレードエンクロージャおよび設置されたブレードサーバは典型的には独自の設計である。すなわち、通常、特定のブレードエンクロージャは特定の種類のブレードサーバしか受付けないように設計されるため、ブレードエンクロージャ内に設置されるブレードサーバのすべてはフォームファクタ、コネクタなどが同じである。このように、以上で論じたブレードシステムの利点および利益は、独自のブレードエンクロージャ内に設置される共通の種類のＦＲＵに本来的に限定されてしまう。さらに、ブレードシステムは典型的に、固定された電力の見積り（budget）、冷却能力などを有する。将来的なブレード設計への改良が可能であるかもしれないが、任意のそのような将来のブレードは、電力および冷却についての元のブレード設計シャーシによって限定されてしまうであろう。
【０００６】
発明者らは、ラックベースシステムに、（以上で論じた向上した可用性および保守性などの）ブレードまたはシャーシベースのコンピューティングシステムの利益の多く、しかしブレードベースのシステムの制限のすべてまたは多くが存在しない、をもたらすことが望ましいであろうと判断した。換言すると、発明者らは、ラックベースシステム内の（たとえば、数多くの異なるフォームファクタ、電力および冷却要件などを有する）数多くの異なるＦＲＵであり得るものの集中ＯＯＢ管理を（たとえば、再起動、シャットダウン、電力オン、ファン速度、電力および冷却モニタ、ホットスワップなどに関連して）シームレスに提供する能力を提供することが望ましいであろうと判断した。すなわち、ブレードベースシステムの高レベルの保守性および可用性をラック搭載システムの改良能力と組合せることが望ましいであろう。
【０００７】
この点において、本明細書中には、ブレードベースシステムによって提供される、ＦＲＵの向上した可用性および保守性を、ラックまたはキャビネット（たとえば、サーバまたはオープンコンピュート機器ラック、複数個のコンピューティング機器を保持するためのキャビネットまたはアセンブリなど）内に設置される（フォームファクタ、機能性、電力および冷却要件などに関連して）異なる種類のＦＲＵを収容する態様で与える、ラックに搭載されるＦＲＵの管理のためのシステムおよび方法が開示される。概して、開示されるシステム（たとえば、フレーム）は、各々が（たとえば、フォームファクタ、機能性などが同様であるまたは異なる）複数のＦＲＵのうち対応する１つを受けかつ電気的にこれに相互接続するための、かつ各々が（たとえば、ラック内の他の仮想スロットの固定された場所に対して）ラック内の仮想スロットの特定の固定された場所を示すデータを（たとえば、仮想スロットのメモリ中に）記憶する、ラック内の固定された場所に配設可能な複数の「フレームバックプレーンセグメント」、「仮想スロット」、または「フレームアーム」（本明細書中では相互交換可能に用いられる、たとえばノード、受入れ構造、筐体、コネクタなど）を含む。各々の仮想スロットは、複数の受入れベイのそれぞれ１つの後方部分に隣接するラックに固定されてもよく、ＦＲＵが受入れベイの中に摺動されるとＦＲＵの対応するコネクタにインターフェイスするように構成されるコネクタ（たとえば、ブラインド接合（blind-mate）コネクタ）を含んでもよい。たとえば、各々の仮想スロットは
、ＦＲＵがそのそれぞれの受入れベイにいつ挿入されたかを検出する（すなわち、受入れベイ内のＦＲＵの存在を検出する）ように構成されて、以下に論じるようにシステムを通じて１つ以上の対応の警告を送信してもよい。
【０００８】
開示されるシステムは、ＦＲＵの存在（すなわち、受入れベイの１つの中でのＦＲＵの受入れ）検出、（たとえば、フレームセンターにおいて実現されるか、またはそれ以外のやり方でフレームセンターと通信する「フレームマネージャ」または「ラックマネージャ」を介した）ＦＲＵ  ＯＯＢ管理などを可能にする態様で仮想スロットの各々に電気的に相互接続可能な「フレームセンター」（たとえば、ＦＲＵでもあり得る、集中管理サーバなどの別個の専用コンピューティングデバイスまたはシステム）を含んでもよい。たとえば、フレームセンターは、存在検出などを可能にする複数の第１の種類の通信経路（たとえば、Ｉ2Ｃケーブル）によって仮想スロットの各々に電気的に相互接続されてもよく、
複数の第１の種類の通信経路は、フレームセンターおよびフレームアームを相互接続する第１の通信ネットワークを形成してもよい。フレームセンターは、フレームセンターとフレームアームとの間のＯＯＢ管理通信、ならびにフレームアームとフレーム／システムの外部のデバイスおよびプロセスとの間で（フレームセンターを介して）行なわれる非ＯＯＢ管理通信を可能にする複数の第２の種類の通信経路（たとえば、イーサネット（登録商標）ケーブルなどのネットワーク線）によって、仮想スロットの各々に電気的に相互接続されてもよい。仮想スロットの各々およびフレームセンターは、（フレームセンターに加えて）仮想スロットにインターフェイスするＦＲＵに電力を分配するための１つ以上の（第１および第２の冗長など）配電ユニット（ＰＤＵ、１つ以上の電力源に適切に電気的に相互接続されてもよい）に（たとえば、電力線またはケーブルを介して）電気的に相互接続されてもよい。
【０００９】
仮想スロットと、フレームセンターと、ＰＤＵとの間に接続されるさまざまなケーブル、経路、および／または線は、ＦＲＵのＯＯＢ管理を行なう際に用いるためのそれらのそれぞれの仮想スロットのメモリ中に記憶される場所情報を介して（たとえば、複数の異なるＦＲＵ間すらの）ラック中の設置されたＦＲＵの物理的または固定された場所をフレームセンターが判断できるようにするシステムまたはフレームの（たとえば、有線および／または無線の）「固定された相互接続トポロジー」と考えられてもよい。コンピューティングラックまたはキャビネットは、固定された相互接続トポロジーを用いて予め構成され（たとえば、予め配線され）てもよく、これによりその後（すなわち、事前構成（pre-configuring）の後）ラックの中に設置され、かつ（たとえば、ＦＲＵおよびフレームアー
ムの対応のブラインド接合コネクタを介して）それぞれのフレームアームに電気的にインターフェイスされるＦＲＵは、電力を実質的にシームレスにまたは自動的に受け、（たとえば、フレームセンターによって連係されるような）ラックの管理ネットワークに加わり、および／または実際のデータ信号を送りかつ受信することができ、これらすべては、ＦＲＵとネットワークスイッチとの間の複数のコードおよびケーブル、他のサーバなど（たとえば、ラックの中へのＦＲＵの挿入の後および／またはその際など）の（たとえば、手作業での）引回しおよび相互接続を必ず行なわなければならないことから解放されている。この点において、固定された相互接続トポロジーおよびフレームアームは、システムの「仮想バックプレーン」またはミッドプレーンとして本質的に機能し得る。システムは、ラックの構築の一部としてラックに組入れられてもよく、または既存のラックに後付けする（retrofitted）もしくはそれ以外のやり方で当該既存のラックに統合してもよい。シ
ステムおよびラックは「セットアップ」と総称されることがある。
【００１０】
フレームマネージャは、ＯＯＢ管理を行なうことの一部として、フレームセンター（たとえば、フレームセンターのサービスプロセッサ）および固定された相互接続トポロジーを介して、ＦＲＵの各々のＯＯＢサービスプロセッサ（たとえば、オラクル（Oracle）のインテグレーテッドライツアウトマネージャ（Integrated Lights-Out Managers）（ＩＬ
ＯＭ）などの、各々が１つ以上の専用プロセッサおよびメモリモジュールを含む内蔵型システム管理ツール）と通信してもよい。システムは、フレームセンター、さまざまなＦＲＵ  ＯＯＢサービスプロセッサ、および／またはより高レベルのプロセッサによって実行される論理またはソフトウェアのさまざまなものからなる、統一管理システム（ＵＭＳ）を組入れてもよい。たとえば、ＦＲＵをラックの受入れベイに設置することおよびＦＲＵをそれぞれのフレームアームに相互接続することにより、フレームマネージャと通信することの一部として、ＦＲＵのＯＯＢサービスプロセッサが用いるためにＵＭＳの一部が自動的にＦＲＵにダウンロードされてもよい。この点において、ＦＲＵは、ＦＲＵの種類、ＦＲＵのフォームファクタなどに実質的に係わらず、実質的に自動的にかつシームレスにその適切な管理サービス文脈（たとえば、ＵＭＳ）に加わることができてもよい。
【００１１】
一例として、ＦＲＵがコンピューティングラックの受入れベイに設置され、これにより受入れベイの特定のフレームアームの対応のコネクタにＦＲＵの上述のコネクタが相互接続すると想定する。（たとえば、ＦＲＵによる電力引出しを検出することによってなど、フレームアームの回路構成によって）ＦＲＵの存在を検出すると、フレームアームは、存在を検出することに関して、フレームセンターに、固定された相互接続トポロジー上で（たとえば、フレームアームとフレームセンターとの間に相互接続されるそれぞれのＩ2Ｃ
線上で）警告（たとえば、割込み）を送ってもよい。フレームセンター（たとえば、そのサービスプロセッサ）は次に、仮想スロットのメモリを（たとえば、それぞれのＩ2Ｃ線
上で）読出して、ラック内の仮想スロット（およびしたがって、設置されたＦＲＵ）の固定された場所の表示を取得し、次に固定された場所データを利用して、新たに設置されたＦＲＵに対して１つ以上のＯＯＢ管理タスクを行なってもよい。たとえば、フレームマネージャは、そのすべてがＦＲＵのＯＯＢ管理の一部として用いられてもよい、設置されたＦＲＵの最低限の処理および記憶容量、電力および冷却要件、物理的場所、現在のファームウェアのバージョン、ネットワーク接続などに関連してさまざまな種類の情報を維持するか、または少なくとも当該情報への（たとえばフレームセンターのメモリ内）アクセスを有してもよい。
【００１２】
この点において、フレームマネージャによって行なわれるＯＯＢ管理の一部は、新たに設置されたＦＲＵのＯＯＢサービスプロセッサから１つ以上のプロパティを取得することと、そのようなプロパティを最低限のまたは予測されるプロパティと比較することとを含んでもよい。フレームマネージャが、ＦＲＵが予測されるプロパティを含むと判断するか、またはそれ以外のやり方でＦＲＵを動作確認（validating）すると、フレームマネージャは次に、ＦＲＵのマザーボード上の主プロセッサに（たとえば、（たとえば、フレームセンターとフレームアームとの間に相互接続されるそれぞれのイーサネット（登録商標）ケーブル上で）ＦＲＵのＯＯＢサービスプロセッサとの接続を確立することを介して）電源を入れるように指示してもよく、これによりＦＲＵは任意の適切な態様で動作するように進むことができる。その後、ＦＲＵのＯＯＢサービスプロセッサ上のＵＭＳ部分は、障害、ＦＲＵホットスワップ要求などに関連して適宜通信経路（たとえば、ネットワークケーブル）を介して警告またはメッセージをフレームマネージャに送ってもよい。他の利点のうち、ラックまたはキャビネットの中に設置される、開示されるフレームまたはシステムを含むラックまたはキャビネットは、（たとえば、サービスの需要、新しいサービスの投入などに応答して）さまざまな種類のＦＲＵの後の迅速な配備のためにデータセンターフロアスペースを保持してもよい。
【００１３】
１つの局面では、複数のホットスワップ可能なＦＲＵの集中ＯＯＢ管理を容易にするための仮想バックプレーンは、固定されたトポロジーによって相互接続される複数の仮想スロットを含む。仮想スロットの各々は、ａ）複数のＦＲＵの１つがいつ仮想スロットに電気的に相互接続されるかを検出し、かつｂ）固定されたトポロジーに電気的に相互接続される管理コントローラが、ＦＲＵのＯＯＢ管理を行なう際に用いるための仮想スロットの
仮想バックプレーン内の特定の場所を示す情報を利用できるようにする回路構成を含む。
【００１４】
１つの配置では、仮想スロットのうち各々の回路構成は、バックプレーン中の他の仮想スロットに対する仮想スロットの特定の場所情報（たとえば、アドレス、ビットなど）を記憶するメモリを含む。別の配置では、回路構成は、仮想スロット、または仮想スロットにインターフェイスするＦＲＵの１つ以上のステータス（たとえば、仮想スロットにインターフェイスしているＦＲＵ、仮想スロットにインターフェイスしているＦＲＵなし、スロットにインターフェイスしておりかつ活性のＦＲＵ、ＦＲＵの初期状態から最終状態への適当な遷移、１つ以上のエラー状態など）を示すように動作可能な複数のインジケータ（たとえば、ＬＥＤ）を含む。さらなる配置では、仮想バックプレーンの各々の仮想スロットは、回路構成に電気的に相互接続されるコネクタを含み、コネクタは、ＦＲＵの対応のコネクタにインターフェイスして、ＦＲＵと仮想スロットおよび管理コントローラの両方との間の通信を容易にするように適合される。
【００１５】
別の局面では、仮想バックプレーンを動作させてコンピューティングラック内の複数のＦＲＵを管理する方法は、仮想バックプレーンの複数の仮想スロットのうち第１の仮想スロットにおいて、第１の仮想スロットに電気的にインターフェイスするＦＲＵの存在を検出することと、第１の仮想スロットの回路構成から、検出された存在の警告を仮想バックプレーンの集中管理モジュールに送ることと、第１の仮想スロットの回路構成によって、仮想バックプレーンの集中管理モジュールが用いるために仮想バックプレーン内の第１の仮想スロットの場所の表示を与えることとを含む。
【００１６】
１つの配置では、方法は、集中管理モジュールによって、読出した場所表示を用いてＦＲＵに関連する１つ以上の管理ルーチンを行なうことを含んでもよい。一例として、集中管理モジュールは、ＦＲＵをオンラインにするまたはそれ以外のやり方でＦＲＵが仮想バックプレーンに加われるようにする前に、仮想バックプレーンの最小限のコンピューティング要件の表またはデータベース中へのルックアップまたはキーとして読出した場所情報を利用してもよい。たとえば、集中管理モジュールは、第１の仮想スロットを介してＬＡＮ上でＦＲＵと（たとえば、ＦＲＵのＯＯＢサービスプロセッサと）通信して、ＦＲＵが仮想バックプレーンの任意の必要な最小限のコンピューティング要件を満たしているか否かを判断してもよい。
【００１７】
別の配置では、第１の仮想スロットは、ＦＲＵからシリアルデータ通信を受信し、次にシリアルデータ通信を第１の仮想スロットの回路が用いるためのＩ2Ｃプロトコルに変換
してもよい。１つの実施形態では、シリアルデータ通信は、仮想バックプレーン内の第１の仮想スロットの場所の表示を第１の仮想スロットのメモリから読出す（たとえば、これにより、ＦＲＵのＯＯＢサービスプロセッサは、他のＦＲＵおよび仮想スロットに対してそれが仮想バックプレーン内のどこにあるかを知る）要求であってもよい。別の実施形態では、シリアルデータ通信は、第１の仮想スロットのメモリから仮想バックプレーン内のＦＲＵの役割の表示を読出す（たとえば、これにより、ＦＲＵのＯＯＢサービスプロセッサは、他のＦＲＵに対して仮想バックプレーン内でそれが担うことになっている役割が何であるかを知る）要求であってもよい。
【００１８】
さらなる配置では、第１の仮想スロットは、（たとえば、仮想スロットの上のボタンをユーザが押下することなどを介して）ＦＲＵを第１の仮想スロットから取外す要求を受信して、次に取外し要求の表示を処理のために集中管理モジュールに送ってもよい。取外し要求を受信すると、たとえば、集中管理モジュールは、コンピューティングラックの仮想バックプレーンからのＦＲＵの実際の取外しの準備のために、任意の必要なＯＯＢ管理タスクまたはルーチンを行なうように進んでもよい。１つの実施形態では、集中管理モジュールおよび／または第１の仮想スロットの任意の適切なインジケータ（たとえば、ＬＥＤ
）は、点灯するか、またはそれ以外のやり方で活性化して、ＦＲＵを安全に取外してもよいことを示してもよい。
【００１９】
さらなる局面では、コンピューティングラックに接続される集中管理コントローラによって、コンピューティングラック中の複数の受入れベイのうち１つ内に搭載される複数のフィールド交換可能ユニット（ＦＲＵ）のうち１つのＯＯＢ管理を容易にする仮想バックプレーンの仮想スロットが開示される。仮想スロットは、仮想バックプレーン内の他の仮想スロットに対する仮想スロットの場所を示すデータを記憶するメモリと、場所データへのアクセスを提供するＩ2Ｃデータバスと、シリアルデータとＩ2Ｃデータとの間を翻訳する論理とを含む回路基板を含む。仮想スロットは、ＦＲＵの対応のコネクタにインターフェイスして集中管理コントローラによるＦＲＵのＯＯＢ管理を可能にするように構成される回路基板に電気的に相互接続されるコネクタ（たとえば、ブラインド接合コネクタ）も含む。
【００２０】
１つの局面では、コンピューティングラックのフィールド交換可能ユニット（ＦＲＵ）に直流（ＤＣ）電力を伝達（deliver）するためのシステムは、それぞれの複数の商用（mains）電源を受けるための複数の入力ノードおよびＤＣ電源を出力するための少なくとも１つの出力ノードを有する整流器と、電気バイパス機構とを含む。電気バイパス機構は、整流器の出力ノードに電気的に相互接続される入力ノードと、第１の出力ノードと、第２の出力ノードと、入力ノードおよび第１の出力ノードを電気的に接続する第１の導電経路と、ａ）電気バイパス機構の第１の入力ノードまたは第１の導電経路とｂ）第２の出力ノードとの間に電気的に相互接続可能な第２の導電経路とを含む。第１および第２の出力ノードは、システムが１つ以上の商用電力源および／または１つ以上のＤＣ入力電力源を受けるか否かに係わらず、それぞれのＤＣ電圧を出力するように構成される。
【００２１】
１つの配置では、システムは、第１の出力ノードに電気的に相互接続される第１の配電ユニット（ＰＤＵ）と、第２の出力ノードに電気的に相互接続される第２のＰＤＵとを含んでもよく、この場合、第１および第２のＰＤＵの各々は、コンピューティングラック内で受けられる複数のＦＲＵにＤＣ電力を伝達するように構成される。たとえば、コンピューティングラック内に搭載されるＦＲＵにＤＣ電力を供給するための方法は、第１のＰＤＵをＦＲＵのうち各々の第１のポートに電気的に相互接続することと、第２のＰＤＵをＦＲＵのうち各々の第２のポートに電気的に相互接続することとを含んでもよい。複数の商用電力源は、整流器のそれぞれの複数の入力ノードに電気的に相互接続されてもよい。１つの変形では、方法は、（たとえば、バイパス機構の第２の導電経路から導体を取外すことまたは第２の導電経路に沿って配設されるスイッチを操作することを介して）第１の導電経路と第２の導電経路との間の電流の流れを中断することと、バイパス機構の第２の導電経路または第２の出力ノードにＤＣ入力電力源を電気的に相互接続することとをさらに含んでもよい。別の変形では、方法は、バイパス機構の第１のＤＣ入力電力源を第１の導電経路または第１の出力ノードの１つに電気的に相互接続することと、第２のＤＣ入力電力源をバイパス機構の第２の導電経路または第２の出力ノードの１つに電気的に相互接続することとを含んでもよい。
【００２２】
別の局面では、セットアップは、キャビネットのフレームワーク内に配置される複数の受入れベイを有するキャビネットと、その各々が複数の受入れベイ内に搭載されるＦＲＵにＤＣ電力を分配するように構成されるフレームワークに固着される第１および第２のＤＣ  ＰＤＵと、第１および第２のＰＤＵに電気的に接続される装置とを含む。装置は、ＡＣ入力電力源およびＤＣ入力電力源のうち１つまたは両方を受けて、ＤＣ電圧を第１および第２のＤＣ  ＰＤＵの各々に出力する。１つの配置では、装置は、ＡＣ入力電力源を受けかつ整流するための整流器と、整流したＡＣ電力源および／またはＤＣ入力電力源を受けるためのバイパス機構とを含み、バイパス機構は、整流器を第１および／または第２の
ＤＣ  ＰＤＵに電気的に相互接続する。別の配置では、各々の受入れベイは、受入れベイの後方部分に隣接するフレームワークに固定されるそれぞれの電気コネクタを含み、第１および第２のＰＤＵの各々は複数の電気コネクタの各々に電気的に接続され、複数の受入れベイのうち各々の電気コネクタは、受入れベイ内に搭載されるそれぞれのＦＲＵの対応の電気コネクタにインターフェイスしてＦＲＵを第１および第２のＰＤＵに電気的に相互接続するように構成される。
【００２３】
さらなる局面では、ＡＣおよび／またはＤＣ入力電力源を用いてコンピューティングラックの複数のＦＲＵにＤＣ電圧を伝達するための方法は、複数のＦＲＵの各々を第１および第２のＤＣ  ＰＤＵの各々に電気的に接続することと、第１および第２のＤＣ  ＰＤＵの各々を電力変換装置の出力に電気的に接続することと、ＡＣ入力電力源を電力変換装置の入力に電気的に接続することまたはＤＣ入力電力源を電力変換装置の出力に電気的に接続することの少なくとも１つを行なうこととを含む。電力変換装置は、行なうことに応答して、ＤＣ電圧を第１および第２のＤＣ  ＰＤＵの各々に伝達する。１つの配置では、行なうステップは、ＡＣ入力電力源を電力変換装置の入力に電気的に接続することのみを含み、方法はさらに、ＡＣ入力電力源をＤＣ電圧に整流することと、電力変換装置の出力を介して第１および第２のＤＣ  ＰＤＵにＤＣ電圧を伝達することとを含む。別の配置では、行なうことは、ＤＣ入力電力源を電力変換装置の出力に電気的に接続することのみを含み、ＤＣ入力電力源を電力変換装置の出力に電気的に接続することは、第１のＤＣ入力電力源を電力変換装置の出力の第１の出力ノードに電気的に接続することと、第２のＤＣ入力電力源を電力変換装置の出力の第２の出力ノードに電気的に接続することとを含む。
【００２４】
１つの局面では、コンピューティングラック中のブレードシャーシのバックプレーンを実現するための固定された相互接続トポロジーは、各々が共通の第１の場所から複数の固定された場所のそれぞれ１つに延在しかつ固定された相互接続トポロジーの第１の通信ネットワークを形成する複数の第１の種類の通信ケーブルと、各々が共通の第１の場所から複数の固定された場所のそれぞれ１つに延在しかつ固定された相互接続トポロジーの第２の通信ネットワークを形成する複数の第２の種類の通信ケーブルと、各々が共通の第２の場所から複数の固定された場所のそれぞれ１つに延在する複数の電力ケーブルとを含む。
【００２５】
１つの実施形態では、共通の第１の場所は集中管理サーバであってもよく、複数の第１および第２の種類の通信ケーブルのうち各々の複数の第１の端の各々は、集中管理サーバの複数の第１および第２の種類のインターフェイスのそれぞれ１つに相互接続されてもよい。たとえば、複数の第１の種類のインターフェイスはＩ2Ｃデータポートであってもよ
く、複数の第２の種類のインターフェイスはイーサネット（登録商標）ポートであってもよい。別の例として、複数の第１の種類の通信ケーブルのうち各々の複数の対向する第２の端の各々は、複数の固定された場所にある複数のメモリのうちそれぞれ１つに相互接続されてもよく、複数のメモリの各々は、固定された相互接続トポロジー内のそれぞれの固定された場所を示すデータを記憶し、集中管理サーバは、第１の種類の通信ケーブルのうち１つを利用して、少なくとも１つの種類の管理を行なうべき、電気的に相互接続される複数のＦＲＵのうち少なくとも第１のＦＲＵの複数のメモリのうちそれぞれ１つから、固定された場所データを読出す。
【００２６】
別の局面では、コンピューティングラックの複数の受入れベイ内で後で受けられる複数のＦＲＵの集中管理を可能にするようにコンピューティングラックを予め配線（pre-wiring）する方法は、複数のＩ2Ｃケーブルのうち各々の第１の端を集中コンピューティング
デバイスに電気的に相互接続することと、複数のＩ2Ｃケーブルのうち各々の第２の端を
複数の回路基板のそれぞれ１つ以上に電気的に相互接続することと、コンピューティングラックの複数の受入れベイのそれぞれ１つに隣接する複数の回路基板の各々を固着することとを含む。集中コンピューティングデバイスは、複数のＩ2Ｃケーブルのうち１つ、お
よび受入れベイのうちそれぞれ１つ内に固着されるＦＲＵに関連して１つ以上の管理ルーチンを行なう際に用いるための受入れベイに隣接して固着される複数の回路基板の１つを介して、コンピューティングラック内の受入れベイのそれぞれ１つの物理的場所を示すデータを取得する。
【００２７】
１つの配置では、方法は、複数のネットワークケーブルのうち各々の第１の端を集中コンピューティングデバイスに電気的に相互接続することと、複数のネットワークケーブルのうち各々の第２の端を複数のコネクタのそれぞれ１つに電気的に相互接続することと、複数のコネクタの各々を複数の回路基板のそれぞれ１つに電気的に相互接続することとを含む。１つの変形では、方法はさらに、複数の電力ケーブルのうち各々の第１の端を配電ユニットに電気的に相互接続することと、複数の電力ケーブルのうち各々の第２の端をコネクタのそれぞれ１つに電気的に相互接続することとを含んでもよい。
【００２８】
さらなる局面では、コンピューティングラック内で実現される仮想バックプレーンは、各々が対向する第１および第２の端を有する複数のＩ2Ｃケーブルを含み、複数のＩ2Ｃケーブルのうち各々の第１の端は集中コンピューティングデバイスに電気的に接続され、複数のＩ2Ｃケーブルのうち各々の第２の端はコンピューティングラックの複数の受入れベ
イのうち隣接する１つにそれぞれ固着される複数の回路基板の１つに電気的に接続される。仮想バックプレーンは、各々が対向する第１および第２の端を有する複数の電力ケーブルも含み、複数の電力ケーブルのうち各々の第１の端は配電ユニットに電気的に接続され、電力ケーブルのうち各々の第２の端は、複数の回路基板の１つにそれぞれ電気的に接続される複数のコネクタの１つに電気的に接続される。
【００２９】
１つの配置では、仮想バックプレーンは、各々が対向する第１および第２の端を有する複数のネットワークケーブルも含み、複数のネットワークケーブルのうち各々の第１の端はネットワークスイッチに電気的に接続され、ネットワークケーブルのうち各々の第２の端は、複数の回路基板の１つにそれぞれ電気的に接続される複数のコネクタの１つに電気的に接続される。たとえば、複数のネットワークケーブルの各々は、複数の回路基板のうちそれぞれ１つの通過回路（pass-through circuit）に電気的に相互接続されてもよい。
【００３０】
１つの局面では、コンピューティングラックの受入れベイ内に搭載される複数のＦＲＵを管理する際に用いるための方法は、管理コントローラにおいて、管理コントローラとコンピューティングラックの複数の受入れベイのうち各々の回路基板との間に接続される複数のＩ2Ｃデータ線のうち１つの上で、第１のＦＲＵが、Ｉ2Ｃデータ線の１つが接続される複数の受入れベイのうち１つの中に挿入されるまたは当該１つから取外されるべきであるという信号を受信することを含む。方法は、受信した信号に応答して、管理コントローラによって、複数のＩ2Ｃデータ線の１つの上で、Ｉ2Ｃデータ線の１つに接続される複数の回路基板のそれぞれ１つのメモリを読出して、コンピューティングラック内の第１のＦＲＵの地理的場所データを判断することと、管理コントローラによって、地理的場所データを用いて第１のＦＲＵについての１つ以上のＯＯＢ管理ルーチンを行なうこととも含む。
【００３１】
１つの配置では、行なうステップは、管理コントローラに関連付けられたメモリから地理的場所データに対応する管理記録を取得することと、管理コントローラによって、取得した管理記録を用いて第１のＦＲＵを管理することとを含む。たとえば、管理することは、管理コントローラにおいて、第１のＦＲＵから第１のＦＲＵの第１のプロパティを受信することと、管理コントローラによって、受信した第１のプロパティに関連する取得した管理記録を評価することと、管理コントローラによって、評価することの結果に基づいて少なくとも１つの行為を行なうこととを含んでもよい。別の例として、管理することは、管理コントローラによって、管理コントローラとコンピューティングラックの複数の受入
れベイのうち１つの回路基板との間に接続されるネットワークデータ線上で第１のＦＲＵのＯＯＢサービスプロセッサと通信して、読出した情報を用いて第１のＦＲＵのための１つ以上のＯＯＢ管理ルーチンを行なうことを含んでもよい。
【００３２】
別の配置では、方法は、管理コントローラによって、行なうことに基づいて、コンピューティングラックの複数の受入れベイの１つまたは管理コントローラに隣接して常駐する１つ以上のインジケータを制御することを含んでもよい。さらなる配置では、受信した信号は、複数の受入れベイの１つの中へのまたは当該１つからの第１のＦＲＵの挿入または取外しに関連付けられる複数の回路基板の１つによって生成される割込みであってもよい。
【００３３】
別の局面では、コンピューティングラックの複数の受入れベイ内に搭載される複数のＦＲＵとともに用いるための方法は、コンピューティングラックの管理コントローラのメモリを読出して、管理コントローラと複数の受入れベイの各々に隣接してそれぞれ固定される複数の受入れ構造の各々との間に電気的に相互接続されることが予測される複数の通信線の物理的トポロジーを取得することを含む。複数の受入れ構造の各々は、複数のＦＲＵの１つにインターフェイスするように適合される。方法は、管理コントローラによって、読出した物理的トポロジーに従って、管理コントローラと複数の受入れ構造の各々との間に複数の通信線の各々が電気的に相互接続されるか否かを確定することも含む。
【００３４】
１つの配置では、確定することは、管理コントローラから複数の通信線の上で複数の信号を送ることと、読出した物理的トポロジー中の複数の通信線の１つにそれぞれ関連付けられる複数の受入れ構造の１つによる複数の信号の各々の受信を検証することとを含んでもよい。別の配置では、方法はさらに、読出した物理的トポロジーに従って、複数の通信線のうち少なくとも１つが管理コントローラと複数の受入れ構造との間に電気的に相互接続されていないと判断することと、判断することに基づいて信号を生成することとを含んでもよい。
【００３５】
さらなる局面では、コンピューティングラック中のラック搭載機器の集中ＯＯＢ管理を可能にするＯＯＢサービスマネージャモジュールは、サービスプロセッサモジュールと、サービスプロセッサモジュールに相互接続されかつ複数の汎用入力／出力（ＧＰＩＯ）ピンを含むＩ2Ｃデータバスとを含み、複数のＧＰＩＯピンの各々は、複数のＩ2Ｃデータ線の少なくとも１つの上で、コンピューティングラックのそれぞれ複数の受入れベイに隣接する固定された場所に配設される複数の回路基板の１つにまたは当該１つからＩ2Ｃ信号
を送信および受信するように構成され、さらにＯＯＢサービスマネージャモジュールは、サービスプロセッサに相互接続される複数のネットワークポートを含み、複数のネットワークポートの各々は、複数の受入れベイ内にそれぞれ搭載される複数個のラック搭載機器にまたは当該複数個のラック搭載機器から複数の回路基板のそれぞれの通過回路を介してデータを送信および受信するように構成され、ＯＯＢサービスマネージャモジュールはさらに、ＯＯＢサービスマネージャモジュールと複数の回路基板との間の接続の物理的トポロジー定義を記憶するメモリを含む。物理的トポロジー定義は、コンピューティングラック内の回路基板のうち各々の固定された場所を示すデータを含み、サービスプロセッサモジュールは、物理的トポロジー定義を利用して、コンピューティングラックの複数の受入れベイ内にそれぞれ搭載される複数個のラック搭載機器の集中ＯＯＢ管理を行なう。
【００３６】
１つの局面では、コンピューティングラック内の少なくとも１つの電力源および少なくとも１つの通信ネットワークに１つ以上のＦＲＵを電気的に相互接続するための方法は、コンピューティングラックの受入れベイ中にＦＲＵを受けることを含み、ＦＲＵは、ＦＲＵの後方部分に隣接して固定されるコネクタ配置を含み、コネクタ配置は、ＦＲＵの少なくとも１つの電力ポートおよび少なくとも１つの通信ポートに電気的に相互接続される。
方法は、受けることの少なくとも一部の際、ＦＲＵコネクタ配置を、コンピューティングラックの受入れベイの後方部分に隣接して固定される補助コネクタ配置にインターフェイスすることも含む。補助コネクタ配置は、コンピューティングラック内の少なくとも１つの電力源および少なくとも１つ通信ネットワークに電気的に相互接続され、インターフェイスすることは、コンピューティングラック内の少なくとも１つの電力源および少なくとも１つの通信ネットワークにＦＲＵを電気的に相互接続する。
【００３７】
１つの配置では、ＦＲＵコネクタ配置および補助コネクタ配置の各々は、ブラインド接合コネクタと、ブラインド接合コネクタから離間される機械的コネクタとを含む。インターフェイスすることは次に、ＦＲＵコネクタ配置のブラインド接合コネクタを補助コネクタ配置のブラインド接合コネクタに接触させて、ＦＲＵをコンピューティングラック内の少なくとも１つの電力源および少なくとも１つの通信ネットワークに電気的に相互接続することと、ＦＲＵコネクタ配置の機械的コネクタを補助コネクタ配置の機械的コネクタに接触させてＦＲＵコネクタ配置のブラインド接合コネクタを補助コネクタ配置のブラインド接合コネクタと整列させることとを含んでもよい。別の配置では、コンピューティングラックは、コンピューティングラックの少なくとも１つの寸法に沿って配置される複数の受入れベイを含み、複数の受入れベイのうち各々の後方部分は、それぞれのＦＲＵコネクタ配置にインターフェイスするように構成されるそれぞれの補助コネクタ配置を含む。さらなる配置では、少なくとも１つのケーブルが補助コネクタ配置とコンピューティングラックの集中管理コントローラとの間に固着され、方法はさらに、インターフェイスすることの際に、集中管理コントローラによって、少なくとも１つのケーブルを介してコンピューティングラック内のＦＲＵの存在を検出することを含む。
【００３８】
別の局面では、ＦＲＵをコンピューティングラックのＯＯＢ管理ネットワークに自動的に相互接続するためのシステムが開示され、コンピューティングラックは複数のＦＲＵを受けるための複数の受入れベイを含む。システムは、コンピューティングラックの複数の受入れベイのうち１つに隣接する補助レール部材に対して摺動するように構成されるレール部材を含み、レール部材は、ＦＲＵの側方部分にレール部材を固定して固着するための複数の装着構成要素と、コンピューティングラックのＯＯＢ管理ネットワークにＦＲＵがブラインド接合するように電気的に相互接続できるようにする、レール部材に固着されるアダプタとを備える。アダプタは、レール部材に固定して固着される搭載ブラケットと、搭載ブラケットから延在する装着部材とを含み、装着部材は第１のブラインド接合コネクタを受けるように構成され、第１のブラインド接合コネクタは、レール部材が補助レール部材に対して摺動すると複数の受入れベイの１つの後方に隣接して固着される補助の第２のブラインド接合コネクタにインターフェイスするように構成される。
【００３９】
さらなる局面では、コンピューティングラックの受入れベイの中へのブラインド接合電気接続のために適合されるＦＲＵは、対向する頂部および底部、対向する第１および第２の側方部分、ならびに対向する前方および後方部分を有する筐体と、筐体の第１および第２の側方部分にそれぞれ固着される第１および第２の摺動レール部材とを含み、第１および第２の摺動レール部材の各々は、受入れベイの側方部分に隣接して固着される補助摺動レール部材にインターフェイスするように構成され、ＦＲＵはさらに、搭載部分および装着部分を備えるアダプタブラケットを含み、搭載部分は筐体に対して動かないように固着され、装着部分は筐体の後方部分から離間され、ＦＲＵはさらに、アダプタブラケットの装着部分に固着されるブラインド接合コネクタと、複数のケーブルとを含む。複数のケーブルのうち第１のケーブルは、筐体中でブラインド接合コネクタと電力ポートとの間に電気的に相互接続され、複数のケーブルの第２のケーブルはブラインド接合コネクタと筐体の通信ポートとの間に電気的に相互接続され、ＦＲＵのブラインド接合コネクタは、受入れベイの後方に隣接して固着される補助ブラインド接合コネクタにインターフェイスするように構成される一方で、第１および第２の摺動レール部材は、受入れベイの補助摺動レ
ール部材に対して摺動してＦＲＵをコンピューティングラックの管理ネットワークに電気的に相互接続する。
【００４０】
本明細書中で論じる実施形態、配置などの任意のものを、（単独で、または他の実施形態、配置などと組合せて）開示される局面の任意のものとともに用いてもよい。一般的に受入れられる先行するものに基づく実践に従って単に特徴を導入することは、対応する特徴を単数に限定するものではない。「少なくとも１つ」などの文言の使用を用いないことは対応の特徴を単数に限定するものではない。特定の特徴に関連した「少なくとも一般的に」、「少なくとも部分的に」、「実質的に」などの文言の使用は、その対応の特性および実質的でないその変形を包含する。さらに、「１つの実施形態で」という文言に関連した特徴の参照は、特徴の使用を単一の実施形態に限定するものではない。
【００４１】
図面を参照することにより、かつ以下の説明を検討することにより、上述の例示的な局面および実施形態に加えてさらなる局面および実施形態が明らかになるであろう。
【図面の簡単な説明】
【００４２】
【図１】ラックに搭載されるサーバ、バックアップ電力モジュールなどの、ラック内の複数のＦＲＵのアウトオブバンド管理を容易にするための、コンピューティングラック内に設置されるスマートコンピューティングフレームまたはシステムを含むセットアップの１つの実施形態を示す図である。
【図２】ＡＣおよび／またはＤＣ入力電源を受付けるようにかつコンピューティングラック内に搭載される複数のＦＲＵの各々に冗長ＤＣ電圧を分配するように設計される、実施形態に従うシステムの概略図である。
【図３ａ】ＡＣ入力電力源を受付けるように設計される、図２のシステムの１つの構成の概略図である。
【図３ｂ】ＤＣ入力電力源を受付けるように設計される、図２のシステムの別の構成の概略図である。
【図３ｃ】ＡＣおよびＤＣ入力電力源を受付けるように設計される、図２のシステムのさらなる構成の概略図である。
【図４】対応のＦＲＵにインターフェイスしようとしている、図１のフレームのフレームアームのより詳細な概略図である。
【図５】図１のフレームのフレームセンターのより詳細な概略図である。
【図６】図１のフレーム内のＦＲＵのＯＯＢ管理の文脈で起こり得るイベントの代表的シーケンスの図である。
【図７】図１のフレーム中に記憶されるワーカおよびマネージャＰＲＯＭ画像を使用してスマートコンピューティングフレームのＦＲＵを管理する方法のフロー図である。
【図８】図１のフレームのワーカＰＲＯＭ画像の概略図である。
【図９】図１のフレームのマネージャＰＲＯＭ画像の概略図である。
【図１０】図１のスマートコンピューティングフレームの別の実施形態を示す図である。
【図１１−１】図１のスマートコンピューティングフレームのうち少なくとも２つが相互接続されてスマートコンピューティングフレームシステムを形成する別の実施形態を示す図である。
【図１１−２】図１のスマートコンピューティングフレームのうち少なくとも２つが相互接続されてスマートコンピューティングフレームシステムを形成する別の実施形態を示す図である。
【図１２】図１のスマートコンピューティングフレームの一例の背面斜視図である。
【図１３】図１２のフレームのフレームアームの斜視図である。
【図１４】図１２のフレームのフレームアームにＦＲＵをインターフェイスするのに用い得るアダプタの斜視図である。
【図１５】ＦＲＵの側の上に固着される図１４のアダプタの斜視図である。
【図１６】ＦＲＵのさまざまなポートとブラインド接合コネクタとの間の電気的接続を図１４のアダプタがどのように容易にするかを示す別の斜視図である。
【図１７】図１６のブラインド接合コネクタの後方部分の拡大斜視図である。
【図１８】アダプタのブラインド接合コネクタが図１３のフレームアームの対応のブラインド接合コネクタにインターフェイスする前に図１２のフレームの受入れベイ中に受けられている図１６のＦＲＵの側面図である。
【図１９】図１８と同様の、しかしアダプタのブラインド接合コネクタが図１３のフレームアームの対応のブラインド接合コネクタにインターフェイスした後の側面図である。
【図２０】コンピューティングラックの受入れベイ中へのＦＲＵの挿入の際の、ＦＲＵをコンピューティングラックに電気的にインターフェイスする方法のフロー図である。
【図２１】別の実施形態に従うアダプタおよび対応のフレームアームの斜視図である。
【図２２】図２１のアダプタおよびフレームアームの別の斜視図である。
【図２３】図２１のフレームアームの別の斜視図である。
【発明を実施するための形態】
【００４３】
発明を実施するための最良モード
本明細書中において、シャーシまたはブレードベースのシステム内に提供されるのと同様の可用性および保守性のレベルを提供するが、ブレードベースのシステムの本来的な制限の多数がない、複数のラックに搭載されるＦＲＵ（たとえば、サーバ、バックアップ電力モジュールなど）の集中管理のためのシステムおよび方法が開示される。概して、開示されるシステムは、（たとえば、フォームファクタおよび機能性が同様のまたは異なる）対応の複数のＦＲＵを電気的に相互接続するための複数の「仮想スロット」または「フレームアーム」（たとえば、受入れ構造、筐体、コネクタなど）を含む。たとえば、隣接するフレームアームは、（たとえば、１Ｕまたはその倍数などの）コンピューティングラックまたはキャビネットの高さもしくは他の寸法に沿って適切に離間されてもよく、摺動レールまたは他の搭載特徴を介してラックの中に挿入されるＦＲＵがそれぞれのフレームアームに自動的に相互接続するように動作可能であり得るように、摺動レールおよび／または他の搭載特徴と好都合に整列されてもよい。
【００４４】
開示されるシステムは、ＦＲＵ存在検出（すなわち、ラック内のわかっている固定された場所にある受入れベイのうち１つの中のＦＲＵの検出）、（フレームセンター中で実現されるおよび／またはフレームセンターと通信する「フレームマネージャ」を介した起動、ホットスワッピング、電力および冷却モニタなどと関連した）ＦＲＵ  ＯＯＢ管理などを可能にする態様で「固定された相互接続トポロジー」によって仮想スロットの各々に電気的に相互接続可能な、「フレームセンター」（たとえば、「フレーム管理モジュール」、「集中管理コントローラ」、「集中管理モジュール」、「集中コンピューティングデバイス」など）も含んでもよい。（フレームアーム、フレームセンター、および固定された相互接続トポロジーを含む）システムは、ラックを構築することの一部としてラックもしくはキャビネットの中に組入れられてもよく、または、既存のラック（すなわち、システムのための特定的に特定の目的に応じるように立てられたのではない既存のラック）に後付けされるかもしくは他のやり方で統合されてもよい。すなわち、ラック／キャビネットおよびＦＲＵは、システムとは独立したスタンドアローン製品であってもよい。システム／フレームとラックまたはキャビネットとの組合せは、まとめて「セットアップ」を形成することがある。
【００４５】
本明細書中で用いるように、「固定された相互接続トポロジー」という用語は、フレームセンターを複数のフレームアームの各々に固定して接続する複数の通信経路／線／ケー
ブル（たとえば、ＦＲＵの存在および固定された場所の検出、ＯＯＢ管理などに必要なもの）を言外に意味する。複数の通信線は複数のＩ2Ｃケーブルを含んでもよく、その各々
はフレームセンターとフレームアームのそれぞれ１つとの間に電気的に相互接続される。複数の通信線は、複数のイーサネット（登録商標）ケーブルも含んでもよく、その各々はフレームセンターとフレームアームのそれぞれ１つとの間に電気的に相互接続される。固定された相互接続トポロジーは、１つ以上のＰＤＵの各々を、複数のフレームアームの各々に、および／または複数の設置されたＦＲＵの各々に直接に、固定して相互接続する複数の電力経路／線／ケーブルも含んでもよい。通信および電力経路または線の各々は２つの終点を含み、第１の終点（たとえば、終点「Ａ」）はフレームセンターまたはＰＤＵの特定のポートに接続され、第２の終点（たとえば、終点「Ｂ」）は特定のフレームアームに接続される（たとえば、フレームアームがフレーム内のオフセットＵにある場合）。
【００４６】
ここで図１を参照すると、ラック型ＦＲＵ（たとえば、ラック搭載サーバ、バックアップ電力モジュールなど）が、ブレード型サーバがブレードエンクロージャまたはシャーシ内で管理されるのと同様の態様で、しかしブレード型システムの本来的限定の多数がほぼない態様で、管理されるのを可能にするコンピューティングフレームまたはシステム１００の概略側面図が開示される。フレーム１００は、積層されたもしくは重なり合う態様で、ラック搭載サーバ、（各々が１つ以上のブレードサーバを保持する）ブレードエンクロージャなどの１つ以上の種類および／もしくはフォームファクタのそれぞれ複数のＦＲＵ１１２、ならびに／または他の電子デバイスを受けるようにサイズ決めされる（図１には示されない）複数のベイもしくは受入れ場所を有する任意の適切なラックもしくはキャビネット１０４内に固着されるか、またはそれ以外のやり方で実現されてもよい。ラック１０４は、フレーム１００を実現すべき特定の環境に基づいて、任意の適切な数の柱または鉛直方向支持部材またはレール１０８（たとえば、２本、４本など）を含んでもよい。柱１０８には、ＦＲＵ１１２がラック１０４の中に選択的に挿入されかつラックに固着されるのを可能にする一連の摺動レール、レールアセンブリ、または他の構造（図示せず）が関連付けられてもよい。柱１０８は、床または他の隣接する建物構造に適切に固着されてフレーム１００が倒れかかるのを制限してもよい。ラック１０４に関する他の詳細（たとえば、パネル、締結具など）、ＦＲＵ１１２がラック１０４の中にまたはラック１０４からどのように挿入されるおよび取外されるかなどは、明瞭性および／または簡潔性のために図１に関連してさらに論じない。
【００４７】
フレーム１００は、複数のフレームアーム１１６（たとえば、仮想スロット、受入れ構造など）を含み、その各々は（たとえば、より詳細に以下に論じるように、それぞれの対応のコネクタ１２８，１３２を介して）複数のＦＲＵ１１２の対応の１つに電気的にインターフェイスするように構成される。フレーム１００は、フレームマネージャ１６８（たとえば、ソフトウェア、論理）を実現する、または（たとえば、フレームマネージャ１６８が別のデバイス上で実現される場合は）フレームアーム１１６からＦＲＵ挿入／取外し警告を受信しかつＦＲＵ１１２のＯＯＢ管理を行なうためのフレームマネージャ１６８の方向に向けて他のやり方で働くフレームセンター１２０（たとえば、別個の専用コンピューティングデバイス）も含む。フレームマネージャ１６８がフレームセンター１２０内に実現されるものとして図示される一方で、いくつかの配置は、フレームマネージャの１６８の一部またはすべてがフレームセンター１２０とは別個の、しかしフレームセンター１２０と通信するデバイス（たとえば、設置されたＦＲＵ１１２、フレームセンター１２０およびＦＲＵ１１２とは別個のデバイスなど）上で実現されてもよい。
【００４８】
通信線または経路（たとえば、有線または無線）の固定された相互接続トポロジー１２４（たとえば、ハーネス）は、フレームセンター１２０をフレームアーム１１６の各々に直接に相互接続する。先に論じたように、複数の通信経路は、複数のＩ2Ｃ経路（たとえ
ばケーブル）を含んでもよく、その各々は、フレームセンター１２０とフレームアーム１
１６のそれぞれ１つとの間に電気的に相互接続される。各々のＩ2Ｃケーブルは、それぞ
れのフレームアーム１１６からフレームセンター１２０への、ＦＲＵ存在検出に関する警告、（たとえば、ユーザがそれぞれのフレームアーム１１６上のボタンを押下することを介して開始される）特定の受入れベイからＦＲＵ１１２を取外す要求などの送信を容易にする。フレームセンター１２０は、Ｉ2Ｃケーブルを利用して、それぞれのフレームアー
ム１１６のメモリを読出して、フレーム内１００のフレームアーム１１６の固定された場所を示すデータ（およびしたがって、インターフェイスされるＦＲＵ１１２）を取得して、その後（以下により詳細に論じる）インターフェイスされるＦＲＵ１１２のＯＯＢ管理を行なうことの一部として、固定された場所データを利用することもできる。
【００４９】
固定された相互接続トポロジー１２４の複数の通信経路は、各々がフレームセンター１２０とフレームアーム１１６のそれぞれ１つとの間に電気的に相互接続され、かつフレーム１００および／またはラック１０４内でまとめてローカルエリアネットワーク（ＬＡＮ）を作り出す複数のネットワーク（たとえば、イーサネット（登録商標））経路（たとえばケーブル）も含んでもよい。各々のネットワークケーブルは、そのそれぞれのフレームアーム１１６を本質的に「通過」して、（たとえば、ＦＲＵ１１２と、フレーム１００および／またはラック１０４の外部のサーバ、プロセス、デバイスなどとの間のネットワーク（たとえばインターネット、ＷＡＮ、ＬＡＮ）通信を可能にすることに加えて）フレームセンター１２０とＦＲＵ１１２のＯＯＢ管理を行なう際に用いるためのインターフェイスされるＦＲＵ１１２のＯＯＢサービスプロセッサ１６４（たとえば、ＩＬＯＭ）との間の実質的に直接の通信を容易にしてもよい。この点において、フレームセンター１２０は、Ｉ2Ｃケーブルを利用して、（たとえば、フレームアーム１１６のメモリを読出すこと
を介して）ＦＲＵ挿入／取外し警告を受信しかつ特定のフレームアーム１１６および対応のＦＲＵ１１２のフレーム１００内の１つ以上の特定の固定された場所を識別してもよく、ネットワークケーブルを利用して、（たとえば、ＯＯＢサービスプロセッサ１６４および／またはＦＲＵ１１２の他の管理エンティティと通信することを介して）ＦＲＵ１１２のうち１つ以上のＯＯＢ管理を行なってもよい。
【００５０】
たとえば、各々のケーブル／線は、「線終点（Ａ）：管理サーバ（Ｘ）：ポート（Ｎ）＜−＞線終点（Ｂ）：受入れ構造（Ｕ）」の形態であってもよい。固定された相互接続トポロジー１２４は、１つ以上のＰＤＵ１２６の各々を、複数のフレームアーム１１６の各々に（これにより、ＦＲＵ１１２のコネクタ１３２がそのそれぞれのフレームアーム１１６の対応のコネクタ１２８にインターフェイスすると、ＦＲＵ１１２は電力を受信し得る）、またはいくつかの配置では、ＦＲＵ１１２の各々上のポートに直接に、固定して相互接続する複数の電力経路／線／ケーブルも含んでもよい。いずれにしても、固定された相互接続トポロジー１２４は、ＦＲＵ１１２が、それがどの管理サービス文脈の一部であったとしても実質的にシームレスに加わることができる「仮想」バックプレーンまたはミッドプレーンの少なくとも一部を本質的に形成してもよい（この場合、フレームマネージャ１６８および設置されたＦＲＵ１１２のＯＯＢサービスプロセッサ１６４上でＵＭＳが走る）。
【００５１】
フレームアーム１１６、フレームセンター１２０、ＦＲＵ１１２、およびそれらの間の相互作用をより詳細に論じる前に、ＡＣ入力電力源（たとえば１つ以上の商用電源）およびＤＣ入力電力源（たとえば、電池群、ＡＣ−ＤＣ変換器、他のＤＣ電源など）の一方または両方を受け、次に第１および第２のＤＣ電圧（たとえば−４８Ｖ）をそれぞれの第１および第２のＤＣ配電ユニット（ＰＤＵ）に与えて、二重／冗長ＤＣ電力をコンピューティングラック内に搭載されるＦＲＵに分配するためのシステム５００を示す図２をここで参照する。システム１００と関連してシステム５００を論じるが、システム１００を組入れないラック内に搭載されるＦＲＵに電力を与えるのにシステム５００を用いてもよいことを理解すべきである。
【００５２】
一般的に、現在の電気通信システムは、システムの機器（たとえば、ラックに搭載されるＦＲＵ）に電力を与えるためのＡＣ電力源（たとえば商用の電気）またはＤＣ電力源（たとえば、電池群）のいずれかを受付けることができることが要件とされる。この点において、電気通信システムはしばしば、ＡＣおよびＤＣ入力電力源をそれぞれ受けかつ電圧をＦＲＵまたはシステムの他の機器に分配するための異なる組の機器（たとえば、電力変換器、整流器、ＰＤＵ、電力ケーブルなど）をしばしば有する。たとえば、特定のコンピューティングラックがＡＣ電源を受ける場合、ラックは、ＡＣ電源を受付けかつ最終的に（たとえば１つ以上のＰＤＵを介して）電圧を複数のＦＲＵの各々に分配するように設計される第１の特定の組の機器を有する。しかしながら、同じコンピューティングラックが１つ以上のＤＣ電源を受ける場合、ラックは、１つ以上のＤＣ電源を受付けかつ（たとえば、１つ以上のＰＤＵを介して）１つ以上のＤＣ電源を複数のＦＲＵの各々に分配するように設計される別個の第２の特定の組の機器を有する。ＡＣおよびＤＣ電力源のために別個の組の機器を維持する結果、製造者にとって試験および動作確認（validation）のコストが増大し、製造者および最終顧客にとっての運用コストが増大し、両方の組の機器のための予備部品のコストが増大してしまう。
【００５３】
この点において、本明細書中に開示されるシステム５００は、入力電力源がＡＣおよび／またはＤＣであるかに係わらず、入力ＡＣおよび／またはＤＣ電力源を受付けかつ少なくとも１つのＤＣ電圧をコンピューティングラック内に搭載される複数のＦＲＵの各々（たとえば、図１のＦＲＵ１１２、異なるコンピューティングラックのＦＲＵなど）に分配するように設計される単一の組の機器を含む。システム５００は単一の組の機器しか含まないので、現在の電池通信システムに関連するさまざまな種類のコスト（たとえば、試験、動作、動作確認、予備部品）の数多くの低減を実現し得る。たとえば、ネットワーク機器構築システム（ＮＥＢＳ）確認試験にはしばしば、初期試験のためだけに１００，０００ドルを上回るコストが、その後の試験には３０，０００ドルまでのコストがかかるため、ＡＣおよび／またはＤＣ電力源を単一の組の機器とともに利用できることによるコスト削減が大きくなり得る。
【００５４】
図２に示されるように、システムは概して、ＡＣ−ＤＣ変換器または整流器５０４、少なくとも第１および第２のＤＣ  ＰＤＵ５０８，５１２（たとえば、ラックに搭載されたＰＤＵ、スマートまたはインテリジェントＰＤＵなど）、ならびに整流器５０４と第１および第２のＤＣ  ＰＤＵ５０８，５１２との間に電気的に接続される電気バイパス機構５１６を含む。バイパス機構５１６は、（たとえば整流器５０４を介して）ＡＣ電力源からおよび／または以下に論じるようにＤＣ電力源からＤＣ電圧を第１および第２のＤＣ  ＰＤＵ５０８，５１２に伝達するように構成される。換言すると、整流器５０４およびバイパス機構５１６はまとめて、電力変換装置に入力される電源が１つ以上のＡＣ電力源、１つ以上のＤＣ電力源、またはＡＣおよびＤＣ両方の電力源を含むかに係わらず、ＤＣ電圧を第１および第２のＤＣ  ＰＤＵ５０８，５１２の各々に伝達するように構成される「電力変換装置」と考えられてもよい。
【００５５】
整流器５０４は概して、１つ以上の商用入力給電（たとえば、２０Ａ、２００−２４０Ｖ、単相または多相など）などの１つ以上のＡＣ電力源または電源との電気的接続のための１つ以上の（たとえば複数の）入力ノード５２０（たとえば、ポート、コンタクト、パッド）と、ＤＣ電圧をバイパス機構５１６に渡すための電気的接続のための少なくとも１つの出力ノード５２４（たとえば、ポート、コンタクト、パッド）と、ＡＣ電力源からのＡＣ電力をＤＣ電圧（たとえば−４８Ｖ）に変換するように構成される回路構成５２８（たとえば、１つ以上の変圧器、ダイオード、抵抗器などの任意の適切な配置）とを含んでもよい。第１および第２のＤＣ  ＰＤＵ５０８，５１２の各々は、バイパス機構５１６への電気的接続のための少なくとも１つのそれぞれの入力ノード５３２，５３６（たとえば
、ポート、コンタクトなど）と、フレームアーム１１６への（たとえばフレームアーム１１６のコネクタ１２８への）またはＦＲＵ１１２もしくは他のラックに搭載される機器への直接の電気的接続のための複数の出力ノード５４０，５４４（たとえば、コンセント）と、ＤＣ電圧をバイパス機構５１６から受けかつＤＣ電力を出力ノード５４０，５４４を介してＦＲＵ１１２（または他のラックに搭載される機器）に分配するように動作可能な任意の適切な回路構成５４６，５５０とを含んでもよい。ＦＲＵ１１２の各々に冗長またはバックアップ電力（たとえば冗長電源（ＲＰＳ））を与えるために、電力ケーブル／コードのそれぞれの組５５４1，５５４2，５５４3，５５４4などを、第１および第２のＤＣ
ＰＤＵ５０８，５１２のそれぞれの出力ノード５４０，５４４とフレームアーム１１６、ＦＲＵ１１２などの各々との間に電気的に接続してもよい。
【００５６】
たとえば、電力ケーブルの第１の組５５４1の第１の端はそれぞれ第１および第２のＤ
Ｃ  ＰＤＵ５０８，５１２の第１の出力ノード５４０，５４４にプラグ差込みされるかまたは他のやり方で電気的に接続されてもよい一方で、電力ケーブルの第１の組５５４1の
第２の端は、両者とも同じフレームアーム１１６、同じＦＲＵ１１２などに電気的に接続されてもよい。第１および第２のＤＣ  ＰＤＵ５０８，５１２の各々は、その定格最大負荷よりも低いある割合まで負荷をかけられてその回路ブレーカが上がるのを回避してもよい。１つの配置では、第１および第２のＤＣ  ＰＤＵ５０８，５１２は、各々約５０％ずつＦＲＵ１１２の負荷を分担してもよいが、第１および第２のＤＣ  ＰＤＵ５０８，５１２の各々にかけられる負荷は、その定格最大負荷の５０％未満である。このように、第１および第２のＤＣ  ＰＤＵ５０８，５１２の一方が電力を喪失して第１および第２のＤＣ
ＰＤＵ５０８，５１２の他方が負荷の１００％をサポートしなければならなくなったとしても、残余のＰＤＵにかかる負荷は依然としてその定格最大負荷より低い。
【００５７】
継続して図２を参照して、バイパス機構５１６は、整流器の出力ノード５２４への（たとえば、トレース、線、ケーブルを介した）電気的接続のための少なくとも１つの入力ノード５５８（たとえば、コンタクト、ジャンクション）と、第１および第２のＤＣ  ＰＤＵ５０８，５１２の入力ノード５３２，５３６へのそれぞれの電気的接続のための少なくとも第１および第２の出力ノード５６２，５６６（たとえばコンタクト、パッド）と、入力ノード５５８を第１の出力ノード５６２に電気的に接続する第１の導電経路５７０（たとえば、トレース、線、ケーブル）と、入力ノード５５８と第２の出力ノード５６６との間の「中断可能に電気的に接続可能な」第２の導電経路５７４（たとえば、トレース、線、ケーブル）とを含んでもよい。第２の導電経路５７４は、入力ノード５５８から第２の出力ノード５６６に延在して示されるが、第２の導電経路５７４は、本開示の精神から逸脱することなく、他の実施形態では、第１の導電経路５７０のある部分から（たとえば、単なる一例として、入力ノード５５８と第１の出力ノード５６２との間の第１の導電経路５７０の中間点から）第２の出力ノード５６６に延在してもよいことを理解すべきである。
【００５８】
この開示の目的のため、「中断可能に電気的に接続可能」とは、以下に論じる理由のために入力ノード５５８と第２の出力ノード５６６との間の電流の流れを選択的に中断するまたは停止することができることを意味する。１つの配置では、第２の導電経路５７４はバイパス機構５１６から取外し可能であってもよい。たとえば、第２の導電経路５７４は、入力ノード５５８と第２の出力ノード５６６との間の電流の流れを中断するように取外され得る電気ジャンパの形態であってもよい。別の配置では、入力ノード５５８と第２の出力ノード５６６との間の電流の流れを選択的に中断するまたは許さないように作動可能または操作可能な任意の適切なスイッチまたはボタン（たとえば、図示せず）を第２の導電経路５７４に沿って配設してもよい。他の配置も可能であり、本開示の範囲内に包含される。
【００５９】
システム５００は、入力電力源配置に係わらず、入力電力源の少なくとも３つの異なる配置に電気的に相互接続されて、依然としてＤＣ出力電圧を与えてもよい。（明瞭性のために第１および第２のＤＣ  ＰＤＵ５０８，５１２を省略した）図３ａをここで参照すると、システム５００の１つの構成が示され、これによると、入力電力源は、整流器５０４の複数の入力ノード５２０にそれぞれ電気的に接続される複数のＡＣまたは商用入力給電５７８である。回路構成５２８が商用入力給電５７８をＤＣ電圧に整流した後、ＤＣ電圧は、整流器５０４の出力ノード５２４を通ってバイパス機構５１６の入力ノード５５８に通される。ＤＣ電圧は次に、第１および第２の導電経路５７０，５７４に沿って第１および第２の出力ノード５６２，５６６を通って第１および第２のＤＣ  ＰＤＵ５０８，５１２に送られて、コンピューティングラックまたはキャビネットのＦＲＵに分配される。第２の導電経路５７４の一方端が入力ノード５５８に接続されて示されるが、他の配置は、端が第１の導電経路５７０のいずれかの部分に接続されてもよいことを企図する。
【００６０】
ここで図３ｂを参照すると別の構成が示され、これによると、入力電力源は、第１および第２の導電線５９０，５９４（たとえば、ケーブル、コードなど）を介してバイパス機構５１６の第１および第２の出力ノード５６２，５６６にそれぞれ電気的に相互接続されて第１および第２のＤＣ  ＰＤＵ５０８，５１２にそれぞれＤＣ電圧を供給する第１および第２のＤＣ電源５８２，５８６（たとえば、各々が−４０Ｖから−６０Ｖを供給する）である。この構成では、ＡＣ入力電力源は存在せず、入力ノード５５８と第２の出力ノード５６６との間のいずれの電流の流れも中断される。
【００６１】
１つの配置では、（たとえば、取外し可能ジャンパの場合）第２の導電経路５７４を取外してもよく、第１および第２の導電線５９０，５９４はそれぞれ、（たとえば、プラグ、配線による接続などの）任意の適切な態様で、（たとえば図３ｂに示されるような）バイパス機構５１６の第１および第２の出力ノード５６２，５６６に直接に接続されてもよい。別の配置では、第２の導電経路５７４はバイパス機構５１６内に留まってもよいが、第２の導電経路５７４上に配設されるスイッチなど（図示せず）が、第２の導電経路５７４に沿った電流の流れを中断するようにフリップまたは操作されてもよい。この配置では、第２の導電経路５９４は、スイッチと第２の出力ノード５６６との間のどこかで第２の出力ノード５６６にまたは第２の導電経路５７４に接続されてもよい一方で、第１の導電線５９０は、第１の出力ノード５６２にまたは第１の導電経路５７０に（または入力ノード５５８にすら）接続されてもよい。第１および／または第２の導電線５９０，５９４がそれぞれ第１および／または第２の導電経路５７０，５７４に接続される場合、第１の導電経路と線５７０，５９０との間および第２の導電経路と線５７５，５９４との間のそれぞれのジャンクションは、ある場合、第１および第２の出力ノード５６２，５６６と考えられてもよい。この構成ではＡＣ入力電力源が存在しないので、いくつかの実施形態では（たとえば、ＡＣ入力電力源を全く利用しないであろうことが企図される文脈では）、整流器５０４を省略してもよい。１つの変形例では、加えて、（たとえば、第１の導電経路５７４を取外す、第１の導電経路５７４に沿って配設されるスイッチを操作することなどを介して）第１の導電経路５７０を適切に中断してもよい。
【００６２】
図３ｃは、統合された無停電電源（ＵＰＳ）入力を表わすシステム５００の別の構成を示す。この構成では、入力ノード５５８と第２の出力ノード５６６との間の電流の流れは、（たとえば、第２の導電経路５７４を取外すこと、第２の導電経路５７４上のボタンまたはスイッチを作動させることなどを介して）、図１０ｂに関連して以上で論じたように再び中断される。しかしながら、入力電力源はここでは、ＡＣ入力電力源とＤＣ入力電力源との両方を含む。たとえば、１つ以上の商用入力給電５７８は、整流器５０４の入力ノード５２０にそれぞれ電気的に接続されて、出力ノード５２４、入力ノード５５８、第１の導電経路５７０、および第１の出力ノード５６２を介して、ＤＣ電圧を第１のＤＣ  ＰＤＵ５０８に供給してもよい。また、ＤＣ電源５９８（たとえば、第１および第２のＤＣ
電源５８２，５８６の一方）は、導電線５９９（たとえば、第１および第２の導電線５９０，５９４のうち一方）を介して第２の出力ノード５６６に（またはスイッチ（図示せず）と第２の出力ノード５６６との間の第２の導電経路５７４の一部に）電気的に接続されてＤＣ電圧を第２のＤＣ  ＰＤＵ５１２に供給してもよい。
【００６３】
整流器５０４、バイパス機構５１６、ならびに第１および第２のＤＣ  ＰＤＵ５０８，５１２は、別個の構成要素として図２−図３ｃに示されるが、さまざまな構成要素のうち１つ以上が構成要素の他のものに統合されてもよい。たとえば、整流器５０４およびバイパス機構５１６（たとえば、電力変換装置）は両者とも、単一の集積回路および／または共通の筐体中に実現されてもよい。別の例として、バイパス機構５１６または整流器５０４の１つ以上の特徴を第１および／または第２のＤＣ  ＰＤＵ５０８，５１２中に実現してもよい。この点において、図２−図３ｃに示される図は、システム５００の幅を必ず限定するというよりはむしろ、システム５００のさまざまな機能性を示すように提示されているに過ぎない。図１に戻って、各々のフレームアーム１１６は一般的に、１つ以上の異なる種類のＦＲＵ１１２に電気的にインターフェイスして、ＦＲＵ１１２がＰＤＵ１２６から電力を引出しかつフレームセンター１２０がＦＲＵ１１２のＯＯＢ管理を行なえるようにすることができる１つ以上の部品または構成要素の任意の適切な配置を言外に意味する。概して、各々のフレームアーム１１６は、他のフレームアーム１１６に対するフレーム１００内のフレームアーム１１６の特定の固定されたまたは物理的場所を示すデータ１４１（たとえば、１つ以上のＩＤまたはアドレス）を記憶するメモリ１３６を含んでもよい。各々のフレームアーム１１６は、（フレームアーム１１６に関連付けられる）ラック１０４のそれぞれの受入れベイの中へのＦＲＵ１１２の挿入の際にそれぞれのＦＲＵ１１２の対応のコネクタ１３２に接合して、ＦＲＵ１１２がＰＤＵ１２６から電力を引出しかつフレームマネージャ１６８が固定されたインターコネクタトポロジー１２４およびそれぞれのコネクタ１２８，１３２を介してＦＲＵ１１２のＯＯＢサービスプロセッサ１６４と通信できるようにするように構成されるコネクタ１２８も有してもよい。
【００６４】
図４は、対応のＦＲＵ１１２にインターフェイスしようとしている、フレームアーム１１６のうち１つのより詳細な概略図を提示する。フレームアーム１１６は、コネクタ１２８およびプリント回路基板（ＰＣＢ）１２２などの回路基板を固着し得る任意の適切な筐体１１８を含んでもよい。筐体１１８は、たとえば、（たとえば、ラック１０４の後方部分に隣接する）ラック１０４の受入れベイのうち１つに隣接するラック１０４のフレームワークに搭載されてもよく、これにより、ＦＲＵ１１２が受入れベイに挿入されると、ＦＲＵ１１２のコネクタ１３２（たとえば、ブラインド接合コネクタ）は対応のフレームアーム１１６コネクタ１２８（たとえば、対応のブラインド接合コネクタ）に電気的にインターフェイスしてもよい（たとえば、コネクタ１２８，１３２の対応のピン／コンタクトが接触し得る、または他のやり方で電気的にインターフェイスし得る）。ＰＣＢ１２２は、フレームアーム１１６の場所データ１４１を記憶するメモリ１３６を含む回路構成の任意の適切な配置を有してもよい（たとえば、この考察において後に論じるように、場所データは「ワーカ」プログラマブル読出専用（ＰＲＯＭ）画像１４０内に含まれてもよい）。
【００６５】
Ｉ2Ｃデータ線２０（たとえば、固定された相互接続トポロジー１２４の一部であるケ
ーブル、コード、経路など、図示せず）は、一方端でＰＣＢ１２２に（たとえば、ＰＣＢ１２２のＩ2Ｃデータバスに、図示せず）、かつ対向端で（以下により詳細に論じる）フ
レームセンター１２０に電気的に接続されて、フレームアーム１１６が（たとえば、ＦＲＵ存在検出、ＦＲＵ１１２を受入れベイおよびしたがってＯＯＢ管理ネットワークから取外す要求などに関して）フレームセンター１２０に警告を送れるようにし、かつ（たとえば、対応の警告を受信すると）フレームセンター１２０が場所データ１４１をメモリ１３６から読出して、読出した場所情報に基づいてＦＲＵ１１２についての構成情報を判断で
きるようにしてもよい。ＰＣＢ１２２は、以下に論じる理由によりシリアルデータとＩ2
Ｃデータとの間を変換するように動作可能な（たとえば、ＰＣＢ１２２のＩ2Ｃデータバ
スに電気的に接続される）任意の適切な論理１３０、フレームアーム１１６の１つ以上の動作状態もしくはステータスを概して示す１つ以上のＬＥＤ１８０（または、他の種類のインジケータ）、および／または、操作される（たとえば押下される）と、フレームアーム１１６からフレームセンター１２０へ信号または他の通信（たとえば、フレームアーム１１６およびしたがってフレーム１００の管理ネットワークからＦＲＵ１１２を取外す要求）を生成および送信させるように動作可能な１つ以上のボタン１８２なども含んでもよい。たとえば、ＬＥＤ１８０によって示される特定のフレームアーム１１６の動作状態は、フレームアーム１１６にインターフェイスしているＦＲＵ１１２が存在しない初期状態からずっと、１つ以上のＦＲＵ１１２がインターフェイスしておりかつ活性である（たとえば、フレーム１００のすべての手動でのサービス提供が完全である）最終状態までの範囲にわたってもよい。ＬＥＤ１８０は、初期状態から最終状態への適当な遷移および付加的な具体的な回復動作を要件とし得るエラー状態も示してもよい。
【００６６】
フレームアーム１１６は、フレームセンター１２０からコネクタ１２８へのネットワーク（たとえば、イーサネット（登録商標））ケーブル２４、ならびに第１および第２のＤＣ  ＰＤＵ（たとえば、図２の第１および第２のＤＣ  ＰＤＵ５０８，５１２）からコネクタ１２８への第１および第２の電力ケーブル２８，３２（たとえば、図２の組５５４1
−５５４4のうち１つ）などの１つ以上の電力ケーブルの「通過」も容易にする。換言す
ると、ネットワークケーブル２４ならびに第１および第２の電力ケーブル２８，３２は必ずしもＰＣＢ１２２と通信または相互作用する必要はなく、そのためコネクタ１２８，１３２にインターフェイスすると、ＦＲＵ１１２に実質的に直接接続されていてもよい。
【００６７】
ＦＲＵ１１２（図４には、ＦＲＵ１１２の後方部分が示される）に関して、コネクタ１３２は、ブラケット、リンクなどの任意の適切な配置１３４（配置１３４の１つの代表例は図１４−図２０に関連して後で論じる）を介して（たとえば直接にまたは間接に）、ＦＲＵ１１２に動かないように（たとえば固く）固着されてもよい。ＦＲＵ１１２のネットワーク（たとえばイーサネット（登録商標））ポート３６は、ネットワークケーブル４０によってコネクタ１３２に電気的に接続されてもよく、ＦＲＵ１１２の第１および／または第２の電力ポート４４，４８はそれぞれの電力ケーブル５２，５６によってコネクタ１３２に電気的に接続されてもよい。さらに、ＦＲＵ１１２のシリアル管理ポート６０はシリアルデータ線６４によってコネクタ１３２に電気的に接続されてもよい。この点において、コネクタ１２８，１３２のそれぞれのピンおよび／またはコンタクト（図示せず）にインターフェイスすることは、自動的に、ＦＲＵ１１２が電力ケーブル２８，５２および／または電力ケーブル３２，５６を介してＰＤＵ１２６から電力を引出せるようにし、かつネットワークケーブル２４，４０を介したフレームマネージャ１６８（および／またはフレームセンター１２０）とＦＲＵ１１２の（図１に示される）ＯＯＢサービスプロセッサ（たとえばＩＬＯＭ）１６４との間のネットワーク通信（ならびに、ＦＲＵ１１２とフレーム１００およびラック１０４の外部のデバイス／プロセスとの間のネットワーク通信）を自動的に可能にする。
【００６８】
また、コネクタ１２８，１３２にインターフェイスすると、シリアルデータ線６４を介してシリアル管理ポート１０とＰＣＢ１２２との間にシリアルデータ接続が確立される。この点において、（シリアル管理ポート６０およびシリアルデータ線６４を介して）ＰＣＢ１２２のメモリ１３６から（たとえば、場所データ１４１、役割情報などの）情報を読出すＦＲＵ１１２のＯＯＢサービスプロセッサ１６４からの要求は、要求に応える際に用いるように、論理１３０によってＩ2Ｃデータに変換されてもよい。要求された情報は次
に、ＦＲＵ１１２のＯＯＢサービスプロセッサ１６４に送り返されるおよび／またはこれによって受信される前に、論理１３０によってシリアルデータに戻されてもよい。複数の
フレームアーム１１６の各々が前述のフレームアーム１１６と実質的に同様であってもよく、それらの固定された場所データ１４１などに関してのみ異なってもよい（すなわち、各々のフレームアームはフレーム１００内で異なる具体的な固定された場所を有する）など、を理解すべきである。しかしながら、そのようなＦＲＵ１１２がフレームアーム１１６のうち１つのコネクタ１２８に接合可能なコネクタ１３２を含み、以上で論じたように、コネクタ１３２がＦＲＵ１１２のネットワークポート、シリアル管理ポート、および電力ポートに電気的に接続される限りは、フレームアーム１１６にインターフェイスするＦＲＵ１１２の各々は必ずしも、フォームファクタ、機能などの観点で同じである必要はない。
【００６９】
ここで図５を参照して、フレームセンター１２０のより詳細な概略図が提示される。以上で論じたように、フレームセンター１２０は、ブレードシャーシ内でブレードがどのように管理されるかと同様の、しかし（すべてのブレードが共通のフォームファクタ、共通の機能性などを有する必要性などの）ブレードによって本来的に提示される限定の多くがない態様で、共通のコンピューティングラック１０４内に搭載される複数の異なるＦＲＵ１１２であり得るものの、フレームマネージャ１６８によるＯＯＢ管理を容易にするスタンドアローンの別個の専用コンピューティングデバイスであってもよい。この点において、フレームセンター１２０は一般的に、フレームマネージャ１６８に関連して働いてＦＲＵ１１２のＯＯＢ管理を行なうように設計される、（たとえば、図示しないプロセッサ、基板上のメモリなどを含む）管理コントローラまたはサービスプロセッサモジュール１６０を含む筐体１２１を含む。フレームセンター１２０は、複数のフレームアーム１１６の各々への電気的接続のための複数のインターフェイス１２３と、ＦＲＵ挿入／取外し検出、ＯＯＢ管理などで用いるための固定された相互接続トポロジー１２４を通るＰＤＵ１２６と、も含む。
【００７０】
たとえば、インターフェイス１２３は、１つ以上のバス伸長器（expander）上に配設される複数の汎用入力／出力（ＧＰＩＯ）ピンなどの複数のＩ2Ｃインターフェイス１２７
を含んでもよい。Ｉ2Ｃインターフェイス１２７の各々は、相互接続トポロジー１２４の
それぞれのＩ2Ｃデータ線２０を通してそれぞれのフレームアーム１１６のＰＣＢ１２２
に電気的に相互接続可能である（図２を参照）。Ｉ2Ｃインターフェイス１２７は、Ｉ2Ｃインターフェイス１２７をサービスプロセッサ１６０に電気的に接続するＩ2Ｃバス（図
示せず）の一部を形成するか、または他のやり方でＩ2Ｃバスに電気的に相互接続されて
もよい。インターフェイス１２３は、任意の適切な態様でサービスプロセッサ１６０に電気的に接続されるネットワークスイッチの複数のイーサネット（登録商標）ポートなどの複数のネットワークインターフェイス１２９も含んでもよい。各々のネットワークインターフェイス１２９は、相互接続トポロジー１２４のそれぞれのネットワーク線２４を通してそれぞれのフレームアーム１１６のコネクタ１２８に電気的に相互接続可能である（図４を参照）。
【００７１】
フレームセンター１２０は、フレーム１００内のフレームセンター１２０の固定された場所データ１４１（すなわち、フレーム１００内のフレームアーム１１６に対するフレームセンター１２０の場所）と固定された相互接続トポロジー情報１４５との両者を記憶するメモリ１４４も含む（または少なくともメモリ１４４へのアクセスを有する）。概して、トポロジー情報１４５は、フレームアーム１１６のうち各々の固定された場所データ１４１、フレームアーム１１６のうち各々のＩＰアドレス、Ｉ2Ｃインターフェイス１２７
のどれがフレームアーム１１６のうちどれに電気的に接続されることになっているか（たとえば、各々のフレームアーム１１６はそのそれぞれの固定された場所データによって識別され得る）、ネットワークインターフェイス１２９のどれがフレームアーム１１６のどれに電気的に接続されることになっているかなどを含む、フレーム１００の予測される全体的なトポロジーの定義を含む。トポロジー情報１４５は、さまざまなフレームアーム１
１６およびフレームアーム１１６にそれぞれインターフェイスされるＦＲＵ１１２についてのコンフィギュレーション記録も含む。たとえば、コンフィギュレーション記録は、フレームアーム１１６の特定のものにそれぞれインターフェイスされ得るＦＲＵ１１２の種類、特定のＦＲＵ１１２の電力および冷却要件などの情報を含んでもよい。固定された場所データ１４１およびトポロジー情報１４５はそれぞれ、この開示で後に論じられるように、ワーカおよびマネージャＰＲＯＭ画像１４０，１４８内に記憶されてもよい。
【００７２】
１つの配置では、フレームセンター１２０は、Ｉ2Ｃインターフェイス１２７に（たと
えばＩ2Ｃデータバスに）電気的に相互接続され、かつＦＲＵ１１２のうち１つ以上の１
つ以上の状態またはステータス（たとえば、障害、取外し要求など）に基づいて活性化（たとえば、オン、点滅など）するように構成される１つ以上のＬＥＤ１７５などの複数のインジケータ１７５も含んでもよい。いずれにせよ、ユーザは、単に情報１４５に対する変更を実現する（たとえば、フレームセンター１２０と通信する任意の適切なユーザインターフェイスを介して、フレームセンター１２０のインターフェイス１２３のうち異なるものに特定のフレームアーム１１６を関連付ける）ことによって、フレーム１００の全体的なトポロジーを柔軟にカスタマイズする（すなわち「仮想バックプレーン」を修正する）、および／または固定された相互接続トポロジー１２４を柔軟にカスタマイズする（たとえば、ネットワークインターフェイス１２７の１つから特定のネットワーク線２４の一方端を取外して、これをネットワークインターフェイス１２７の異なるものにプラグ挿入する）ことができる。フレームの全体的なトポロジーを柔軟にカスタマイズできることは、固定される／静的であり、かつ一般的に修正ができないブレードエンクロージャのバックプレーンとは対照的である。
【００７３】
別の配置では、フレームセンター１２０のサービスプロセッサ１６０は、固定された相互接続トポロジー１２４を介したフレームセンター１２０とフレームアーム１１６との間のさまざまな接続が、フレームセンター１２０のメモリ１４４中のトポロジー情報１４５に記憶される予測されるトポロジー定義に一致するか否かを検証することができてもよい。たとえば、サービスプロセッサ１６０は、特定のＩ2Ｃ線２０の第１および第２の端が
それぞれトポロジー情報１４５中に特定される特定のＩ2Ｃインターフェイス１２７およ
びフレームアーム１１６にそれぞれ電気的に接続されるか否かを確認することができてもよい。図１、図４、および図５を参照して、フレームセンター１２０のサービスプロセッサ１６０は、まず、メモリ１４４中のトポロジー情報１４５を読出して、フレームセンター１２０、フレームアーム１１６、および固定された相互接続トポロジー１２４についてのトポロジー定義を取得してもよい。たとえば、トポロジー定義は、フレームセンター１２０の第１のＩ2Ｃインターフェイス１２７が第１のＩ2Ｃ線２０によって（そのそれぞれのＩＤまたは場所情報１４１によって識別されるような）第１のフレームアーム１１６に電気的に接続されることになっており、フレームセンター１２０の第２のＩ2Ｃインター
フェイス１２７が第２のＩ2Ｃ線２０によって第２のフレームアーム１１６に電気的に接
続されることになっているなど、と特定することができる。トポロジー定義は、さまざまなネットワーク線２４ならびに／または固定された相互接続トポロジー１２４の他の電力および通信チャネルについての同様の情報を特定することができる。
【００７４】
サービスプロセッサ１６０は次に、読出したトポロジーに従って、固定された相互接続トポロジー１２４の複数の通信線（たとえば、さまざまなＩ2Ｃおよびネットワーク線２
０，２４）の各々が、フレームセンター１２０と複数のフレームアーム１１６のうち１つとの間に電気的に相互接続されているか否かを確定してもよい。１つの実施形態では、サービスプロセッサ１６０は、（たとえば、フレームアーム１１６のＩＰアドレスなどを用いて）複数の通信線上で複数の信号を送ってもよく、次に、読出した物理的トポロジー中の複数の通信線のうち１つにそれぞれ関連付けられる複数のフレームアーム１１６の１つによる複数の信号のうち各々の受信を任意の適切な態様で検証してもよい。換言すると、
サービスプロセッサ１６０は、フレームアーム１１６「♯３」に電気的に接続されることになっている特定のＩ2Ｃ線２０上で信号を送ってもよく、次にフレームアーム１１６♯
３による信号の受信を検証してもよい。同様のプロセスをさまざまな他のＩ2Ｃおよびネ
ットワーク線２０，２４の各々について行なってもよい。
【００７５】
一例として、フレームアーム１１６がラック１０４内で特定の向きに配置されていると仮定する。たとえば、図１は、フレームアーム１１６が一般的にどのようにラック１０４の頂部と底部との間に鉛直に積層された態様で配置され得るかを示す（たとえば、各々のフレームアーム１１６は、それぞれラック１０４の頂部または底部からの距離の関数としてなど、ラック１０４内の特定の順序で物理的に維持される）。この点において、サービスプロセッサ１６０は順次、ラック１０４中のフレームアーム１１６の配置に一致する特定の順序で特定のフレームアーム１１６に電気的に接続されることが予測される各々それぞれの通信線上で各々の信号を送ってもよい。次に、フレーム１００の正確な配線を迅速に検証するために、特定の順序での信号の順次の受信を確認してもよい。
【００７６】
たとえば、各々の順次の信号は、各々それぞれのフレームアーム１１６上のインジケータ（たとえば、ＬＥＤ１８０）を活性化するように構成されてもよい。この点において、フレーム１００の適当な配線は、ラック１０４の頂部から底部に向けて（その逆も然り）ＬＥＤ１８０の「視覚的歩行」をユーザが観察することによって検証されてもよい。実際の電気的接続と予測される電気的接続との間のいずれの配線誤りも、フレームアーム１１６のＬＥＤ１８０の順次歩行または活性化における飛びまたは不正確さを通して識別することができる。別の例として、サービスプロセッサ１６０は、（図５の）トポロジー情報１４５を読出して、（たとえば、ラック１０４の頂部から底部に向けて）特定の順序でフレームアーム１１６に電気的に接続されることが予測されるＩ2Ｃ線２０の特定の順序を
判断し、特定の順序のＩ2Ｃ線２０を介してフレームアーム１１６のメモリ中の場所デー
タ１４１を読出し、次に、読出した場所データ１４１がＩ2Ｃ線２０の各々に関連付けら
れるトポロジー情報１４５中の場所データに一致することを検証するように構成されてもよい。１つの配置では、フレームセンター１２０上の任意の適切なインジケータ１７５（たとえば、ＬＥＤ１７７）は、フレームが正しく配線されているか否かに依存して点灯するまたは他のやり方で活性化するように構成されてもよい。配線誤りに応答して、フレームは正しい配線を検証するように評定され、再配線され、かつ再試験されることができる。
【００７７】
この点において、フレーム１００は、接続される／インターフェイスされるＦＲＵ１１２とフレームセンター１２０とが（たとえば、オフセットＵに関連して）フレーム内のＦＲＵ１１２の物理的場所について合致することができるのに十分な情報を永続的に記憶する。そのような永続的に記憶される情報は、フレームアーム１１６、フレームセンター１２０、固定された相互接続トポロジー１２４、および／または他の適切な場所に常駐してもよい。たとえば、フレームセンター１２０のメモリ１４４中のトポロジー情報１４５は、「線終点（Ａ）：管理サーバ（Ｘ）：ポート（Ｎ）＜−＞線終点（Ｂ）：受入れ構造（Ｕ）」の形態の固定された相互接続トポロジー１２４のすべての線／経路の固定された一覧を含んでもよい。
【００７８】
いずれにせよ、サービスプロセッサ１６０および／またはフレームマネージャ１６８は、固定された相互接続トポロジー１２４およびフレームアーム１１６を利用して、（たとえば、ＦＲＵ１１２の製造者、ＦＲＵ１１２のフォームファクタなどに係わらず）フレームアーム１１６にインターフェイスするＦＲＵ１１２のＯＯＢ管理を容易に行なう。すなわち、フレーム１００は、サービスプロセッサ１６０および／またはフレームマネージャ１６８が、（たとえば製品種類、マザーボードリビジョン（revision）、プロセッサ構成、メモリ構成、ＰＣＩルートノードおよび葉ノード構成などに関連して）キャビネット１
０４内に設置される数多くの異なる種類のＦＲＵ１１２であり得るもののＯＯＢ管理を実質的にシームレスに、しかしブレードシャーシのシステムコントローラが個別のブレードを管理する態様と同様の態様で、行なえるようにする。フレーム１００内のＦＲＵ１１２の物理的場所または固定された場所がわかっていれば、サービスプロセッサ１６０および／またはフレームマネージャ１６８は、ＦＲＵ１１２へのおよびＦＲＵ１１２同士の間の通信および要求を容易に渡すことができる。管理者は誤作動するＦＲＵ１１２を容易に取換えるかまたは他のやり方で矯正して、高いレベルの使用可能時間、冗長障害アーキテクチャ、および短い平均修復時間などを維持することができる。１つの配置では、サービスプロセッサ１６０および／またはフレームマネージャ１６８は、電力引出しを監視して、フレームアーム１１６および対応のＦＲＵ１１２の場所を判断することができてもよい。たとえば、ＦＲＵ１１２のコネクタ１３２が特定のフレームアーム１１６の対応のコネクタ１２８にインターフェイスすると、サービスプロセッサおよび／またはフレームマネージャ１６８は、結果的に生じるＦＲＵ１１２による電力の引出しを検出し、これによりフレーム１００内のＦＲＵ１１２の固定されたまたは物理的場所を判断するように設計されてもよい。
【００７９】
ここで図６を参照して、フレーム１００内のＦＲＵ１１２のＯＯＢ管理の文脈でイベントの１つの代表的なシーケンス６００を論じる。６０４で、フレームアーム１１６に電気的にインターフェイスされるＦＲＵ１１２に関して、フレームセンター１２０において、フレームアーム１１６の１つから信号が受信され得る。一例として、ＦＲＵ１１２が、そのコネクタ１３２が（たとえば図１および図４のように）フレームアーム１１６の対応のコネクタ１２８に相互接続する／インターフェイスするようにフレーム１００中に設置されると想定する。コネクタ１２８，１３２間のインターフェイスは、フレームアーム１１６からフレームセンター１２０のサービスプロセッサ１６０への信号の送信をトリガする。たとえば、コネクタ１２８に電気的に接続されるフレームアーム１１６の適切な回路構成（たとえば、ＰＣＢ１２２の回路構成、図示せず）は、（たとえば、図４の電力ポート４４，４８および電力線５２，５６，２８，３２を介した）ＦＲＵ１１２による電力引出しを検出し、次に（たとえば、フレームアーム１１６とフレームセンター１２０との間に電気的に接続される割込線上に、フレームアーム１１６とフレームセンター１２０との間に電気的に接続されるそれぞれのＩ2Ｃデータ線２０上に、など）フレームセンター１２
０のサービスプロセッサ１６０に割込みまたは警告を生成しかつ送ってもよい。別の例として、ユーザがラック１０４の受入れベイからＦＲＵ１１２を取外してＦＲＵ１１２に対して保守を行なって、ＦＲＵ１１２を別のＦＲＵ１１２と置換する（たとえば、ＦＲＵ１１２をホットスワップする）などすることを望んでいると想定する。たとえば、ユーザは、フレームアーム１１６上のボタン１８２（たとえば、図４を参照）を押下して、（たとえば、ＰＣＢ１２２の任意の適切な論理／回路構成によって、図示せず）フレームセンター１２０への「取外し要求」信号／警告の生成および送信を生じさせ得る。
【００８０】
受信した信号に応答して、フレームセンター１２０のサービスプロセッサ１６０は、任意の適切な態様でそこから信号を受信したフレームアーム１１６のＩＤ（たとえばアドレス、コードなど）を確定する６０８ように進んでもよく、確定されたＩＤは、フレーム１００中の他のフレームアーム１１６からフレームアーム１１６を区別する。たとえば、ＩＤは、フレーム１００内のフレームアーム１１６の固定された場所を識別してもよく、他のフレームアーム１１６に対するフレームアーム１１６を識別する一意の数字などであってもよい、などである。１つの配置では、サービスプロセッサ１６０は、これを通して信号を受信した特定のインターフェイス１２３のＩＤを、記憶されたトポロジー情報１４５（図３を参照）中のインターフェイスＩＤおよび対応のフレームアームＩＤの表などの中へのキーとして利用してフレームアームＩＤを確定してもよい。別の配置では、信号がその上で受信された特定の線／ケーブル（たとえば、Ｉ2Ｃデータ線２０）は、フレームア
ーム１１６のＩＤを判断するのに用いるためにサービスプロセッサ１６０によって読出さ
れ得る任意の適切なＩＤ（たとえば、シリアル番号または他の識別データ）を記憶するメモリを含むスマートまたはインテリジェントケーブルであってもよい。たとえば、サービスプロセッサ１６０は、記憶されたトポロジー情報１４５中のスマートケーブルＩＤおよびフレームアームＩＤの表などへのキーとしてスマートケーブルのＩＤを利用してフレームアームＩＤを確定してもよい。
【００８１】
確定されたフレームアームＩＤをキーとして用いると、サービスプロセッサ１６０は、フレームアーム１１６に対応する任意の適切なＯＯＢ管理記録をフレームセンター１２０のメモリ１４４中のトポロジー情報１４５から取得して６１２、取得した管理記録を用いてＦＲＵ１１２を管理して６１４もよい。たとえば、サービスプロセッサ１６０および／またはフレームマネージャ１６８は、取得した記録を利用して、フレームセンター１２０とフレームアーム１１６との間に電気的に接続される対応のネットワーク線１２９上でＦＲＵ１１２のＯＯＢサービスプロセッサ１６４との接続を確立し、かつＦＲＵ１１２がフレーム１００の任意の特定のＯＯＢ管理要件（たとえば、最低限の処理要件および／または記憶容量、任意の特定のマザーボードリビジョン番号など、その一部またはすべてはポリシー駆動であってもよい）を満たすかまたは満足させるか否かを判断してもよい。
【００８２】
図６に示されるように、管理すること６１４は、ＦＲＵ１１２の１つ以上のプロパティを判断すること６１６（たとえば、ＦＲＵ１１２のＯＯＢサービスプロセッサ１６４と通信してＦＲＵ１１２の処理速度、記憶容量などを取得すること）、ＦＲＵ１１２の１つ以上のプロパティに関連して取得した管理記録を評価すること６２０（たとえば、ＦＲＵが任意の特定された最小処理速度、記憶容量などを満たすか否かを判断すること）、および評価すること６２０に基づいて行為を行なうこと６２４を含んでもよい。
【００８３】
たとえば、ＦＲＵ１１２が１つ以上の最小限の要件を満たしていないと判断すると、サービスプロセッサ１６０および／またはフレームマネージャ１６８は、ＦＲＵ１１２がフレーム１００の管理サービス文脈に加わるのを許さない（たとえば、およびしたがって、ＦＲＵ１１２の主プロセッサが電源投入することすら許さない、またはＦＲＵ１１２が正常に、すなわち、ＦＲＵ１１２がフレーム１００の一部ではないかのように、進むことしか許さない）ことがある。しかし、ＦＲＵ１１２を動作確認すると（たとえば、ＦＲＵがいずれの必要な管理要件も満たしていないと判断すると）、サービスプロセッサ１６０および／またはフレームマネージャ１６８は、（たとえば、ＯＯＢサービスプロセッサ１６４を介して）ＦＲＵ１１２のマザーボード上の主プロセッサに、ＦＲＵ１１２が（以下により十分に論じる）フレーム１００の管理サービス文脈の一部として動作するよう進むことができるよう電源投入するように指示してもよい。
【００８４】
ＦＲＵ挿入警告に加えて、フレームセンター１２０は、障害条件、ＦＲＵ１１２を取外す要求などに関連して、フレームアーム１１６から警告またはメッセージも受信して適切な行為を行なってもよい。たとえば、フレームセンター１２０のサービスプロセッサ１６０が（たとえば、ＦＲＵ１１２がインターフェイスするフレームアーム１１６にフレームセンター１２０を電気的に接続するそれぞれのネットワーク線２４上で）ＦＲＵ１１２のＯＯＢサービスプロセッサ１６４から警告または障害状態を示す他のメッセージを受信すると、フレームマネージャ１６８は、障害を矯正することを試みる、障害のあるＦＲＵ１１２のフレーム１００中の場所を示す警告を管理者に送る、ＦＲＵ１１２をオフラインにする、などの任意の適切な修復行為を行なってもよい。
【００８５】
別の例として、ユーザが、（たとえば、ホットスワップ動作の一部として）ＦＲＵ１１２をそのそれぞれのフレームアーム１１６から切り離すことを望む場合、ユーザは、先に論じたように、フレームアーム１１６上の特定のボタン１８２（図４を参照）を押下して、フレームアーム１１６からフレームセンターのサービスプロセッサ１６０へのホットス
ワップ要求の送出を開始させてもよい。ホットスワップ要求を受信すると、サービスプロセッサ１６０は、対応のＦＲＵ１１２のホットスワップが許されるか否かを判断するように進んでもよい。たとえば、（たとえば、場所データなどのフレームアームＩＤに従う）さまざまなフレームアーム１１６および／または対応のＦＲＵ１１２についてのホットスワップポリシー（または他の管理ポリシー）の表がフレームセンター１２０のメモリ１１４中のトポロジー情報１５５中に維持されてもよい。次に、サービスプロセッサ１６０は、特定のフレームアーム１１６中に設置されるＦＲＵ１１２のホットスワップが許されるか否かに基づいて、要求されるホットスワップ動作を許すようにまたは許さないように進んでもよい。１つの配置では、フレームアーム１１６上の特定の色の１つ以上のＬＥＤ１８０（たとえば、図２を参照）は、要求されたホットスワップ動作が許されるか否かに基づいて点灯してもよい。サービスプロセッサ１６０および／またはフレームマネージャ１６８によるアウトオブバンド管理の数多くの他の例が本開示の範囲内で企図され包含される。
【００８６】
１つの配置では、フレームセンター１２０およびフレームアーム１１６の各々にあるプログラマブル読出専用メモリ（ＰＲＯＭ）画像内に記憶される管理記録仕様のフレームワークがサービスプロセッサ１６０および／またはフレームマネージャ１６８によって提供されかつアクセスされて、フレームアーム１１６および対応のＦＲＵ１１２の場所を判断し、特定のＦＲＵ１１２に対応する管理ポリシーをアドミニストレーションするなどしてもよい。論じられるように、開示される管理記録仕様は、フレームセンター１２０にあるメモリ１４４中に記憶される（かつ設置されたＦＲＵ１１２を管理することの一部としてサービスプロセッサ１６０および／またはフレームマネージャ１６８によってアクセスされ得る）「マネージャ」ＰＲＯＭ画像１４８と、複数のフレームアーム１１６のメモリ１３６およびフレームセンター１２０のメモリ１４４内に記憶され、かつサービスプロセッサ１６０および／またはフレームマネージャ１６８によってアクセスされてＯＯＢ管理を行ない、かつ設置されたＦＲＵ１１２によってアクセスされてフレームの役割、物理的場所などを判断し得る複数の「ワーカ」ＰＲＯＭ画像１４０と、内に実現されてもよい。
【００８７】
一般的に、フレームアーム１１６中にＦＲＵ１１２を設置することにより、ＦＲＵ１１２のＯＯＢサービスプロセッサ１６４は、フレームアーム１１６のワーカＰＲＯＭ画像１４０中の記録（たとえば、図２の場所データ１４１）にアクセスして、まず、ＦＲＵ１１２が別の種類のエンクロージャに対してフレーム１００中に設置されているか否かを判断する。ＯＯＢサービスプロセッサ１６４がワーカＰＲＯＭ画像１４０の場所記録を読出すことができると仮定すると、これは次に、フレーム１００内のその場所とフレーム内のその役割との両方を規定する情報（たとえば、ＦＲＵが単に「ワーカ」ＦＲＵとして機能するのか、フレーム１００内で何らかの種類の管理的役割を果たすのかなど）を取得してもよい。加えて、サービスプロセッサ１６０および／またはフレームマネージャ１６８は、マネージャＰＲＯＭ画像１４８から情報（たとえば、トポロジー情報１４５）を取得して、マネージャＰＲＯＭ画像１４８に対する更新が新しく設置されたＦＲＵ１１２に対応する記録を含むようにすることに加えて（たとえば、ホットスワップ、ファームウェア更新を伝播することなどに関連して）、さまざまなＦＲＵ１１２の各々をどのように管理するかを理解する。製品およびコンフィギュレーションの変更は一般的に、複数のワーカＰＲＯＭ画像１４０とは反対にマネージャＰＲＯＭ画像１４８に対する修正しか要件としないので、開示される管理記録仕様は有利には、異なるフレームコンフィギュレーションにわたってほぼ静的なままであり、管理のオーバーヘッドを低減することができる。
【００８８】
図４に戻って、各々のフレームアーム１１６のメモリ１３６は、それぞれのフレームアーム１１６の固定された場所データ１４１を含有する少なくとも１つの対応のワーカＰＲＯＭ画像１４０を記憶するＰＲＯＭの形態であってもよい。各々のワーカＰＲＯＭ画像１４０は、ＦＲＵ１１２が広く用いてＦＲＵ１１２がフレーム１００中に（すなわち、別の
種類のラックまたはキャビネットに対して）設置されているか否かを判断する、（たとえば、固定された場所データ１４１を介して）フレーム１００内のＦＲＵ１１２の場所を判断する、ＦＲＵ１１２がフレーム１００内で担うべき特定の「役割」を判断する、ＦＲＵ１１２がサービスプロセッサ１６０および／またはフレームマネージャ１６８などと通信するための１つ以上のＩＰアドレスを取得できるようにする、など（以下に論じる）の情報記録を含む。さらに、フレームセンター１２０のメモリ１４４は、トポロジー情報１４５（すなわち、たとえば、フレームアームの場所、コンフィギュレーション、電力および冷却要件などに関連の、フレーム１００を規定するのに必要な情報）を含み、かつサービスプロセッサ１６０および／またはフレームマネージャ１６８が用いてＦＲＵ１１２のＯＯＢ管理を行ない、フレームアーム１１６同士の間の入来するまたは外に出ていく通信を経路決めなどすることができる少なくとも１つのマネージャＰＲＯＭ画像１４８を記憶するＰＲＯＭの形態であってもよい。フレームセンター１２０のメモリ１４４は、フレームセンター１２０が用いて、フレーム１００内のその場所を判断し、管理通信を経路決めするためにＦＲＵのＩＰアドレスを判断などすることができる対応のワーカＰＲＯＭ画像１４０も記憶する。
【００８９】
ＦＲＵ１１２、フレームアーム１１６、およびフレームセンター１２０がどのようにフレーム１００内で相互作用して前述の増大した可用性および保守性のレベルを提供するかの読み手の理解をさらに容易にするため、フレーム１００とともに用いるための方法２００を示す図７と、フレーム１００内で用いるためのワーカおよびマネージャＰＲＯＭ画像１４０，１４８の概略図を示す図８−図９とをここで付加的に参照する。方法２００は、ＦＲＵ１１２をフレーム１００のフレームアーム１１６にインターフェイスすること２０４を含んでもよい。たとえば、インターフェイスすること２０４は、第１のＦＲＵ１５２のコネクタ１３２が第１のフレームアーム１５６のコネクタ１２８（図１を参照）にインターフェイスするかまたは他のやり方で相互接続するように、第１のＦＲＵ１５２をキャビネット１０４の特定のベイの中に挿入することを必然に伴ってもよい。方法２００は次に、第１のフレームアーム１５６のワーカＰＲＯＭ画像１４０の場所記録（たとえば、図４の場所データ１４１）を読出すことを（たとえば、第１のＦＲＵ１５２のＯＯＢサービスプロセッサ１６４によって）試みること２０８を含んでもよい。
【００９０】
図８を簡単に参照して、ワーカＰＲＯＭ１４０は場所記録３０４およびサブネットＩＰ記録３２４を含んでもよい。場所記録３０４は、ワーカＰＲＯＭ画像１４０が記憶されるフレームアーム１１６の地理的アドレスまたは場所を識別する、たとえば、対応のＦＲＵ１１２の地理的アドレスまたは場所を識別する、ように働く１つ以上の一意の場所ＩＤを含んでもよい。たとえば、場所記録３０４は、対応のフレームアーム１１６のコネクタ１２８に直接にまたは物理的に相互接続されるＦＲＵ１１２（たとえば、フレームアーム１１６♯２に接続されるＦＲＵ１１２は、「２」という対応の物理的場所ＩＤ３０８を有し得る一方で、フレームアーム１１６♯６に接続されるＦＲＵ１１２は「６」という対応の物理的場所ＩＤ３０８を有し得る）のフレーム１００内の場所を識別する「物理的」場所ＩＤ３０８を含んでもよい。１つの配置では、物理的場所ＩＤ３０８はフレーム１００内の特定のオフセットＵ（たとえば、オフセットラックユニットの数）を与えてもよい。
【００９１】
場所記録３０４は、１つ以上の「非物理的」場所ＩＤ３１２も含んでもよく、その各々は、フレームアーム１１６に直接に相互接続される別のＦＲＵ１１２を介して対応のフレームアーム１１６に間接的に相互接続される少なくとも１つのＦＲＵ１１２の場所を識別する。たとえば、図１０は、ブレードエンクロージャの形態のＦＲＵ１１２′のコネクタ１３２が対応のフレームアーム１１６のコネクタ１２８にインターフェイスするフレーム１００′の別の実施形態を示す。ＦＲＵ１１２′は、ＦＲＵ１１２′内に適切に搭載されるブレードサーバの形態の複数のＦＲＵ１１２″を含む。この場合、フレームアーム１１６の対応のワーカＰＲＯＭ画像１４０の場所記録３０４は、フレーム１００′内のＦＲＵ
１１２′の場所を識別する物理的場所ＩＤ３０８と、複数のＦＲＵ１１２″のフレーム１００′内の場所を識別する複数の非物理的ＩＤ３１２とを含んでもよい。たとえば、フレームアーム１１６♯８に接続されるOracle Sun Netra６０００シャーシ（たとえばＦＲＵ１１２′）のシャーシ管理モジュール（ＣＭＭ）（図示せず）は、「８」という物理的場所ＩＤ３０８によって識別されてもよく、シャーシの「スロット♯３」内に配設されるブレードサーバ（たとえば、ＦＲＵ１１２″）のＯＯＢサービスプロセッサ１６４は、「１３１」（０×８３）という非物理的場所ＩＤ３１２によって識別されてもよい。
【００９２】
特定のワーカＰＲＯＭ画像１４０の場所記録３０４が１つ以上の非物理的場所ＩＤ３１２を含む場合、場所記録３０４は、非物理的場所ＩＤ３１２（すなわち、フレーム１００に対してＦＲＵ１１２″を識別するＩＤ）を、ローカルデバイス番号３２０（すなわち、ＦＲＵ１１２′に対してＦＲＵ１１２″を識別するＩＤ）にマッピングするかまたは他のやり方でリンクし、かつサービスプロセッサ１６０および／またはフレームマネージャ１６８との通信を待つ必要のない態様でＦＲＵ１１２″を構成するのにＦＲＵ１１２′が用いてもよい従属場所ＩＤ一覧３１６も含んでもよい。場所記録３０４は、フレーム内のＦＲＵ１１２の役割（たとえば、フレームマネージャ１６８としての役割、ワーカＦＲＵとしての役割など）を識別する「識別」バイト３３２も含んでもよい。たとえば、フレームセンター１２０のワーカＰＲＯＭ画像１４０の識別バイト３３２は、「フレームマネージャ」役割に設定されてもよいので、フレームセンター１２０がフレーム１００中に設置されると、フレームセンター１２０はフレームマネージャ１６８として機能するように進む。
【００９３】
サブネットＩＰ記録３１６は、フレームセンター１２０、サービスプロセッサ１６０、および／もしくはフレームマネージャ１６８、ならびに／または他のＦＲＵ１１２と通信するのに必要な情報を、各々のＦＲＵ１１２のＯＯＢサービスプロセッサ１６４に概して提供するベース管理サブネットＩＰアドレス３２８を含む。より具体的には、（たとえば、他のＦＲＵ１１２の）個別アドレスは、ネットワークアドレスとしてサブネットＩＰアドレス３２８を、かつホストアドレスとして物理的または非物理的場所ＩＤ３０８，３１２を用いることによって、導出されてもよい。
【００９４】
図１および図７に戻って、方法２００の読出すことを試みるステップ２０８は、第１のＦＲＵ１５２のＯＯＢサービスプロセッサ１６４がワーカＰＲＯＭ画像１４０の場所記録３０４の物理的および／または非物理的場所ＩＤ３０８，３１２を読出すことを試みることを含んでもよい。その後、方法２００は、場所記録３０４を読出すことができるか否かを判断して２１２もよい。２１２での否定的な判断に応答して、方法２００は２１６に進んでもよく、ここで第１のＦＲＵ１５２は、「正常」モード（たとえば、フレーム１００の管理サービス文脈との関連付けのない動作のモード）で動作してもよい。２１２での肯定的な判断に応答して、方法２００は２２０に進んでもよく、この点で、第１のＦＲＵ１５２は、「スマートフレーム」モード（たとえば、フレーム１００の管理サービス文脈によって少なくとも部分的に制御されるまたは支配される動作のモード）で動作されてもよい。２１２での肯定的な判断の結果の一部は、フレームマネージャ１６８が第１のＦＲＵ１５２上の主プロセッサに電源投入するように指示することであってもよい。
【００９５】
図７に示されるように、スマートフレームモードでの第１のＦＲＵ１５２の動作２２０は、ＯＯＢサービスプロセッサ１６４を介してワーカＰＲＯＭ画像１４０の識別バイト３３２のビットマスクを読出し解釈することなどの、フレーム１００内の第１のＦＲＵ１５２の役割を判断すること２２４を含んでもよい。たとえば、役割がワーカＦＲＵであるか否かについての問合せ２２８に対する肯定的な判断に応答して、方法２００は２３２に進んでもよく、ここで第１のＦＲＵ１５２は、（たとえば、第１のＦＲＵ１５２がフレームマネージャ１６８によって管理される態様で）一般的にフレームマネージャ１６８に従属
的である態様で動作されてもよい２３２。問合せ２２８に対する否定的な判断に応答して、方法２００は、判断された役割がフレームマネージャであるか否かの問合せ２３６に進んでもよい。
【００９６】
より具体的には、フレームマネージャ１６８はフレームセンター１２０によって実現されるものとして一般的に説明されかつ示されるが、これは常に必ずしもそうとは限らない。たとえば、ワーカＰＲＯＭ画像の第１のＦＲＵ１５２の識別バイト３３２のビットマスクはフレームマネージャの役割を示してもよい。そのような役割を判断すると、方法２００は、第１のフレームアーム１５６のマネージャＰＲＯＭ画像１４８から管理記録を取得し２４４、次に（たとえば、フレームセンター１２０のサービスプロセッサ１６０に関連して第１のＦＲＵ１５２上で実行するフレームマネージャ１６８を介して）取得した管理記録に従ってフレーム１００のワーカＦＲＵ（および可能な付加的なＦＲＵ）を管理する２４８ように進んでもよい。
【００９７】
たとえば、フレーム１００の初期コンフィギュレーションおよび／または任意の他の適切なときに、管理者または他のユーザは、（フレームマネージャ役割に対応するように、選択されたフレームアーム１１６のワーカＰＲＯＭ画像１４０の識別バイト３３２のビットマスクを設定することに加えて）選択されたフレームアーム１１６のメモリ１３６中にマネージャＰＲＯＭ画像をロードするか、または他のやり方で記憶してもよい。１つの配置では、各々のＦＲＵ１１２は、それがフレームマネージャの役割を有すると判断すると、それが実行し得るメモリ１５８中のフレームマネージャ１６８のコピーを記憶してもよい。別の配置では、ＦＲＵ１１２は、それがフレームマネージャの役割を有すると判断すると、メモリ１５８の中への記憶およびその後の実行のために通信チャネル１２４を介して任意の適切な場所（たとえば、別のＦＲＵ１１２、フレームセンター１２０、より高レベルの構成要素など）からフレームマネージャ１６８のコピーを取得してもよい。ＦＲＵは、本開示の範囲内に包含される他のさまざまな種類の役割に従って動作２４０してもよい。
【００９８】
いずれの場合も、サービスプロセッサ１６０および／またはフレームマネージャ１６８は、フレーム１００のＦＲＵ１１２を管理することの一部としてマネージャＰＲＯＭ画像１４８の情報を利用する。ここで図９を参照して、マネージャＰＲＯＭ画像１４８は、設置されたＦＲＵ１１２およびフレームセンター１２０に関連付けられるワーカＰＲＯＭ画像１４０のうちすべての場所記録３０４と、サブネットＩＰ記録３２４とを含む。この点において、サービスプロセッサ１６０および／またはフレームマネージャ１６８は、設置されたＦＲＵ１１２およびフレームセンター１２０の各々の個別のアドレスを、これらの間の通信において用いるための場所記録３０４およびサブネットＩＰ記録３１６を用いて導出することができる。マネージャＰＲＯＭ画像１４８は、コンフィギュレーションデータ記録３４０、電力および冷却要件記録３４８、フレームアームアドレス記録３５２なども含んでもよい。
【００９９】
コンフィギュレーションデータ記録３４０は一般的に、フレーム１００中の特定のフレームアーム１１６に設置されるＦＲＵ１１２に特有のコンフィギュレーション情報を記憶する。示されるように、コンフィギュレーションデータ記録３４０は、具体的な場所記録３０４に、（たとえば、具体的な物理的場所ＩＤ３０８で）タグ付けされる複数の「ポリシー」バイト３４４によってコンフィギュレーション情報を記憶してもよい。たとえばコンフィギュレーションデータ記録３４０は、場所ＩＤ３０８に関連付けられるＦＲＵ１１２のホットスワップが不能化される、活性化される、不活性化されるなどを示す場所ＩＤ３０８の各々毎に特定のビットマスクを有する「ホットスワップ」ポリシーバイト３４４を含んでもよい。別の例として、コンフィギュレーションデータ記録３４０は、ＦＲＵ１１２のファームウェアがフレームマネージャ１６８のコンフィギュレーションに加わると
、ファームウェアが特定のバージョンのものであるか否かを判断するようにチェックされるべきか、自動的にアップグレードされなければならないか、チェックする必要がないかなどを特定する「ファームウェア」ポリシーバイト３４４を含んでもよい。（たとえば、物理的場所ＩＤ３０８によって識別されるような特定のフレームアーム１１６の、設置されるＦＲＵ１１２中の最小限の必要な利用可能メモリを特定する）「メモリサイズ」バイト３４４、（たとえば、物理的場所ＩＤ３０８によって識別されるような特定のフレームアーム１１６に設置することができる１つ以上の特別の種類のＦＲＵを特定する）「設置種類」バイト３４４、（たとえば、設置されるＦＲＵ１１２が有する必要がある１つ以上の特定の種類のネットワーク接続を特定する）「ネットワーク接続」バイト３４４などの、数多くの他の種類のポリシーバイト３４４が企図される。
【０１００】
（本明細書中に開示される他の記録と同様の）コンフィギュレーションデータ記録３４０は、任意の適切な態様で配置されかつ整理されてもよい。たとえば、コンフィギュレーションデータ記録３４０は表またはデータベース形式で配置されてもよく、これにより、物理的および／または非物理的場所ＩＤ３０８，３１２が第１の行または第１の列を埋めてもよく、さまざまなポリシーバイト３４４の各々が第１の行または第１の列の他のものを埋めてもよく、かつさまざまなポリシーバイト３４４のビットマスクが場所ＩＤの各々毎に表の中のセルを埋めてもよい。サービスプロセッサ１６０および／またはフレームマネージャ１６８は、フレーム１００中に設置されるＦＲＵ１１２を管理することの一部としてコンフィギュレーションデータ記録３４０にアクセスしてもよい。１つの配置では、マネージャＰＲＯＭ画像１４８の構成は、フレーム１００中に現在設置されているＦＲＵ１１２を反映してもよい。より具体的には、フレームアーム１１６に直接にインターフェイスされているＦＲＵ１１２がない場合は、マネージャＰＲＯＭ画像１４８には、フレームアーム１１６に設置すべきＦＲＵ１１２およびフレームアーム１１６のワーカＰＲＯＭ画像１４０に特有の情報（たとえば、場所記録３０８、ポリシーバイト３４４、など）もなくてもよい。また、ＦＲＵ１１２が特定のフレームアーム１１６中に設置されてフレームの管理サービス文脈またはネットワークに加わる場合、サービスプロセッサ１６０および／またはフレームマネージャ１６８は、フレームアーム１１６に設置されるＦＲＵ１１２およびフレームアーム１１６に特有の情報を反映するようにマネージャＰＲＯＭ画像１４８の更新を容易にしてもよい。別の配置では、ＦＲＵ１１２がフレームアーム１１６上に設置されていてもいなくても、マネージャＰＲＯＭ画像１４８は、フレームアーム１１６、ポリシーバイト３４４などに特有の情報を記憶してもよい。
【０１０１】
異なるフレームコンフィギュレーションに関連して、マネージャＰＲＯＭ画像１４８に記憶される情報は、（たとえば、新しいまたは異なるコンフィギュレーションに対処するように）変化することがある一方で、ワーカＰＲＯＭ画像１４０中の情報はほぼ静的なままであってもよい。たとえば、フレーム１００のフレームアーム１１６の半分がＦＲＵ１１２で埋められ、埋められたフレームアーム１１６の各々がそれぞれのワーカＰＲＯＭ画像１４０を含む第１のコンフィギュレーションを想定する。さらに、フレーム１００の先に埋められていないフレームアーム１１６のうち１つ以上が今回１つ以上のＦＲＵ１１２で埋められるフレーム１００の第２のコンフィギュレーションを想定する。ここで、（フレームセンター１２０および／またはＦＲＵ１１２のうち１つに記憶される）マネージャＰＲＯＭ画像が新しく加えられたＦＲＵ１１２に対処するように更新されてもよい一方で、第１のコンフィギュレーションと第２のコンフィギュレーションとの間で共通の設置されたＦＲＵ１１２に対応するワーカＰＲＯＭ画像１４０の各々は同じままでもあってもよい。しかしながら、フレームアーム１１６中に設置される特定のＦＲＵ１１２が異なるＦＲＵで置換されると、フレームアーム１１６中のワーカＰＲＯＭ画像１４０（およびしたがって、マネージャＰＲＯＭ画像１４８）の情報は、ある状況では対応して変化してもよいことを理解すべきである。たとえば、１つまたは２つのフレームアーム１１６に設置される２Ｕ  ＦＲＵ１１２が同じ１つまたは２つのフレームアーム１１６に設置される４Ｕ
ＦＲＵ１１２と置換される場合、フレームアーム１１６のワーカＰＲＯＭ画像１４０の場所記録３０４は、（たとえば、２Ｕ  ＦＲＵと４Ｕ  ＦＲＵとの間の高さの違いにより）異なる「ラック場所高さ」を反映するように適切に更新されてもよい。
【０１０２】
サービスプロセッサ１６０および／またはフレームマネージャ１６８が設置されるＦＲＵ１１２をどのように管理するかの一例として、第１のＦＲＵ１５２がフレームマネージャ１６８を走らせ、第２のＦＲＵ１７２（図１を参照）がフレーム１００の第２のフレームアーム１７６にインターフェイスすると想定する。さらに、第２のＦＲＵ１７２のＯＯＢサービスプロセッサ１６４が第２のフレームアーム１７６中に記憶されるワーカＰＲＯＭ画像１４０の場所記録３０４を読出すことができ、かつ（たとえば、識別バイト３３２を読出すと）これがワーカＦＲＵであると判断すると仮定する。フレームマネージャ１６８が、（たとえば、第２のＦＲＵ１７２の挿入を示す、それぞれのＩ2Ｃ線２０を介した
第２のＦＲＵ１７２からの割込信号をサービスプロセッサ１６０が受信したというそれぞれのネットワーク線２４を介したサービスプロセッサ１６０からの警告を受信することによって）ワーカＦＲＵ（すなわち、第２のＦＲＵ１７２）がフレーム中に設置されたと判断すると、フレームマネージャ１６８は、第１のフレームアーム１５６のマネージャＰＲＯＭ画像１４８にアクセスして、第２のＦＲＵ１７２を管理する際に用いるための第２のフレームアーム１７６の物理的場所ＩＤ３０８でタグ付けされる管理記録を取得してもよい。
【０１０３】
たとえば、フレームマネージャ１６８が、第２のＦＲＵ１７２のＯＯＢサービスプロセッサ１６４から、そのネットワーク（すなわち、フレーム１００のネットワーク）に加わるという要求を受信すると、フレームマネージャ１６８は、現在のファームウェアバージョン、利用可能なメモリ、ネットワーク接続、マザーボードリビジョン、製品種類、ＰＣＩルートノードおよび葉ノードコンフィギュレーションなどの、第２のＦＲＵ１７２のさまざまな仕様またはプロパティについて第２のＦＲＵ１７２のＯＯＢサービスプロセッサ１６４に問合せてもよい。仕様を受信すると、フレームマネージャ１６８は、第２のフレームアーム１７６、物理的場所ＩＤ３０８に関連付けられる特定のポリシーバイトビットマスクに関連する、受信した仕様を分析または評価し、評価の結果に基づいて１つ以上の行為を行なってもよい。一例として、第２のＦＲＵ１７２がその現在のファームウェアをより新しいバージョンに更新する必要があるとフレームマネージャ１６８が判断すると、フレームマネージャ１６８は、第２のＦＲＵ１７２がそのファームウェアを更新するまで、フレームのネットワークへの第２のＦＲＵ１７２の参加を許さないことがある。別の例として、第２のＦＲＵ１７２のＯＯＢサービスプロセッサ１６４から、（たとえば、他のＦＲＵ１１２および／またはより高レベルの構成要素もしくはプロセスによる使用のために利用可能な）１つ以上のアプリケーションをオンラインにする要求を受信すると、フレームマネージャ１６８は、第２のＦＲＵ１７２の現在のネットワーク接続（たとえば、どのスイッチに第２のＦＲＵ１７２が接続されているか）についてＯＯＢサービスプロセッサ１６４に問合せてもよく、フレームマネージャ１６８によるネットワーク接続問合せの結果に基づいてアプリケーションをオンラインにすることを許してもよいまたは許さなくてもよい。
【０１０４】
１つの配置では、ユーザが第２のＦＲＵ１７２をホットスワップすることを望むと、第２のフレームアーム１７６の裏にあるボタンまたは他の特徴（たとえば、図４のボタン１８２）を押下するかまたは操作して、フレームセンター１２０に第２のフレームアーム１７６を電気的に接続する固定された相互接続トポロジー１２４のそれぞれのＩ2Ｃ線２０
を介してフレームセンター１２０のサービスプロセッサ１６０へのホットスワップ要求の送信を生じさせてもよい。要求を受信すると、サービスプロセッサ１６０は、フレームセンター１２０と第１のフレームアーム１５６との間のそれぞれのネットワーク線２４を介して第１のＦＲＵ１５２にあるフレームマネージャ１６８に要求を転送して（または、他
のやり方で警告して）、第２のＦＲＵ１７２のホットスワップ動作を行なってもよい。応答して、フレームマネージャ１６８は、第２のフレームアーム１７６に関連付けられる物理的場所ＩＤ３０８でタグ付けされるマネージャＰＲＯＭ画像１４８のコンフィギュレーションデータ記録３４０中の「ホットスワップ」ポリシーバイト３４４にアクセスしかつこれを評価して第２のＦＲＵ１７２のホットスワップが許されるか否かを判断して、次に対応して、評価することの結果に基づいてホットスワップを許すかまたは許さない。たとえば、第２のフレームアーム１７６上のＬＥＤ１８０は、フレームマネージャ１６８が第２のＦＲＵ１７２のホットスワップが許されているかまたは許されていないかを判断することに応答して、それぞの第１および第２の状態（たとえば、点滅または点滅しない）をとってもよい。
【０１０５】
先に論じたように、フレームセンター１２０は、固定された相互接続トポロジー１２４によってフレームアーム１１６の各々に相互接続されて、一般的に、設置されたＦＲＵ１１２同士の間の通信の経路決めを容易にする。この点において、フレームセンター１２０（たとえば、サービスプロセッサ１６０）は、マネージャＰＲＯＭ画像１４８のフレームアームアドレス記録３５２にアクセスして、特定のフレームアーム１１６（およびしたがって、特定のフレームアーム１１６に設置されたＦＲＵ１１２）への特定の通信をどのように経路決めするかを判断する。１つの配置では、フレームアームアドレス記録３５２は、物理的ハードウェアアドレスおよびポート番号を物理的場所ＩＤ３０８にマッピングしてもよい。たとえば、ＦＲＵ１１２が１つ以上のアプリケーションをオンラインにしようとすると、ＦＲＵ１１２のＯＯＢサービスプロセッサ１６４は、フレームマネージャのＦＲＵ１１２に関連付けられる宛先の物理的または非物理的場所ＩＤ３０８，３１２を含む要求を生成して、当該要求を（たとえば、ＦＲＵ１１２がインターフェイスするフレームアーム１１６にフレームセンター１２０を電気的に相互接続するそれぞれのネットワーク線２４上で）フレームセンター１２０に渡してもよい。フレームセンター１２０において要求を受信すると、サービスプロセッサ１６０は宛先の物理的または非物理的場所ＩＤ３０８，３１２を利用して対応の物理的ハードウェアアドレスおよびポート番号（たとえば、ハードウェア経路）を取得し、次に、取得した物理的ハードウェアアドレスおよびポート番号に関連付けられるフレームアーム１１６にフレームセンター１２０を電気的に接続する特定のネットワーク線２４上で、要求を、そのような取得した物理的ハードウェアアドレスおよびポート番号へ経路決めしてもよい。１つの配置では、サービスプロセッサ１６０は、それぞれのワーカＰＲＯＭ画像１４６の更新のために、サブネットＩＰ記録３１６に対する変更をフレームアーム１１６に伝播する。
【０１０６】
図１０−図１１はフレーム１００の他の実施形態を示す。先に論じたように、図１０は、ブレードエンクロージャまたはシャーシの形態のＦＲＵ１１２′のコネクタ１３２が対応のフレームアーム１１６のコネクタ１２８にインターフェイスし、かつＦＲＵ１１２′がＦＲＵ１１２′内に適切に搭載されるブレードサーバの形態の複数のＦＲＵ１１２″を含む実施形態を示す。図１１は、第１および第２のラック１０４内にそれぞれ設置される第１および第２の３９７，３９８フレーム（たとえば、フレーム１００）が、処理およびメモリ容量などを増大させる際に用いるための任意の適切な通信チャネルまたは相互接続３９９（たとえば、ケーブル、ハーネス）によって相互接続されてもよいスマートフレームシステム３９６を示す。この配置では、フレームセンター１２０において実現される単一のフレームマネージャ１６８または第１もしくは第２のフレーム３９７，３９８のいずれかのＦＲＵ１１２は、第１および第２のフレーム３９７，３９８上に設置されるすべてのＦＲＵ１１２を管理してもよい。すなわち、第１および第２のフレーム３９７，３９８の一方にはフレームマネージャ１６８がなくてもよい。たとえば、第１のフレーム３９７上に常駐するフレームマネージャ１６８と第２のフレーム３９８上のＦＲＵ１１２との間の通信は第２のフレーム３９８のフレームセンター１２０に渡されてもよく、これは、（マネージャＰＲＯＭ画像１４８と関連して）通信を分析して、通信がどのＦＲＵ１１２に
経路決めされるべきかを判断するように進む。
【０１０７】
１つの配置では、マネージャＰＲＯＭ画像１４８は、ＩＰＭＩプラットフォーム管理ＦＲＵ情報記憶定義バージョン１．０に準拠してもよい。本開示が以下に提示される具体的な形式に限定されないという理解を持って、本明細書中に開示されるフレーム１００とともに用いるための管理記録仕様の一例を以下に与える。むしろ、これは、本開示を実現することができる１つの態様を読み手に提示する一例としてのみ与えられる。
【０１０８】
一次記録
場所記録
【０１０９】
【表１】
2018185832.tif 000003
【０１１０】
場所記録中には４種類の「場所ＩＤ」が存在し得る。
【０１１１】
【表２】
2018185832.tif 000004
【０１１２】
各々の場所ＩＤは長さが２バイトであってもよく、以下のビット定義を有してもよい。
【０１１３】
【表３】
2018185832.tif 000005
【０１１４】
「ラック場所」欄は、対応の物理的場所ＩＤについて埋められてもよい。フレームＩＤは、複数ラックコンフィギュレーションで利用されてもよい。場所記録の「識別バイト」を用いて役割情報を判断してもよく、プログラミングプロセスの際にフレームセンターがこれを用いてもよい。識別バイトは以下の定義を有するビットマスクを含有してもよい。
【０１１５】
【表４】
2018185832.tif 000006
【０１１６】
フレームマネージャビットは相互に排他的でなくてもよい。たとえば、１つの論理ドメイン（ＬＤＯＭ）中にフレームマネージャ機能性を、別のＬＤＯＭ中にワーカ機能性を有するワーカＦＲＵは、０×０３の識別バイト値を有し得る一方で、フレームマネージャ機能性のないワーカＦＲＵは０×０２の値を有し得る。
【０１１７】
従属場所ＩＤ一覧は、一連のデバイス番号−場所ＩＤマッピングを含有してもよい。一覧は、ゼロという場所ＩＤで終端してもよい。この情報は、従属装着（attachment）ＦＲＵ（たとえば、ブレードサーバ）とともにエンティティＦＲＵ（たとえば、エンクロージャまたはシャーシ）によって使用されることができ、これによりこれは、フレームマネージャ通信を待つ必要なしにその装着を構成することができる。ソフトウェアは、これらのマッピングが（以下に示される）対応のＦＲＵコンフィギュレーションデータ記録に確実に整合するようにしてもよい。フレームマネージャ場所ＩＤが場所記録内で非ゼロであれば、これは非物理的フレームマネージャの場所ＩＤを保持する（たとえば、ブレードサーバ内のブレードなどの、フレームアームに直接に接続されていないもの）。この装着内に対応のフレームマネージャが存在しなければ、エントリはゼロの値を有する。
【０１１８】
【表５】
2018185832.tif 000007
【０１１９】
サブネットＩＰ記録
ベース管理サブネットＩＰアドレスは、フレームマネージャと通信するためにそれが必要とする情報を各々のＦＲＵのＯＯＢサービスプロセッサに与えるように、各々のフレームアームのワーカＰＲＯＭ画像の中に記憶されてもよい。個別の管理アドレスは、ネットワークアドレスとしてベース管理サブネットＩＰを、ホストアドレスとして場所ＩＤを用いることによって導出されてもよい。フレームセンターソフトウェアは、このアドレスに対する変更が各々のフレームアーム場所およびフレームセンター画像に確実に伝播されるようにしてもよい。
【０１２０】
【表６】
2018185832.tif 000008
【０１２１】
コンフィギュレーションデータ記録
コンフィギュレーションデータ記録は各々の場所ＩＤに特有の情報の大部分を保持してもよい。フレームマネージャはこのデータにアクセスして、これを設置されるＦＲＵと比較してもよい。チェックされることを意図されるＦＲＵ構成要素は、構成要素が最低限の要件を満たしていない（たとえば、十分なメモリがインストールされていない）場合にどの行為を行なうべきかを判断するのに、フレームマネージャが評価するポリシーバイトを実現してもよい。
【０１２２】
【表７】
2018185832.tif 000009
【０１２３】
フレームアームアドレス記録
フレームアームアドレス記録は、物理的ハードウェアアドレスおよびポート番号をフレームアーム識別子（たとえば、場所ＩＤ）にマッピングする。これはフレームセンターによって参照されてもよい。この記録は、ゼロというフレームアーム識別子で終端する構造の一覧を含んでもよい。
【０１２４】
【表８】
2018185832.tif 000010
【０１２５】
アドレスマップ一覧は、一連の場所ＩＤ−ハードウェアアドレスマップ関連付けを含んでもよい。一覧はゼロという場所ＩＤで終端してもよい。
【０１２６】
【表９】
2018185832.tif 000011
【０１２７】
オプション記録
ＦＲＵ  Ｉ／Ｏポート定義記録
ＦＲＵ  Ｉ／Ｏポート定義記録は、所与の場所記録について各々のＩ／Ｏポートを記述する。これらの記述は、（以下に論じる）ポイントツーポイント接続記録において用いられてもよく、複数の記録に跨って多くのポートを有するＦＲＵに対処してもよい。ＦＲＵ
Ｉ／Ｏポート定義記録は以下の詳細を有する。
【０１２８】
【表１０】
2018185832.tif 000012
【０１２９】
Ｉ／Ｏポート一覧は、一連のポートＩＤ−ポート種類関連付けを含有してもよい。ポートＩＤは、所与の場所ＩＤに対して一意であってもよい。具体的な記録番号についてのポート一覧は、ゼロというポートＩＤで終端してもよい。
【０１３０】
【表１１】
2018185832.tif 000013
【０１３１】
ポイントツーポイント接続記録
ポイントツーポイント接続記録はフレーム内のすべてのＩ／Ｏポート相互接続を定義する。各々の接続エントリは、接続を検証すべきか否かおよび接続検証が失敗した場合にどの行為を行なうかを判断するためにフレームマネージャが用い得るポリシーバイトを含有してもよい。
【０１３２】
【表１２】
2018185832.tif 000014
【０１３３】
接続一覧は、ポイントツーポイント関連付けを有する一連の接続記録を含有してもよい。所与の記録について、接続一覧は、０という接続ＩＤで終端してもよい。ソフトウェアは、すべてのポイントツーポイント接続記録が確実に評価されるようにしてもよい。
【０１３４】
【表１３】
2018185832.tif 000015
【０１３５】
動的管理データ
動的管理データは管理フレームワークによって用いられてもよく、これがコンフィギュレーションよりも頻繁に変化し得るという点で動的と考えられてもよい。動的管理データは、ＰＲＯＭ画像よりもむしろフレームマネージャコンフィギュラブルファイルの中に保
持されてもよい。
【０１３６】
【表１４】
2018185832.tif 000016
【０１３７】
ポリシーバイト定義
【０１３８】
【表１５】
2018185832.tif 000017
【０１３９】
種類識別子およびポート種類一覧
【０１４０】
【表１６】
2018185832.tif 000018
【０１４１】
ここで図１２を参照して、１Ｕ、２Ｕなどの１つ以上のフォームファクタの、ラック搭載サーバ、バックアップ電力モジュールなどの広範なＦＲＵを効率的に管理するのに用いてもよいスマートコンピューティングフレーム４００（たとえば、図１のフレーム１００）の１つの代表例の後方部分が示される。示されるように、フレーム４００は、幅、高さ、および奥行寸法４０５，４０７，４０９を含むラックまたはキャビネット４０４内に設置されるか、またはそれ以外のやり方で配設されてもよく、一般的に、複数の水平方向の支持部材４１１によって相互接続される複数の鉛直方向支持部材またはレール４０８からなってフレームワークを形成してもよい。ラック４０４は、ラック４０４の高さ寸法４０７（または他の寸法）に沿って配設される複数の対のレールアセンブリ４０１を含んでもよく、各々のレールアセンブリ４０１は、対向する鉛直方向部材４０８同士の間のラックの奥行寸法４０９に沿って延在する。各対のレールアセンブリ４０１は、複数のＦＲＵ４１２のうち１つを受けるための複数の受入れベイ４１０のうち１つを規定してもよい。
【０１４２】
受入れベイ４１０のうち各々の後方部分に隣接して、フレーム４００は、固定された相互接続トポロジー４２４（たとえば、固定された相互接続トポロジー１２４）を通してフレームセンター（図示せず、たとえばフレームセンター１２０）および１つ以上のＰＤＵ（図示せず、たとえばＰＤＵ５０８，５１２）へのそれぞれのＦＲＵ４１２の電気的相互接続を容易にするそれぞれのフレームアーム４１６（たとえば、フレームアーム１１６）を含んでもよい。ここで図１３を参照して、フレームアーム４１６のうち１つの拡大斜視図が提示される。フレームアーム４１６は、任意の適切な態様で、受入れベイ４１０の後方部分に隣接する受入れベイ４１０のレールアセンブリ４０１の対のうち一方の外側レール部材４５０に固着されてもよい。この点において、外側レール部材４５０を介して受入れベイ４１０に設置されている（図１３に示されない）ＦＲＵ４１２はフレームアーム４１６と自動的に整列されてもよく、これにより、継続してＦＲＵ４１２を挿入すると、最終的に、以下に論じるように、ＦＲＵ４１２とフレームアーム４１６との間のインターフ
ェイスおよび電気的接続が結果的に生じ得る。
【０１４３】
フレームアーム４１６は一般的に、特定の受入れベイ４１０のレールアセンブリ４０１の対のうち一方の外側レール部材４５０に対して任意の適切な態様で動かないように固着可能な筐体４１８（たとえば、筐体１１８）を含む。１つの配置では、筐体４１８は、外側レール部材４５０のフランジ４２１の対応する対を受けるように構成されるその側方部分に隣接する１対の溝４１９を含んでもよい。この点において、筐体４１８は、外側レール部材４５０に沿って（たとえば、受入れベイ４１０の後方部分に隣接する）所望の場所へ摺動され、次に（たとえば、外側レール部材４５０に対して筐体４１８を通って延在する（図示しない）ボルトを締めることを介して）任意の適切な態様で外側レール部材４５０に動かないように固着されることができる。受入れベイ４１０の後方部分に隣接するラック４０４に筐体４１８を固着する他の態様も本開示の範囲内に企図されかつ包含される。
【０１４４】
フレームアーム４１６は、フレーム４００内のフレームアーム４１６の場所データを記憶するメモリを有する（たとえば、締結具４１７をＰＣＢ４２２中のアパーチャ（図示せず）に通して筐体４１８中のアパーチャ（図示せず）の中へ通すことを介して）筐体４１８の部分（たとえば、側）に固着されるＰＣＢ４２２（たとえば、ＰＣＢ１２２）と、シリアル−Ｉ2Ｃ変換論理、ＬＥＤなど（標識付けせず、しかし図４のＰＣＢ１２２と同様
）と、も含んでもよい。さらに、コネクタ４２８（たとえば、ブラインド接合コネクタなどのコネクタ１２８）は、任意の適切な態様でＰＣＢ４２２に電気的に接続されかつ固着されて、固定された相互接続トポロジー４２４を介して、それぞれのＦＲＵ４１２と、フレームセンターと、１つ以上のＰＤＵとの間の電気的接続を容易にする。より具体的には、少なくとも１つのＩ2Ｃケーブルまたは線（たとえば、Ｉ2Ｃ線２０、図１３に図示せず）は、フレームセンターとＰＣＢ４２２との間に（たとえば、外側レール部材４５０に面するＰＣＢ４２２の底部部分を介してＩ2Ｃデータバスに、図１３では見えない）電気的
に接続されてもよく、少なくとも１つのネットワークケーブルまたは線（たとえば、ネットワーク線２４、図１３では標識付けせず）は、コネクタ４２８の後方部分４７０に隣接してフレームセンターとピン／コンタクト（図示せず）との間に電気的に接続されてもよく（およびしたがって、ＰＣＢ４２２を「通過」してもよく）、かつ少なくとも１つの電力線またはケーブル（たとえば、電力線２８，３２）は、コネクタ４２８の後方部分４７０に隣接して１つ以上のＰＤＵ（たとえば、ＰＤＵ５０８，５１２）とピン／コンタクトとの間に電気的に接続されてもよい。
【０１４５】
フレームアーム４１６のコネクタ４２８とＦＲＵ４１２の対応のコネクタ４３２との間の精密な整列（図１３に示されないが、図１４−図１９に関連して以下に論じる）を容易にするため、フレームアーム４１６は、（以下に論じる）ＦＲＵ４１６のアダプタ７００（たとえば、「フレームバックプレーンアダプタ」）の整列バレル７４０の形態の対応の機械的コネクタまたは整列構成要素の中で受けられるように構成される整列ピン４２９の形態の少なくとも１つの機械的コネクタまたは整列構成要素を含んでもよい。整列ピン４２９は、コネクタ４２８と同じ方向に（すなわち、接近するＦＲＵ４１６が受入れベイ４１０の中に挿入される方向に向けて）、しかし少なくともわずかにコネクタ４２８から離間されるように、筐体４１８の部分に固着されてもよい。たとえば、整列ピン４２９は、筐体４１８の壁の中の少なくとも１つのアパーチャ４３１を通って挿入され得るねじ切りされた端（図示せず）に加えて、ロックナットまたは留めナット４３０を含んでもよい。ねじ切りされたナット（図示せず）は、ナット４３０が筐体壁に当接するかまたは接触して整列ピン４２９をフレームアーム４１６に固く固着するように、筐体４１８の壁の対向する側の上に整列ピン４２９のねじ切りされた端にわたってねじ切りされてもよい。１つの実施形態では、ねじ切りされたナットをねじ切りされた端から取外してもよく、ねじ切りされた端は、筐体４１８の壁の中のアパーチャ４３１のうち異なるものの中に挿入され
て整列ピン４２９の所望の高さを実現してもよい。
【０１４６】
示されるように、整列ピン４２９は、ＦＲＵ４１２のアダプタ７００の整列バレル７４０中の整列ピン４２９の初期の位置付けを容易にするように、（たとえば、先細にされ得る）先端部分４３７を含んでもよい。整列ピン４２９は、フレームアーム４１６およびＦＲＵ４１２のコネクタ４２８，４３２にインターフェイスすると、整列バレル７４０の周縁と相互作用して、整列バレル７４０に対する移動に対して整列ピン４２９を少なくとも部分的に係止するまたは固着するように適合される拡大頭部４３５も含んでもよい。ＰＣＢ４２２のさまざまな構成要素を損傷から保護するように、任意の適切なカバー、シールドなど（図示せず）を、（たとえば、締結具４１７を介して）ＰＣＢ４２２上に筐体４１８に固着してもよい。１つの配置では、１つ以上の支持アームまたはブラケット（図示せず）は、同じ受入れベイ４１０の対向するレールアセンブリ４０１の対向する外側レール部材４５０にフレームアーム４１６の筐体４１８を固く相互接続して、フレームアーム４１６をさらに支持しかつより強固なフレーム４００および／またはラック４０４を設けてもよい。
【０１４７】
ここで図１４−図１５を参照して、コンピューティングラックの受入れベイの中にＦＲＵ４１２を挿入できるようにするように構成され、かつコンピューティングラックのアダプタ７００と受入れベイ（たとえば、受入れベイ４１０のフレームアーム４１６）との間のブラインド接合インターフェイスによってコンピューティングラックの管理サービスソフトウェアによって実質的にシームレスに電子的にディスカバーされるアダプタ７００（たとえば、コネクタ配置）の斜視図が提示される。たとえば、アダプタ７００は、コネクタ１３２が、コンピューティングラック１０４の受入れベイの中へのＦＲＵ１１２の挿入の際にフレームアーム１１６のコネクタ１２８に電気的にインターフェイスすることができるように、コネクタ１３２をＦＲＵ１１２に動かないように固着するように適合される、図４と関連して論じられるブラケット、リンクなどの配置１３４を少なくとも部分的に表してもよい。アダプタ７００は、（図１２のフレーム４００においてなど）ブラインド接合設置で用いるためにＦＲＵを迅速に適合させるように既存の標準的なラック搭載ＦＲＵに追加されてもよく、または、ＦＲＵをそのようなブラインド接合設置で用いることができるようにＦＲＵの初期構築の一部としてＦＲＵの中に構築されてもよい。
【０１４８】
概して、アダプタ７００は、ＦＲＵ４１２に動かないように固着されるように構成される搭載部分７０４（たとえば、１つ以上のブラケット）と、ＦＲＵ４１２が受入れベイ４１０の中に挿入されていくと、コネクタ４３２（たとえば、図４のブラインド接合コネクタ１３２）を受けて、コンピューティングラックの受入れベイ４１０の後方に隣接する対応のコネクタ４２８（たとえば、コネクタ１２８）にコネクタが電気的にインターフェイスできるようにするように構成される、搭載部分７０４から延在する装着部分７０８（たとえば、１つ以上のブラケット）とを含む。１つの配置では、搭載部分７０４は、ＦＲＵ４１２に対して動かないように固着されるように構成される第１の搭載部材７１２（たとえば、板、フランジなど）を含んでもよい。たとえば、第１の搭載部材７１２は、フレーム４００のフレームアーム４１６の一方が固着される（たとえば、フレームアーム４１６がレールアセンブリ４０１の外側レール部材４５０に固着され、第１の搭載部材７１２が同じレールアセンブリ４０１の内側レール部材４５４に固着される）同じレールアセンブリ４０１の内側レール部材４５４の内側部分に（たとえば、締結具、ナット、および整列された穴、標識付けせず、を介して）固く固着されてもよい。
【０１４９】
この点において、（たとえば、内側レール部材４５４中のアパーチャ４５８およびＦＲＵ４１２の側方部分４１３中の対応のアパーチャ（図示せず）などの装着構成要素を通るねじ切り締結具（図示せず）を介した）ＦＲＵ４１２の側方部分４１３への内側レール部材４５４の固い搭載は、アダプタ７００をＦＲＵ４１２に動かないようにまたは固く固着
するように働く。別の配置では、搭載部分７０４は、付加的にまたは代替的に、内側レール部材４５４から離間され、かつ（たとえば、第２の搭載部材７１６中のアパーチャ７２０およびＦＲＵ４１２の側方部分４１３中の対応のアパーチャ（図示せず）を通るねじ切り締結具（図示せず）を介して）ＦＲＵ４１２の側方部分４１３に動かないように固着されるように構成される第２の搭載部材７１６（たとえば、板、フランジなど）を含んでもよい。
【０１５０】
ここで図１４−図１８を参照して、装着部分７０８は、受入れベイ４１０中へのＦＲＵ４１２の挿入の際、コネクタ４３２の前方部分４３８を対応のフレームアーム４１６のコネクタ４２８の前方部分４７２に向けるようにコネクタ４３２をその中に固定可能に受けるようにサイズ決めされかつ構成される、それを通って延在する（図１４および図１７に標識付けされる）受入れアパーチャ７３２を有しかつ搭載部分７０４から延在する装着部材７２８（たとえば、板、ブラケット、フランジなど）を含んでもよい。たとえば、コネクタ４３２は、受入れアパーチャ７３２の内壁を過ぎてパチンと留まり、これによりコネクタ４３２を装着部分７０８およびしたがってＦＲＵ４１２に係止するまたは動かないように固定する（すなわち、搭載部分７０４がＦＲＵ４１２に固定されるまたは少なくともＦＲＵ４１２に対して動かないように固定される場合）ように適合され、１つ以上の可撓性の突起、クリップなど（図示せず）を含んでもよい。しかしながら、コネクタ４３２を装着部分７０８に固着する他の態様も本明細書中で企図されかつ包含される。
【０１５１】
いずれにせよ、搭載部分７０４および内側レール部材４５４がアダプタ７００の装着部分７０８をどのようにＦＲＵ４１２の後方部分４１４から距離７２４だけ（図１６および図１８で標識付け）離間させて、アダプタ７００の装着部分７０８に固着されるコネクタ４３２に、ＦＲＵ４１２の後方部分４１４に隣接する電力ポート、シリアルポート、およびネットワークポートを電気的に接続する１つ以上のケーブル、ワイヤなどのための空間を有利に設けるかがわかる。たとえば、図１６−図１８は、複数のケーブル７３６（たとえば、図４のネットワーク線４０；電力線５２，５６；シリアルデータ線６４）がそれぞれどのようにコネクタ４３２の後方部分４３３に隣接する適切なピン／コンタクト（図示せず）にＦＲＵ４１２のさまざまなポート７３７（たとえば、ネットワークポート３６；電力ポート４４，４８；シリアル管理ポート６０）を電気的に接続し得るかを示す。示されるように、第１および第２の搭載部材７１２，７１６および装着部材７１８はまとめて、複数のケーブル７３６を内蔵するための少なくとも部分的な筐体を形成してもよい。いずれの場合も、（たとえば、以下に論じるようなラック４０４の受入れベイ４１０の中へのＦＲＵ４１２の挿入の際の）コネクタ４３２，４２８の前方部分４３４，４７２に隣接するそれぞれのピン／コンタクトの電気的インターフェイスによって、自動的に、ＦＲＵ４１２は１つ以上のＰＤＵ１２６から電力を引出せるようになり、フレームマネージャ（図示せず；たとえば図１のフレームマネージャ１６８）と、フレームセンターのサービスプロセッサ（図示せず、たとえば、図５のサービスプロセッサ１６０）と、ＦＲＵ４１２のＯＯＢサービスプロセッサ（図示せず；たとえば、図１に示されるＩＬＯＭ１６４）との間でネットワーク通信が発生することができるようになり、かつＰＣＢ４２２のメモリ（標識付けせず）からの（たとえば、場所データ１４１、役割情報などの）情報を読出す、ＦＲＵ４１２のＯＯＢサービスプロセッサからの要求を満たすことができるようになる。
【０１５２】
先に論じたように、フレームアーム４１２は、アダプタ７００の整列バレル７４０の形態の対応の機械的整列構成要素の中で受けられて、フレームアーム４１６のコネクタ４２８とＦＲＵ４１２のコネクタ４３２との間の精密かつしっかりとした整列および電気的インターフェイスを容易にするように構成される整列ピン４２９の形態の少なくとも１つの機械的整列構成要素を含んでもよい。図１４、図１６、および図１７について、整列バレル７４０は、コネクタ４３２に隣接するまたはこれと離間して隣接するアダプタ７００の
装着部分７０８の中またはその上に配設されてもよい。示されるように、整列バレル７４０は、対向する前方および後方部分７４４，７４８と、前方部分７４４と後方部分７４８との間に整列バレル７４０を通って延在する受入開口またはボア７５２とを含んでもよい。整列ピン４２９および整列バレル７４０は、フレームアーム４１６およびアダプタ７００上にそれぞれ配設されるものとして論じられたが、他の配置は、整列ピン４２９および整列バレル７４０が代わりにそれぞれアダプタ７００およびフレームアーム４１６上に配設され得ることを企図する。
【０１５３】
ＦＲＵ（たとえば、ＦＲＵ４１２）がどのようにコンピューティングラック（たとえば、ラック４０４）の中に挿入されて、実質的にシームレスに（たとえば、ブラインド接合するように）ラックの管理ネットワークに加わることを許され得るかのを読み手の理解を容易にするために、ここで図２０を参照する。図２０は、コンピューティングラックの中にＦＲＵを挿入してラックのフレームセンターにＦＲＵを電気的にインターフェイスする１つの方法８００を示す。しかしながら、より多くの、より少ない、または代替的なステップを含む他の方法も本明細書中で企図されかつ包含されることを理解すべきである。加えて、方法８００は、ＦＲＵ４１２がラック４０４の受入ベイ４１０の中に挿入されて受入ベイ４１０のフレームアーム４１６に電気的かつ機械的にインターフェイスするという文脈で論じられるが、方法８００は、本明細書中に具体的に図示されるもの以外のＦＲＵ、コンピューティングラックなどと関連して実践されてもよいことを理解すべきである。
【０１５４】
８０４で、（たとえば、ＦＲＵ４１２の１対の内側レール部材４５４の端４６２（たとえば、図１６を参照）は、受入ベイ４１０の後方部分に隣接して配設されるフレームアーム４１６に対向する受入ベイ４１０の前方部分を介して）コンピューティングラック４０４の受入ベイ４１０の１対の外側レール部材４５０のチャネル４５１の中にそれぞれ挿入されてもよい。たとえば、内側レール部材４５４の第１のものは、（図１４−図１７に示されるような）ＦＲＵ４１２の第１の側方部分４１３とアダプタ７００との両方に固着されてもよく、内側レール部材４５４の第２のものはＦＲＵ４１２の対向する第２の側方部分（図示せず）に固着されてもよい。１つの配置では、１対の内側レール部材４５４はそれぞれ、各々の組の内側の、中間の、および外側のレール部材４５４，４５６，４５０が互いに対して摺動するまたはそれ以外のやり方で移動して受入ベイ４１０の中へのおよび受入ベイ４１０からのＦＲＵ４１２の挿入および取外しを容易にするように、１対の外側レール部材４５０のチャネル４５１内にそれぞれ配設される１対の中間レール部材４５６（図１８を参照）のチャネルの中にそれぞれ挿入されてもよい。内側レール部材４５４のうち１つの端４６２は、アダプタ７００の端を過ぎて（たとえば、搭載部分および装着部分７０４，７０８の端を過ぎて、図１５、図１６、および図１８を参照）延在するように図示されるが、本明細書中に包含される他の配置は、端４６２がアダプタ７００のちょうど端までまたは端に届かない程度すらに延在することを企図する。
【０１５５】
次に、方法８００は、受入ベイ４１０の後方部分に向けてＦＲＵ４１２を前進（たとえば、摺動、移動など）させること８０８（たとえば、ＦＲＵ４１２の対向する後方部分４１４が受入ベイ４１０の後方部分に隣接するフレームアーム４１６に向けて移動するようにＦＲＵ４１２の前方部分を押すこと）を含んでもよい。受入ベイ４１０の後方に隣接するフレームアーム４１６に向けてＦＲＵ４１２を前進させる８０８際のＦＲＵ４１２の後方部分４１４を示す図１８を参照。方法８００は次に、（たとえば、コネクタ４３２，４２８の精密な電気的インターフェイス８２８のための準備として）ＦＲＵ４１２の電気コネクタ４３２をフレームアーム４１６の対応の電気コネクタ４２８に機械的に整列させること８１２を含んでもよい。
【０１５６】
１つの配置では、機械的整列８１２はまず、（たとえば、ＦＲＵ４１２に固着されるアダプタ７００の）ＦＲＵ４１２の整列バレル７４０の前方部分７４４を通してフレームア
ーム４１６の整列ピン４２９を受けること８１６を含んでもよく、整列ピン４２９および整列バレル７４０は、それぞれフレームアームコネクタ４２８およびＦＲＵコネクタ４３２から（たとえば、幅寸法４０５に、図１２を参照）少なくとも実質的に共通の距離だけ離間される。図１３、図１６、および図１８を参照して、たとえば、整列ピン４２９の先端部分４３７は、ＦＲＵ４１２が受入ベイ４１０内で前進する８０８と、整列バレル７４０の前方部分７４４を介して整列バレル７４０の受入ボア７５２に入るように構成されてもよい。たとえば、整列ピン４２９および整列バレル７４０は、幅および高さ寸法４０５，４０７（図１２を参照）の各々において外側レール部材４５０の共通の基準線（または他の基準場所）から実質的に共通の距離にあるように構成されかつ設計されてもよく、これにより、先端部分４３７を整列バレル７４０の中に実質的に容易に受けることができる。
【０１５７】
その後、受入れベイ４１０の後方部分に向けてＦＲＵ４１２を引続いて前進させること８２０は、幅および高さ寸法４０５，４０７の両方にコネクタ４２８，４３２（たとえば、コネクタ４２８，４３２の対応のピン／コンタクト）をより完全かつ精密に整列させるように働き得る。たとえば、引続いての前進８２０の際の、先細にされた先端部分４３７と整列バレル７４０の前方部分７４４に隣接する受入れボア７５２の外側周縁との間のカム作用は、レールアセンブリ４０１、フレームアーム４１６、ＦＲＵ４１２、アダプタ７００などのさまざまな構成要素の間の公差のいずれの相違も修正して、受入れボア７５２内の整列ピン４２９を精密に整列させ、これにより（たとえば、以上で論じた共通の距離により）接続４２８，４３２を精密に整列させる傾向があり得る。１つの配置では、（図１３に標識付けされる）整列ピン４２９の拡大頭部４３５は、（たとえば、整列バレル７４０が整列ピン４２９に対して移動すると拡大頭部４３５と受入れボア７５２との間にわずかな摩擦嵌合が存在するように）整列バレル７４０の前方部分７４４と後方部分７４８との間の受入れボア７５２の内径と実質的に同じ外径を有して、先端部分４３７と整列バレル７４０の前方部分７４４の外側周縁との間の係合を介してまず達成される、以上で論じた精密な整列を維持してもよい。
【０１５８】
より具体的には、拡大頭部４３５の外径と受入れボア７５２の内径とを実質的に同じに構成することは、ＦＲＵ４１２が（たとえば、奥行寸法４０９に沿って）受入れベイ４１０の後方部分に向けて完全搭載位置へ前進する際の幅および高さ寸法４０５，４０７の整列ピン４２９と整列バレル７４０との間の（およびしたがってコネクタ４２８，４３２との間の）相対的な移動を限定する。図では単一の組の整列ピン４２９および整列バレル７４０のみが示されるが、コネクタ４２８，４３２の精密な整列をさらに容易にするように、その１つ以上よりも多くの組を含んでもよいことが容易に認められる。単なる一例として、２つ以上の整列ピン４２９をフレームアーム４１６の筐体４１８の壁中のそれぞれのアパーチャ４３１内で受けてもよいが、２つ以上のそれぞれの整列バレル７４０がアダプタ７００の装着部材７２８に含まれてもよい。
【０１５９】
１つの配置では、コネクタ４２８，４３２は、（図１３および図１６に標識付けされる）１つ以上の整列柱４７５および整列開口４７６を有してもよく、各々の整列柱４７５は、少なくとも１つの整列ピン４２９が対応の整列バレル７４０中に少なくとも初期に／部分的に受けられた後にそれぞれの対応の整列開口４７６の中で受けられるように構成される。この点において、各々の整列ピン４２９／整列バレル７４１の組合せは、（たとえば、対応のコネクタ４２８，４３２のピン／コンタクトの初期整列を行なうように働く）「一次」整列機構と考えられてもよい一方で、各々の整列柱４７５／整列開口４７６の組合せは、（たとえば、対応のコネクタ４２８，４３２のピン／コンタクトのより微調整された整列を行なうように働く）「二次」整列機構と考えられてもよい。いずれにせよ、方法８００は、コネクタ４２８，４３２の機械的整列８１２の後またはその際にコネクタ４２８，４３２を電気的にインターフェイスすること８２８を含んでもよい。図１９を参照。
この点で、すべて先に論じたように、ＦＲＵ４１２は、固定された相互接続トポロジー４２４を介してコンピューティングラックのフレームセンター（たとえば、図１のフレームセンター１２０）および／またはフレームマネージャ（たとえば、図１のフレームマネージャ１６８）によって実質的に自動的におよび／またはシームレスにディスカバーされてもよく、フレームセンターおよび／またはフレームマネージャはＦＲＵ４１２のＯＯＢ管理を行なってもよく、ＦＲＵホットスワップ／取外し要求は、（たとえば、フレームアーム４１６上の対応のボタンの押下の際に）フレームアーム４１６によって生成されて、処理のためにフレームセンターに渡されてもよい、などである。図１２のラック４０４のＦＲＵ４１２のうち１つ以上は、複数のＦＲＵ４１２がまとめて異なるフォームファクタ（たとえば、１Ｕおよび２ＵのＦＲＵ）、異なる機能などを含む場合にすら、ラック４０４のそれぞれの受入れベイ４１０の中に挿入されかつ当該受入れベイ４１０から取外されて、複数の実質的に同一のアダプタ７００を用いて、以上で論じたような態様でそれぞれフレーム４００の管理ネットワーク／文脈に加わってもよくまたはそれから抜けてもよい。
【０１６０】
ＦＲＵ４１２が受入れベイ４１０内に完全に搭載される際のコネクタ４２８，４３２のピン／コンタクト同士の間のしっかりしたかつ一貫した電気的接触を維持するのを助けるため、整列ピン４２９の拡大頭部４３５（たとえば、係止部分）は、整列バレル７４０の後方部分７４８に隣接する口縁またはフランジ７５３の形態の係止部分と相互作用および／または係合８２４して、整列ピン４２９および整列バレル７４０の（およびしたがって、コネクタ４２８，４３２の）早期の分離を制限してもよい。より具体的には、拡大頭部４３５の外径はフランジ７５３の内径よりも少なくともわずかに大きくてもよいので、フランジ７５３は、ＦＲＵ４１２が完全搭載位置に前進されるにつれて、拡大頭部４３５を過ぎて少なくともわずかに押しやられる必要があるであろう。換言すると、ユーザは、ＦＲＵ４１２の前方にわずかにより大きな力を加えて、フランジ７５３を拡大頭部４３５の第１の側から拡大頭部７３５の対向側へ移動させる必要があるかもしれない。フランジ７５３が一旦拡大頭部４３５をちょうど過ぎて押しやられると（たとえば、フランジ７５３が拡大頭部４３５の対向側にちょうど移動されると）、コネクタ４２８，４３２は、互いに対して完全に係合する／着座するように構成されてもよい。この点において、フランジ７５３と拡大頭部４３５との間の係合は、（たとえば、ＦＲＵホットスワップ動作の際などの）ユーザがコネクタ４２８，４３２の係合解除を意図していない場合に、（たとえば、振動、衝撃などによるなど、コネクタ４２８，４３２をそれ以外のやり方で係合解除する傾向があるであろう方向に）整列ピン４２９と整列バレル７４０との間のおよびしたがってコネクタ４２８，４３２同士の間の相対的な移動に抗するように働いてもよい。
【０１６１】
整列ピン４２９の拡大頭部４３５と整列バレル７４０のフランジ７５３との間の係合をコネクタ４２８，４３２間の電気的係合を確実にする態様として論じたが、そうする他の配置も本明細書中に企図されかつ包含される。たとえば、整列バレル７４０のフランジ７５３は、整列ピン４２９の外周の周りに配設される溝などの中にパチンと嵌まるかまたは他のやり方で入るように構成されてもよい。さらに、拡大頭部４３５（または他の特徴）およびフランジ７５３（または他の特徴）は、図に示されるもの以外の整列ピン４２９および整列バレル７４０上の場所に配設されてもよい。たとえば、拡大頭部４３５を整列ピン４２９の真ん中部分に配設することができ、フランジ７５３を整列バレル７４０の真ん中部分にある受入れボア７５２の内側に配設することができる。
【０１６２】
ここで図２１−図２２を参照して、コンピューティングラックの受入れベイのフレームアーム１０１６とアダプタ９００との間のブラインド接合インターフェイスにより、コンピューティングラックの受入れベイ（たとえば、図１２のコンピューティングラック４０４の受入れベイ４１０）の中にＦＲＵ１０１２が挿入されるようにするように構成され、かつ、コンピューティングラックの管理サービスソフトウェアによって実質的にシームレスに電子的にディスカバーされる、アダプタ９００の別の実施形態が提示される。アダプ
タ９００は、アダプタ７００が対応のフレームアーム４１６とともに利用されているラック中で利用されてもまたはされなくてもよい。概して、アダプタ９００は、ＦＲＵ１０１２の対向する側方部分１０１３1，１０１３2に動かないように固着されるようにそれぞれ構成される、（たとえば、各々１つ以上のブラケットを含む）第１および第２の搭載部分９０４1，９０４2と、第１および第２の搭載部分９０４1，９０４2を相互接続する装着部分９０８（たとえば、１つ以上のブラケット）とを含む。装着部分９０８は、少なくとも第１のコネクタ１０３２1（たとえば、図４のブラインド接合コネクタ１３２または図１
６のコネクタ４３２）を受けて、ＦＲＵ１０１２が受入れベイの中に挿入されると第１のコネクタ１０３２1がコンピューティングラックの受入れベイ（図示せず、しかし図１２
のラック４０４の受入れベイ４１０と同様）の後方に隣接する少なくとも第１の対応のコネクタ１０２８1（たとえば、図４のコネクタ１２８または図１３のコネクタ４２８）に
電気的にインターフェイスするのを可能にするように構成される。
【０１６３】
１つの配置では、第１および第２の搭載部分９０４1，９０４2は、ＦＲＵ１０１２の第１および第２の側方部分１０１３1，１０１３2に対して（たとえば直接にまたは間接に）動かないように固着されるように構成される少なくとも第１の搭載部材９１２1，９１２2（たとえば、板、フランジなど）をそれぞれ含んでもよい。たとえば、第１の搭載部材９１２1，９１２2は、それぞれ、それぞれのフレームアーム９１６が固着される同じレールアセンブリ１００１の（標識付けられていない）１対の内側レール部材の内側部分に（たとえば、締結具、ナット、および整列された穴を介して、標識付けせず）固く固着されてもよい（たとえば、フレームアーム９１６がレールアセンブリ１００１の１対の外側レール部材１０５０1，１０５０2に固着され、第１の搭載部材９１２1，９１２2が同じレールアセンブリ１００１の１対の内側レール部材に固着される）。この点において、ＦＲＵ１０１２の側方部分１０１３1，１０１３2への内側レール部材の固い搭載（たとえば、先に論じたように、内側レール部材４５４がどのようにＦＲＵ４１２の側方部分４１３に固く固着され得るかと同様）は、アダプタ９００をＦＲＵ１０１２に動かないようにまたは固く固着するように働く。別の配置では、搭載部分９０４1，９０４2は、システムの増大した安定性のために、ＦＲＵ１０１２の側方部分１０１３1，１０１３2に動かないように固着されるように構成される付加的な搭載部材（たとえば、板、フランジなど、図示せず）を付加的にまたは代替的に含んでもよい。
【０１６４】
引続いて図２１−図２２を参照して、装着部分９０８は、それを通って延在する少なくとも第１の受入れアパーチャ（図示せず、しかし図２１−図２２の実施形態中の水平方向に配置されるにも係わらず、図１４中の受入れアパーチャ７３２と同様の）を含む第１および第２の搭載部分９０４1，９０４2を固く相互接続する装着部材９２８（たとえば、板、ブラケット、フランジなど）を含んでもよい。第１の受入れアパーチャは、ラックの受入れベイ（たとえば、ラック４０４の受入れベイ４１０のうち１つ）の中へのＦＲＵ１０１２の挿入の際の対応のフレームアーム１０１６の第１のコネクタ１０２８1の前方部分
（図示せず）に第１のコネクタ１０３２1の前方部分（図示せず）を向けるように、その
中に第１のコネクタ１０３２1を固定可能に受けるようにサイズ決めおよび構成されても
よい。図２１−図２２は、アダプタ９００がフレームアーム１０１６に係合されているのを示すことが注記される。
【０１６５】
たとえば、第１のコネクタ１０３２1は、第１の受入れアパーチャの内壁を過ぎてパチ
ンと嵌まり、これにより第１のコネクタ１０３２1を装着部分９０８およびしたがってＦ
ＲＵ１０１２に係止するまたは動かないように固定する（すなわち、搭載部分９０４がＦＲＵ１０１２に固定されるまたは少なくともＦＲＵ１０１２に対して動かないように固定される場合）ように適合される１つ以上の可撓性の突起、クリップなど（図示せず）を含んでもよい。しかしながら、第１のコネクタ１０３２1を装着部分９０８に固着する他の
態様も本明細書中で企図されかつ包含される。１つの配置では、装着部材９２８は、（た
とえば、ねじ切りされた接続、溶接などの）任意の適切な態様で第１および第２の搭載部分９０４1，９０４2の第１の搭載部材９１２1，９１２2に固く固着されてもよい。別の配置では、第１および第２の搭載部分９０４1，９０４2および装着部分９０８を作り出すように単一片の材料を適切に形成および／または形作ってもよい。
【０１６６】
第１および第２の搭載部分９０４1，９０４2は、ＦＲＵ１０１２の後方部分１０１４から装着部分９０８を距離９２４だけまとめて離間させて、有利にはＦＲＵ１０１２の後方部分１０１４に隣接する電力ポート、シリアルポート、およびネットワークポート（標識付けせず）をアダプタ９００の装着部分９０８に固着される第１のコネクタ１０３２1の
後方部分１０３３に電気的に接続する１つ以上のケーブル、ワイヤなど（図示せず）のための空間を設けてもよい。１つの配置では、アダプタ９００は、第１および第２の搭載部分９０４1，９０４2ならびに／または装着部分９０８に適切に固着されるベースもしくはトレー９６０を含んでもよい。いずれの場合も、第１および第２の搭載部分９０４1，９
０４2ならびに装着部分９０８（および、含まれる場合はトレー９６０）は、ＦＲＵ１０
１２の後方部分１０１４に隣接するポートおよび第１のコネクタ１０３２1を電気的に相
互接続する複数のケーブル／ワイヤ／などを内蔵するための少なくとも部分的な筐体をまとめて形成してもよい。
【０１６７】
１つの配置では、装着部材９２８は、ラックの受入れベイの中へのＦＲＵ１０１２の挿入の際に、フレームアーム１０１６の第２のコネクタ１０２８2の前方部分（図示せず）
に第２のコネクタ１０３２2の前方部分（図示せず）を向けるように第２のコネクタ１０
３２2（たとえば、ブラインド接合コネクタ）を受けるようにサイズ決めおよび構成され
る少なくとも第２の受入れアパーチャ（図示せず）を含んでもよい。第２のコネクタ１０３２2，１０２８2を設けることは、有利には、ＦＲＵ１０１２の１つ以上の付加的なポートとラックなどの付加的なケーブル／ワイヤ／ネットワークとの間のブラインド接合電気的接続を可能にする。１つの配置では、１つ以上のケーブル／ワイヤ（図示せず）は、ＦＲＵ１０１２の高速ネットワークポート９７０（たとえば、イーサネット（登録商標）、ＲＪ４５）とアダプタ９００の第２のコネクタ１０３２2との間に電気的に接続されても
よい。たとえば、高速ネットワークポート９７０は、フレームセンター（たとえば、フレームセンター１２０）と、フレームアーム１１６／４１６／１０１６と、ＦＲＵ１１２／４１２／１０１２などとの間の管理通信のためとは反対に、ＦＲＵ１０１２と他のデバイスおよび／またはプロセス（たとえば、ラック４０４／１０４内の他のＦＲＵ１０１２／４１２／１１２、ラック４０４の外部のデバイスまたはプロセスなど）との間の実際のデータ（たとえば、信号）通信のために利用されてもよい。
【０１６８】
フレームアーム１０１６は一般的に、アダプタ９００に実質的に一致する幅４０５および高さ寸法４０７（図１２に標識付け）のフォームファクタを有してもよい。より特定的には、フレームアーム１０１６は、アダプタ９００およびＦＲＵ１０１２がその中に並進移動可能に搭載される特定の受入れベイのレールアセンブリ１００１の１対の外側レール部材１０５０1，１０５０2に対して任意の適切な態様で動かないように固着可能な筐体１０１８（たとえば、筐体１１８）を含んでもよい。単なる一例として、筐体１０１８は、外側レール部材１０５０1，１０５０2の対応の対のフランジ（図示せず）を受けるように構成されるそれぞれの対の溝１０１９（図２３を参照）を含む第１および第２の搭載部分１１０４1，１１０４2を含んでもよい。この点において、筐体１０１８は、外側レール部材１０５０1，１０５０2に沿ってまたはこれに対して（たとえば、受入れベイの後方部分に隣接する）所望の位置へ摺動し、次に任意の適切な態様で（たとえば、外側レール部材１０５０1，１０５０2に対して筐体１０１８の対向する側方部分を通って延在するボルト（図示せず）を締付けることを介して）外側レール部材１０５０1，１０５０2に動かないように固着されることができる。受入れベイの後方部分に隣接するラックに筐体１０１８を固着する他の態様も本開示の範囲内で企図されかつ包含される。
【０１６９】
筐体１０１８は、ＰＣＢ１０２２中のアパーチャ（図示せず）を通して締結具１０１７を筐体１０１８のトレー１０９０中のアパーチャ（図示せず）の中へ通すことを介してなど、ＰＣＢ１０２２（たとえば、ＰＣＢ１２２，４２２）が固着され得る第１の搭載部分１１０４1と第２の搭載部分１１０４2との間に任意の適切な態様で固く固着されるベースまたはトレー１０９０も含んでもよい。ＰＣＢ１０２２は、図４のＰＣＢ１２２および図１３のＰＣＢ４２２と同様に、フレーム（たとえば、フレーム４００）内にフレームアーム１０１６の場所データを記憶するメモリと、シリアル−Ｉ2Ｃ変換論理と、ＬＥＤなど
（標識付けせず）とを有してもよい。示されるように、第１のコネクタ１０２８1は、任
意の適切な態様でＰＣＢ１０２２に電気的に接続されかつ固着されて、アダプタ９００の第１のコネクタ１０３２1に整列しかつ電気的にインターフェイスして、固定された相互
接続トポロジー（たとえば、固定された相互接続トポロジー４２４）を介して、それぞれのＦＲＵ１０１２と、フレームセンターと、１つ以上のＰＤＵとの間の電気的接続を容易にしてもよい。より具体的には、少なくとも１つのＩ2Ｃケーブルまたは線（たとえば、
図４のＩ2Ｃ線２０）は、フレームセンターとＰＣＢ１０２２との間に（ＰＣＢ１０２２
のＩ2Ｃデータバスに）電気的に接続されてもよく、少なくとも１つのネットワークケー
ブルまたは線（たとえば、図４のネットワーク線２４）は、フレームセンターと第１のコネクタ１０２８1の後方部分１０７０に隣接するピン／コンタクト（図示せず）との間に
電気的に接続されてもよく（およびしたがって、ＰＣＢ１０２２を「通過」してもよく）、かつ少なくとも１つの電力線またはケーブル（たとえば、図４の電力線２８，３２）は、１つ以上のＰＤＵ（たとえば、ＰＤＵ５０８，５１２）とコネクタ１０２８の後方部分１０７０に隣接するピン／コンタクトとの間に電気的に接続されてもよい。
【０１７０】
第２のコネクタ１０２８2もフレームアーム１０１６に（たとえば、トレー１０９０に
）任意の適切な対応で固着されて、アダプタ９００の第２のコネクタ１０３２2に整列し
かつ電気的にインターフェイスして、固定された相互接続トポロジー（たとえば、固定された相互接続トポロジー４２４）および／または他のケーブル／ワイヤを介してそれぞれのＦＲＵ１０１２と１つ以上のネットワークとの間の電気的接続（たとえば、実際のデータ通信）を容易にするように適合されてもよい。たとえば、１つ以上のネットワーク（たとえば、イーサネット（登録商標））ケーブル（たとえば図示せず）は、第２のコネクタ１０２８2の後方部分に適切に電気的に相互接続されてもよく、これにより、第２のコネ
クタ１０３２2，１０２８2とのインターフェイスの際に、ＦＲＵ１０１２と１つ以上のネットワーク（たとえば、インターネット、ＷＡＮ、ＬＡＮ）との間に電気的（たとえばデータ）接続が確立される。
【０１７１】
１つの配置では、ＦＲＵ１０１２が受入れベイの中に完全に挿入されると、筐体１０１８はアダプタ９００の装着部分９０８に実質的に当接するように構成される対応の装着部分１１２０を付加的に含んでもよい。装着部分１１２０は、（たとえば、クリップなどを介した）第１および第２のコネクタ１０２８1，１０２８2のそれぞれの受入れおよび搭載のためのそれぞれの第１および第２の受入れアパーチャ（図示せず）を含む。この点において、アダプタ９００およびフレームアーム１０１６は互いの実質的な鏡像であってもよい（たとえば、アダプタ９００およびフレームアーム１０１６は、それぞれのトレー９６０，１０９０、装着部分９０８，１１２０、第１および第２の搭載部分９０４1，９０４2および１１０４1，１１０４2などを有する）。
【０１７２】
１つの実施形態では、フレームアーム１０１６は、それぞれの対応の機械的コネクタに受けられるように構成される第１および第２の整列ピン１０２９1，１０２９2などの少なくとも１つの機械的コネクタもしくは整列構成要素、またはＦＲＵ１０１６のアダプタ９００の第１および第２の整列バレル（図示せず、しかし図１６の整列バレル７４０と同様）などの整列構成要素を含んでもよい。たとえば、第１および第２の整列ピン１０２９1
，１０２９2の各々は、第１および第２のコネクタ１０２８1，１０２８2に隣接して（た
とえば、直接に隣接、離間して隣接など）それぞれ配設されてもよい一方で、第１および第２の整列バレルの各々は、第１および第２のコネクタ１０３２1，１０３２2に隣接して（たとえば、直接に隣接、離間して隣接など）それぞれ配設されてもよい。図１３−図１９の整列ピン４２９および整列バレル７４０に関連して先に論じたように、フレームアーム１０１６に向けた受入れベイの中へのＦＲＵ１０１２の挿入の際のそれぞれの第１および第２の整列バレル中への整列ピン１０２９1，１０２９2の各々の受入れは、それぞれのコネクタ１０２８1／１０３２1，１０２８2／１０３２2のピン／コンタクト同士の間の精密な整列を容易にする。
【０１７３】
コネクタ１０２８1／１０３２1，１０２８2／１０３２2がそれぞれの整列柱および開口（標識付けせず、しかし図１３および図１６中の整列柱／開口４７５，４７６と同様）を有する場合、各々の整列ピン１０２９／整列バレル９４０の組合せは、（たとえば、対応のコネクタ１０２８1／１０３２1，１０２８2／１０３２2のピン／コンタクトの初期整列を行なうように働く）「一次」整列機構と考えられてもよい一方で、各々の整列柱／整列開口の組合せは、（たとえば、対応のコネクタ１０２８1／１０３２1，１０２８2／１０
３２2のピン／コンタクトのより微調整された整列を行なうように働く）「二次」整列機
構と考えられてもよい。いくつかの実施形態では、フレームアーム１０１６の筐体１０１８は、第１および第２の搭載部分１１０４1／１１０４2に装着されるカバー１０６１（図２３に示される；明瞭さのために図２１−図２２からは取除かれている）ならびに／またはＰＣＢ１０２２およびコネクタ１０２８1，１０２８2を保護してフレームアーム１０１６などの剛性を増大させるための装着部分１１２０を含んでもよい。
【０１７４】
図２０の方法８００は、アダプタ７００／フレームアーム４１６の組合せに関連して先に論じたのと同様の態様でアダプタ９００／フレームアーム１０１６の組合せに適用可能であってもよい。たとえば、方法８００は、ＦＲＵ１０１２の１対の内側レール部材の端（標識付けせず）をコンピューティングラック（たとえば、コンピューティングラック４０４）の受入れベイ（たとえば、受入れベイ４１０）の１対の外側レール部材１０５０1
，１０５０2のチャネル（標識付けせず）に挿入すること８０４と、受入れベイの後方部
分に向けてＦＲＵ１０１２を前進させること８０８（たとえば、摺動させること、移動させることなど）と、（たとえば、整列バレルおよび／または開口内に整列ピンおよび／または柱を受けることを介して）ＦＲＵ１０１２の電気コネクタ１０３２1，１０３２2をフレームアーム１０１６の対応の電気コネクタ１０２８1，１０２８2に機械的に整列させること８１２と、コネクタ１０２８1／１０３２1，１０２８2／１０３２2の機械的整列８１２の後またはその際にコネクタ１０２８1／１０３２1，１０２８2／１０３２2を電気的にインターフェイスすること８２８とを含んでもよい。この点で、すべて先に論じたように、ＦＲＵ１０１２は、固定された相互接続トポロジー４２４を介してフレームセンター（たとえば、図１のフレームセンター１２０）および／またはコンピューティングラックのフレームマネージャ（たとえば、図１のフレームマネージャ１６８）によって実質的に自動的におよび／またはシームレスにディスカバーされてもよく、フレームセンターおよび／またはフレームマネージャはＦＲＵ１０１２のＯＯＢ管理を行なってもよく、かつＦＲＵホットスワップ／取外し要求は、たとえば、（たとえば、フレームアーム１０１６上の対応のボタンが押下されると）フレームアーム１０１６によって生成されて、処理などのためにフレームセンターに渡されてもよい。
【０１７５】
１つの配置では、アダプタ９００およびフレームアーム１０１６は、アダプタ９００として「１Ｕ」ＦＲＵ１０１２のために利用されてもよく、フレームアーム１０１６は、アダプタ９００およびフレームアーム１０１６が、さまざまなコネクタ１０３２，１０２８をラック４０４の幅寸法４０５に沿った向きにする（たとえば、コネクタ１０３２，１０２８の最長寸法）（すなわち、図１２−図１９のアダプタ７００およびフレームアーム４
１６のように、高さ寸法４０７に沿っているのとは対照的に）ように構成されることによるなどして、ラック４０４の（図１２に標識付けされる）高さ寸法４０７の低減されたフォームファクタを有するように構成されてもよい。たとえば、アダプタ９００およびフレームアーム１０１６は１Ｕ  ＦＲＵ１０１２のために利用されてもよい一方で、アダプタ７００およびフレームアーム４１６は、同じラック４０４中で利用されても利用されなくてもよい２Ｕ  ＦＲＵ４１２のために利用されてもよい。しかしながら、各々のアダプタ９００／フレームアーム１０１６およびアダプタ７００／フレームアーム４１６の組合せが他のフォームファクタ（たとえば、１Ｕ、２Ｕ、３Ｕなど）のＦＲＵとともに利用されてもよいことが企図される。
【０１７６】
いくつかの状況では、アダプタ９００の第２のコネクタ１０３２2およびＦＲＵ１０１
２の高速ネットワークポート９７０（たとえば、イーサネット（登録商標）、ＲＪ４５）の電気的接続の結果として、電磁干渉（ＥＭＩ）が生成され得る。この点において、第１の搭載部分９０４1、第２の搭載部分９０４2、および装着部分９０８によって作られる筐体は、生成されたＥＭＩを減衰させるまたは他のやり方で制御するように働く「ケージ」として働いてもよい。さらに、アダプタ９００および／またはフレームアーム１０１６の１つ以上の部分（たとえば、トレー９６０，１０９０；装着部分９０８，１１２０；など）は、空気の循環、軽量化などを容易にするために、それを通る多数のパーフォレーションなどを含んでもよい。発明の精神および範囲から逸脱することなく明細書中に開示される具体的な実施形態から数多くの付加および／または乖離がなされてもよいことが容易に認められる。本明細書中の図示および検討は、本開示のさまざまな局面を理解する際に読み手を助けるためにのみ与えられている。たとえば、フレームセンター１２０は、アウトオブバンド管理に関連してＦＲＵ１１２同士の間の通信を（たとえば、スイッチとして）一般的に容易にするものとして開示されるが、ＦＲＵ１１２とフレーム１００の外部のデバイスまたはネットワークとの間の通信を容易にするように別のスイッチ（たとえばInfiniBand）が設けられてもよい。すなわち、ＦＲＵ１１２は、ＦＲＵ１１２のＯＯＢ管理のために（たとえば、コネクタ１２８，１３２のインターフェイスを介して）フレームセンター１２０に相互接続されてもよいが、ＦＲＵ１１２は、InfiniBandまたは他の種類の通信および／もしくはデータ転送（たとえば、テレビ会議のトラフィック）のための他の種類のスイッチに適切に相互接続されてもよい。別の実施形態では、１つよりも多くのフレームマネージャがフレーム内に存在してもよい。たとえば、フレームセンター１２０は、（たとえば電源投入、ホットスワップなどと関連して）ＦＲＵのＯＯＢ管理のためにフレームマネージャを走らせてもよいが、ＦＲＵ１１２のうち１つは、フレーム１００内のより高レベルの管理タスクをアドミニストレーションする別のフレームマネージャを走らせてもよい。
【０１７７】
１つの配置では、ＦＲＵ１１２／４１２は、ラック１０４／４０４中の特定のその受入れベイの中に適切に係止されて、こうして、サービスプロセッサ１０６および／またはフレームマネージャ１６８が任意の必要なＯＯＢ管理ルーチンを行なうまで係止解除されるおよび取外されることができなくてもよい。別の配置では、サービスプロセッサ１６０および／またはフレームマネージャ１６８は、（たとえば、対応のフレームアーム１１６／４１６上のボタン１８２を押下することの代替として）ＦＲＵ１１２／４１２を取外そうとする試みの中でＦＲＵ１１２／４１２を引張るまたは強く引張ることが検出されると、自動的にＯＯＢ管理ルーチン（たとえば、オフラインにするプロセス）を始めるように構成されてもよい。この点において、ＦＲＵ１１２／４１２は、ＯＯＢ管理ルーチンが完了するまで、ラック１０４／４０４のその受入れベイの中に係止されてもよい。
【０１７８】
さらに、以上論じた配置および実施形態の１つ以上のさまざまな組合せも企図される。たとえば、図１１は、第１および第２のフレーム４００，４０４の各々がフレーム１００の形態にあるのを示すが、第１および第２のフレーム４００，４０４のうち少なくとも１
つは図１０のフレーム１００′の形態にあることができ、これによりシャーシのエンクロージャの形態のＦＲＵ１１２′は、ブレードサーバの形態の複数のＦＲＵ１１２″を含む。別の例として、アダプタ７００の装着部分７０８は、フレームアーム４１６の１つ以上の付加的な対応のコネクタ４２８に電気的にインターフェイスするように構成されてもよい付加的なコネクタ４３２を受けるための１つ以上の付加的な受入れアパーチャを有することができる。さらなる例として、アダプタ９００およびフレームアーム１０１６は、他のサイズ（たとえば２Ｕ、３Ｕなど）のＦＲＵに利用されることができる。
【０１７９】
本明細書中に開示される実施形態は、１つ以上のコンピュータプログラム製品、すなわち、データ処理装置による実行のための、またはデータ処理装置の動作を制御する、コンピュータ読出可能媒体上にコードされるコンピュータプログラム命令の１つ以上のモジュール、として実現されることができる。たとえば、フレームマネージャ１６８は、フレームセンター１２０、ＦＲＵ１１２のうち１つなどのそのようなコンピュータ読出可能媒体中に提供されて、ＦＲＵ１１２のプロセッサまたは処理エンジン（図示せず）によって実行されてもよい。別の例として、マネージャＰＲＯＭ画像１４８にアクセスして、フレーム１００内の通信を経路決めすることを担うフレームセンター１２０の論理またはソフトウェアがフレームセンター１２０のそのようなコンピュータ読出可能媒体（たとえば、メモリ１４４）中に設けられて、フレームセンター１２０（図示せず）のプロセッサまたは処理エンジン（図示せず）によって実行されてもよい。コンピュータ読出可能媒体は、機械読出可能記憶デバイス、機械読出可能記憶基板、不揮発性メモリデバイス、機械読出可能伝播信号に影響する構成物、またはそれらのうち１つ以上の組合せであることができる。この点において、フレーム１００は、一例としてプログラマブルプロセッサ、コンピュータ、または複数のプロセッサもしくはコンピュータを含む、データを処理するための１つ以上の装置、デバイス、および機械を包含してもよい。ハードウェアに加えて、フレーム１００は、たとえば、プロセッサファームウェア、プロトコルスタック、データベース管理システム、オペレーティングシステム、またはそれらのうち１つ以上の組合せを構成するコードなどの、問題のコンピュータプログラムのための実行環境を作り出すコードを含んでもよい。
【０１８０】
本明細書中に記載の機能性（たとえば、ＦＲＵ１１２を管理すること、通信を経路決めすることなど）のうち任意のものを提供するように用いられる（プログラム、ソフトウェア、ソフトウェアアプリケーション、スクリプト、またはコードとしても公知の）コンピュータプログラムは、コンパイル言語またはインタープリタ型言語を含むプログラミング言語の任意の適切な形態で書かれることができ、これは、コンピューティング環境で用いるのに好適なスタンドアローンプログラム、またはモジュール、構成要素、サブルーチン、もしくは他のユニットとして含む任意の形態で配備されることができる。コンピュータプログラムは必ずしもファイルシステム中のファイルに対応していない。プログラムは、他のプログラムもしくはデータ（たとえば、マークアップ言語文書の中に記憶される１つ以上のスクリプト）を保持するファイルの部分の中に、問題のプログラム専用の単一のファイルの中に、または複数の連係されるファイル（たとえば、１つ以上のモジュール、サブプログラム、もしくはコードの部分を記憶するファイル）の中に、記憶されることができる。コンピュータプログラムは、１つのコンピュータ上で、または、１つのサイトに位置する、または複数のサイトにわたって分散されかつ通信ネットワークによって相互接続される複数のコンピュータ上で実行されるように配備されることができる。
【０１８１】
この明細書に記載されるプロセスおよび論理の流れは、入力されたデータに対して動作することおよび出力を生成することによって機能を果たすように１つ以上のコンピュータプログラムを実行する１つ以上のプログラマブルプロセッサによって行なわれることができる。プロセスおよび論理の流れは、たとえばＦＰＧＡ（フィールドプログラマブルゲートアレイ）またはＡＳＩＣ（特定用途向け集積回路）などの特殊目的の論理回路構成によ
って行なわれることもでき、かつ特殊目的の論理回路構成として装置を実現することもできる。コンピュータプログラムの実行に好適なプロセッサは、一例として、汎用マイクロプロセッサおよび特殊目的マイクロプロセッサの両方、ならびに任意の種類のデジタルコンピュータの任意の１つ以上のプロセッサを含んでもよい。一般的に、プロセッサは、読出専用メモリまたはランダムアクセスメモリまたはその両者から命令およびデータを受ける。一般的に、コンピュータの要素は、命令を実行するための１つ以上のプロセッサと、命令およびデータを記憶するための１つ以上のメモリデバイスとである。本明細書中に記載される技術は、記載される機能性を提供するように構成されるコンピュータシステムによって実現されてもよい。
【０１８２】
この明細書は多数の詳細を含有するが、これらは、開示のまたは請求され得るものの範囲に対する限定として解釈されてはならず、むしろ、開示の特定の実施形態に特有の特徴の説明として解釈されるべきである。さらに、別個の実施形態の文脈でこの明細書中に記載されるある特徴は、単一の実施形態中の組合せにおいても実現可能である。反対に、単一の実施形態の文脈で記載されるさまざまな特徴を、複数の実施形態で別個に、または任意の好適な副次的組合せでも実現することができる。さらに、特徴はある組合せで作用するものとして上述され、そのように当初は請求すらされるかもしれないが、請求される組合せからの１つ以上の特徴は、ある場合には組合せから削除されることができ、請求される組合せは、副次的組合せまたは副次的組合せの変形に向けられることがある。
【０１８３】
同様に、特定の順序で図面に動作が描かれるが、これは、そのような動作が、示される特定の順序でもしくは順次に行なわれること、または所望の結果を達成するようにすべての示される動作が行なわれることを要件とすると理解されてはならない。ある状況では、多重タスキングおよび／または並列処理が有利であることがある。さらに、上述の実施形態中のさまざまなシステム構成要素の分離は、すべての実施形態におけるそのような分離を要件とするものとして理解されてはならず、記載のプログラム構成要素およびシステムは一般的に、ともに単一のソフトウェアおよび／もしくはハードウェア製品に集積されるか、または複数のソフトウェアおよび／もしくはハードウェア製品に梱包されることができる。
【０１８４】
好ましい実施形態を含む上述の実施形態および出願時に発明者に公知の発明の最良モードは例示的な例のみとして与えられる。
【図１】
2018185832.tif 000019
【図２】
2018185832.tif 000020
【図３ａ】
2018185832.tif 000021
【図３ｂ】
2018185832.tif 000022
【図３ｃ】
2018185832.tif 000023
【図４】
2018185832.tif 000024
【図５】
2018185832.tif 000025
【図６】
2018185832.tif 000026
【図７】
2018185832.tif 000027
【図８】
2018185832.tif 000028
【図９】
2018185832.tif 000029
【図１０】
2018185832.tif 000030
【図１１−１】
2018185832.tif 000031
【図１１−２】
2018185832.tif 000032
【図１２】
2018185832.tif 000033
【図１３】
2018185832.tif 000034
【図１４】
2018185832.tif 000035
【図１５】
2018185832.tif 000036
【図１６】
2018185832.tif 000037
【図１７】
2018185832.tif 000038
【図１８】
2018185832.tif 000039
【図１９】
2018185832.tif 000040
【図２０】
2018185832.tif 000041
【図２１】
2018185832.tif 000042
【図２２】
2018185832.tif 000043
【図２３】
2018185832.tif 000044
【手続補正書】
【提出日】平成30年7月9日(2018.7.9)
【手続補正１】
【補正対象書類名】特許請求の範囲
【補正対象項目名】全文
【補正方法】変更
【補正の内容】
【特許請求の範囲】
【請求項１】
フィールド交換可能ユニット（ＦＲＵ）をコンピューティングラックのアウトオブバンド（ＯＯＢ）管理ネットワークに自動的に相互接続するためのシステムであって、前記コンピューティングラックは複数のＦＲＵを受けるための複数の受入れベイを含み、前記システムは、
前記コンピューティングラックの前記複数の受入れベイの１つに隣接する補助レール部材に対して摺動するように構成されたレール部材を備え、前記レール部材は、前記レール部材を前記ＦＲＵの側方部分に固定して固着するための複数の装着構成要素を備え、前記システムはさらに、
前記ＦＲＵが前記コンピューティングラックの前記ＯＯＢ管理ネットワークにブラインド接合して電気的に相互接続できるようにする、前記レール部材に固く固着されたアダプタを備え、前記アダプタは、
前記レール部材に固く固着された搭載部材を備え、前記レール部材は、前記搭載部材を前記ＦＲＵに固く接続するように構成されており、前記アダプタはさらに、
前記搭載部材から延在する装着部材を備え、前記装着部材は第１の開口をその中に含み、前記システムはさらに、
前記第１の開口の中に受けられかつ前記装着部材に固着された第１のブラインド接合コネクタを備え、前記装着部材は、前記ＦＲＵと前記第１のブラインド接合コネクタとの間に電気的に接続される１つ以上のケーブルまたはワイヤの通過のための空間を前記第１のブラインド接合コネクタと前記ＦＲＵとの間に規定し、前記第１のブラインド接合コネクタは、前記レール部材が前記補助レール部材に対して摺動すると、前記複数の受入れベイのうち前記１つの後方に隣接して固着された補助の第２のブラインド接合コネクタにインターフェイスするように構成されている、システム。
【請求項２】
前記装着部材は、前記第２のブラインド接合コネクタに隣接して固着される整列ピンを受けるようにサイズ決めされる第２の開口をその中に備えており、前記第１および第２のブラインド接合コネクタの整列および相互接続を容易にする、請求項１に記載のシステム。
【請求項３】
前記搭載部材は、前記装着部材の第１の端に固く装着された第１の搭載部材を備え、前記アダプタは、前記装着部材の反対の第２の端に固く装着された第２の搭載部材をさらに備え、前記第１の搭載部材、第２の搭載部材、および装着部材は、まとめて、前記ＦＲＵと前記第１のブラインド接合コネクタとの間に電気的に接続されるケーブル配線を内蔵するための筐体を規定する、請求項１に記載のシステム。
【請求項４】
前記装着部材は、
前記第１の搭載部材と前記第２の搭載部材との間に延在するブラケットと、
前記第１の搭載部材と前記第２の搭載部材との間に延在して、前記ＦＲＵから前記ブラケットに延在するように構成されるトレーとを含み、前記筐体は、前記第１の搭載部材、第２の搭載部材、ブラケット、およびトレーによって規定される、請求項３に記載のシステム。
【請求項５】
前記トレーは前記ブラケットに対して実質的に垂直である、請求項４に記載のシステム。
【請求項６】
前記トレーは前記第１および第２の搭載部材に対して実質的に垂直である、請求項４に記載のシステム。
【請求項７】
前記搭載部材は前記装着部材に対して実質的に垂直である、請求項１に記載のシステム。
【請求項８】
前記第１のブラインド接合コネクタは、前記装着部材と前記ＦＲＵとの間に配設される部分を含み、前記第１のブラインド接合コネクタの前記部分は前記ＦＲＵから離間され、前記第１のブラインド接合コネクタの前記部分は前記１つ以上のケーブルまたはワイヤに電気的に接続するように構成されている、請求項１に記載のシステム。
【請求項９】
方法であって、
第１のシステムを用いて、第１のＦＲＵをコンピューティングラックの第１の受入れベイの中に挿入し、かつ前記第１のＦＲＵを前記コンピューティングラックのＯＯＢ管理ネットワークに電気的に相互接続することを備え、前記第１のシステムは、
前記コンピューティングラックの前記複数の受入れベイの１つに隣接する補助レール部材に対して摺動するように構成されたレール部材を備え、前記レール部材は、前記レール部材を前記ＦＲＵの側方部分に固定して固着するための複数の装着構成要素を備え、前記第１のシステムはさらに、
前記ＦＲＵが前記コンピューティングラックの前記ＯＯＢ管理ネットワークにブラインド接合して電気的に相互接続できるようにする、前記レール部材に固く固着されたアダプタを備え、前記アダプタは、
前記レール部材に固く固着された搭載部材を備え、前記レール部材は、前記搭載部材を前記ＦＲＵに固く接続するように構成されており、前記アダプタはさらに、
前記搭載部材から延在する装着部材を備え、前記装着部材は第１の開口をその中に含み、前記第１のシステムはさらに、
前記第１の開口の中に受けられかつ前記装着部材に固着される第１のブラインド接合コネクタを備え、前記装着部材は、前記ＦＲＵと前記第１のブラインド接合コネクタとの間に電気的に接続される１つ以上のケーブルまたはワイヤの通過のための空間を前記第１のブラインド接合コネクタと前記ＦＲＵとの間に規定し、前記第１のブラインド接合コネクタは、前記レール部材が前記補助レール部材に対して摺動すると、前記複数の受入れベイのうち前記１つの後方に隣接して固着される補助の第２のブラインド接合コネクタにインターフェイスするように構成されている、方法。
【請求項１０】
第２のシステムを用いて、第２のＦＲＵを前記コンピューティングラックの第２の受入れベイの中に挿入し、かつ前記第２のＦＲＵを前記コンピューティングラックの前記ＯＯＢ管理ネットワークに電気的に相互接続することをさらに備え、前記第１および第２のシステムは実質的に同一であり、前記第１および第２のＦＲＵは少なくとも１つの点において異なる、請求項９に記載の方法。
【請求項１１】
前記少なくとも１つの点は、フォームファクタ、電力要件、または冷却要件のうち少なくとも１つを備える、請求項１０に記載の方法。
【請求項１２】
コンピューティングラックの複数の受入れベイのうち１つの中へのブラインド接合電気接続のために適合されるフィールド交換可能ユニット（ＦＲＵ）であって、
筐体と、
前記筐体に固着される請求項１に記載の前記システムとを備える、フィールド交換可能ユニット（ＦＲＵ）。
【請求項１３】
前記筐体は、対向する頂部および底部、対向する第１および第２の側方部分、ならびに対向する前方および後方部分を含み、前記レール部材は、前記筐体の前記第１および第２の側方部分に固着され、前記装着部材および第１のブラインド接合コネクタは、前記筐体の外部で前記筐体の前記後方部分から離間されている、請求項１２に記載のＦＲＵ。
【請求項１４】
前記ＦＲＵの前記後方部分と前記第１のブラインド接合コネクタとの間に電気的に接続される少なくとも１つのケーブルをさらに含む、請求項１３に記載のＦＲＵ。
【請求項１５】
前記搭載部材は、前記装着部材の第１の端に固く装着された第１の搭載部材を備え、前記アダプタは、前記装着部材の反対の第２の端に固く装着された第２の搭載部材をさらに備え、前記第１の搭載部材、第２の搭載部材、および装着部材はまとめて、前記少なくとも１つのケーブルを内蔵するための筐体を規定する、請求項１４に記載のＦＲＵ。
【請求項１６】
前記装着部材は、
前記第１の搭載部材と前記第２の搭載部材との間に延在するブラケットと、
前記第１の搭載部材と前記第２の搭載部材との間に延在して、前記ＦＲＵから前記ブラケットに延在するように構成されるトレーとを含み、前記筐体は、前記第１の搭載部材、第２の搭載部材、ブラケット、およびトレーによって規定される、請求項１５に記載のＦＲＵ。
【請求項１７】
フィールド交換可能ユニット（ＦＲＵ）をコンピューティングラックのアウトオブバンド（ＯＯＢ）管理ネットワークに自動的に相互接続するためのシステムであって、前記コンピューティングラックは複数のＦＲＵを受けるための複数の受入れベイを含み、前記システムは、
前記コンピューティングラックの前記複数の受入れベイの１つに隣接する補助レール部材に対して摺動するように構成されたレール部材を備え、前記レール部材は、前記レール部材を前記ＦＲＵの側方部分に固定して固着するための複数の装着構成要素を備え、前記システムはさらに、
前記ＦＲＵが前記コンピューティングラックの前記ＯＯＢ管理ネットワークにブラインド接合して電気的に相互接続できるようにする、前記レール部材に固く固着されたアダプタを備え、前記アダプタは、
前記レール部材に固く固着された搭載部材を備え、前記レール部材は、前記搭載部材を前記ＦＲＵに固く接続するように構成されており、前記アダプタはさらに、
前記搭載部材から延在する装着部材を備え、前記装着部材は第１の開口をその中に含み、前記システムはさらに、
前記第１の開口の中に受けられかつ前記装着部材に固着される第１のブラインド接合コネクタを備え、前記第１のブラインド接合コネクタは、前記装着部材の一方側に配設された前端を含み、前記第１のブラインド接合コネクタは、前記装着部材の反対側に配設された後端を含み、前記後端は前記装着部材と前記ＦＲＵとの間に位置決めされており、前記後端は前記ＦＲＵから離間されており、前記前端は、前記レール部材が前記補助レール部材に対して摺動すると、前記複数の受入れベイのうち前記１つの後方に隣接して固着される補助の第２のブラインド接合コネクタにインターフェイスするように構成されている、システム。
【請求項１８】
前記搭載部材は、前記装着部材の第１の端に固く装着された第１の搭載部材を備え、前記アダプタは、前記装着部材の反対の第２の端に固く装着された第２の搭載部材をさらに備え、前記第１の搭載部材、第２の搭載部材、および装着部材はまとめて、前記ＦＲＵと前記第１のブラインド接合コネクタとの間に電気的に接続されるケーブル配線を内蔵するための筐体を規定する、請求項１７に記載のシステム。
【請求項１９】
前記装着部材は、
前記第１の搭載部材と前記第２の搭載部材との間に延在するブラケットと、
前記第１の搭載部材と前記第２の搭載部材との間に延在して、前記ＦＲＵから前記ブラケットに延在するように構成されるトレーとを含み、前記筐体は、前記第１の搭載部材、第２の搭載部材、ブラケット、およびトレーによって規定される、請求項１８に記載のシステム。
【外国語明細書】
2018185832000001.pdf